(57)【要約】  マスクアセンブリは、マスクシールを含み得る。いくつかの構成では、マスクアセンブリは、使用者の顔の鼻の鼻梁よりも十分に低く位置決めされ、かつ使用者の鼻の露出された鼻梁を提供するように構成され得る。マスクシールは、少なくとも１つの鼻開口部を含む鼻領域、鼻領域の第１の側部における第１のパドルおよび鼻領域の第２の側部における第２のパドルを含む。第１のパドルは、使用者の鼻の一方の側面に接触するように構成され、および第２のパドルは、使用者の鼻の他方の側面に接触するように構成される。
2019528992.tif 000002
【特許請求の範囲】
【請求項１】
陽圧呼吸療法を提供することにおいて使用するためのインターフェースであって、
マスクシールを含むマスクアセンブリであって、使用者の顔の鼻の鼻梁よりも十分に低く位置決めされ、かつ前記使用者の前記鼻の露出された鼻梁を提供するように構成され、前記マスクシールは、少なくとも１つの鼻開口部を含む鼻領域を含み、前記マスクシールは、前記鼻領域の第１の側部における第１のパドルおよび前記鼻領域の第２の側部における第２のパドルを含み、前記第１のパドルは、前記使用者の前記鼻の一方の側面に接触するように構成され、および前記第２のパドルは、前記使用者の前記鼻の他方の側面に接触するように構成される、マスクアセンブリ
を含み、前記マスクアセンブリは、窪んだ前面部を含む前面上部をさらに含む、インターフェース。
【請求項２】
前記マスクアセンブリは、前記前面上部の上方周辺と前記窪んだ前面部との間に段付き移行部をさらに含む、請求項１に記載のインターフェース。
【請求項３】
前記段付き移行部は、前記第１のパドルおよび前記第２のパドルの周辺の湾曲に従う、請求項２に記載のインターフェース。
【請求項４】
前記段付き移行部は、深さにおいて変化する、請求項２に記載のインターフェース。
【請求項５】
前記段付き移行部は、深さが前記段付き移行部の下方末端部において最小であるようにテーパが付けられる、請求項２に記載のインターフェース。
【請求項６】
前記段付き移行部の深さは、前記マスクシールのサイズに依存する、請求項２に記載のインターフェース。
【請求項７】
フレームをさらに含み、前記窪んだ前面部は、前記フレームの少なくとも一部を受け入れるように構成される、請求項１に記載のインターフェース。
【請求項８】
前記段付き移行部は、フレームの厚さ以上である最大深さを有する、請求項２に記載のインターフェース。
【請求項９】
前記前面上部は、前記第１および第２のパドルの前側に形成された第１の上方の角および第２の上方の角をさらに含む、請求項２に記載のインターフェース。
【請求項１０】
前記段付き移行部は、前記段付き移行部の深さが、前記第１の上方の角および前記第２の上方の角において、前記第１の上方の角と前記第２の上方の角との間の中間部分におけるよりも大きいように変化する深さを含む、請求項９に記載のインターフェース。
【請求項１１】
前記マスクアセンブリに取り外し可能に接続可能なフレームをさらに含む、請求項１〜１０のいずれか一項に記載のインターフェース。
【請求項１２】
前記フレームは、フレームパドルを含む、請求項１１に記載のインターフェース。
【請求項１３】
前記フレームパドルは、前記マスクアセンブリに組み立てられると、前記窪んだ前面に差し込まれてかつ／または前記窪んだ前面内に位置決めされる、請求項１２に記載のインターフェース。
【請求項１４】
前記フレームパドルの外表面は、前記上部の窪んだ面と同一平面に載置される、請求項１２または１３に記載のインターフェース。
【請求項１５】
前記フレームは、前記シールの前記鼻領域に追加的な支持を提供する、請求項１２〜１４のいずれか一項に記載のインターフェース。
【請求項１６】
前記フレームは、前記シールの前記前側の鼻領域に追加的な剛性を提供する、請求項１２〜１５のいずれか一項に記載のインターフェース。
【請求項１７】
前記フレームパドルは、前記鼻領域に支持を提供する、請求項１３〜１６のいずれか一項に記載のインターフェース。
【請求項１８】
前記フレームパドルは、使用時、前記シールパドルが前記使用者の鼻から離れて撓むことを防止することを促進する、請求項１２〜１７のいずれか一項に記載のインターフェース。
【請求項１９】
前記フレームパドルは、前記マスクシールが過度に変形される場合、前記フレームパドルが前記使用者の顔に接触するかまたは食い込むことを防止することを促進する、請求項１２〜１８のいずれか一項に記載のインターフェース。
【請求項２０】
前記窪んだ前面は、様々なサイズを有するマスクアセンブリで単一サイズのフレームの使用が実施されることを可能にする、請求項１１〜１９のいずれか一項に記載のインターフェース。
【請求項２１】
マスクアセンブリであって、
鼻密封部分および口密封部分を含むシールであって、使用者の鼻および口にガスの流れを提供するように構成されるシール、
ハウジング
を含み、前記シールおよびハウジングは、呼吸チャンバーを形成する、マスクアセンブリと、
前記マスクアセンブリに取り外し可能に結合されるフレームであって、
本体、
入口開口部であって、それを通して加圧空気の供給が前記マスクアセンブリに提供される、入口開口部、および
前記入口開口部と流体連通する窒息防止弁
を含み、前記フレームの前記本体は、前記窒息防止弁のガス流路の少なくとも一部を画成する、フレームと
を含む呼吸マスク。
【請求項２２】
前記フレームの前記本体は、前記窒息防止弁の少なくとも１つの通気路および少なくとも１つの弁出口を画成する、請求項２１に記載の呼吸マスク。
【請求項２３】
前記フレームは、前記フレームの前記本体に結合され、かつ呼吸管に接続されるように構成された管コネクタを含み、前記管コネクタは、前記入口開口部を画成する、請求項２１または２２に記載の呼吸マスク。
【請求項２４】
前記管コネクタは、前記窒息防止弁の弁部材を前記フレームの前記本体に固定する、請求項２３に記載の呼吸マスク。
【請求項２５】
前記フレームは、前記マスクアセンブリを前記フレームに固定するように構成されたマスクコネクタを画成し、前記マスクコネクタは、前記ガス流路の一部を画成し、および前記入口開口部および窒息防止弁からのガスの流れを受け入れるように構成され、かつ前記マスクアセンブリに前記ガスの流れを送給するように構成される、請求項２１〜２４のいずれか一項に記載の呼吸マスク。
【請求項２６】
前記フレームの前壁は、前記呼吸マスクの前記ガス流路の一部を画成する、請求項２１〜２５のいずれか一項に記載の呼吸マスク。
【請求項２７】
前記ハウジングは、前記窒息防止弁を含む前記フレームの少なくとも一部を収容する凹部を画成する、請求項２１〜２６のいずれか一項に記載の呼吸マスク。
【請求項２８】
前記鼻密封部分は、左鼻密封面および右鼻密封面を含み、前記シールの鼻開口部に最も近い各密封面の内側部分は、全体的に平坦である、請求項２１〜２７のいずれか一項に記載の呼吸マスク。
【請求項２９】
前記密封面のそれぞれの外側部分は、湾曲しており、前記外側部分の曲率半径は、前記外側部分のそれぞれにおいて後ろから前の方向に減少する、請求項２８に記載の呼吸マスク。
【請求項３０】
前記左および右密封面間に画成された角度は、後ろから前の方向に増加する、請求項２８または２９に記載の呼吸マスク。
【請求項３１】
前記ガス流路の一部を画成し、かつ前記フレームの前記本体に対して固定される入口管をさらに含む、請求項２３〜３０のいずれか一項に記載の呼吸マスク。
【請求項３２】
前記入口管は、前記フレームの前記本体と一体的に形成される、請求項２３〜３１のいずれか一項に記載の呼吸マスク。
【請求項３３】
前記入口管は、前記前壁の底部領域から下方に延在する、請求項３１に記載の呼吸マスク。
【請求項３４】
前記入口管は、前記前壁の前面と連続的な表面を画成する前面を含む、請求項３１に記載の呼吸マスク。
【請求項３５】
前記入口管は、少なくとも部分的に前記前壁の後方に位置決めされる、請求項３１に記載の呼吸マスク。
【請求項３６】
前記入口管は、後側内面および前側内面を含み、前記後側内面は、前記入口開口部から離れて延在し、かつ前記前側内面に向かって角度が付けられる、請求項３１に記載の呼吸マスク。
【請求項３７】
前記凹部は、前記入口管を収容する、請求項２７〜３０のいずれか一項に記載の呼吸マスク。
【請求項３８】
前記ハウジングは、前記入口開口部の反対側および前記フレームの下方の前記ハウジングの前面に位置決めされるバイアス通気口を含み、前記バイアス通気口は、前記フレームの下縁の下方で空気を排気するように構成される、請求項２１に記載の呼吸マスク。
【請求項３９】
マスクアセンブリであって、
フルフェイスマスクシール、および
バイアス通気口を含むハウジング
を含むマスクアセンブリ、
前記マスクアセンブリを加圧空気の供給部に接続するように構成されたフレームであって、少なくとも１つのヘッドギアコネクタを画成する本体を含むフレーム
を含む呼吸マスクであって、前記バイアス通気口は、入口アパーチャ開口部の反対側および前記フレームの下方の前記ハウジングの前面に位置決めされ、および前記バイアス通気口は、前記フレームの下縁の下方で空気を排気するように構成され、前記フレームの前記本体は、窒息防止弁のガス流路の少なくとも一部を画成する、呼吸マスク。
【請求項４０】
前記フレームは、前記フレームの前記本体に結合され、かつ呼吸管に接続されるように構成された管コネクタを含み、前記管コネクタは、前記入口開口部を画成する、請求項３９に記載の呼吸マスク。
【請求項４１】
前記管コネクタは、前記窒息防止弁の弁部材を前記フレームの前記本体に固定する、請求項４０に記載の呼吸マスク。
【請求項４２】
前記フレームは、前記マスクアセンブリを前記フレームに固定するように構成されたマスクコネクタを画成し、前記マスクコネクタは、前記ガス流路の一部を画成し、および前記入口開口部および窒息防止弁からのガスの流れを受け入れるように構成され、かつ前記マスクアセンブリに前記ガスの流れを送給するように構成される、請求項３９〜４１のいずれか一項に記載の呼吸マスク。
【請求項４３】
前記フレームの前壁は、前記呼吸マスクの前記ガス流路の一部を画成する、請求項４０〜４２のいずれか一項に記載の呼吸マスク。
【請求項４４】
前記ハウジングは、前記窒息防止弁を含む前記フレームの少なくとも一部を収容する凹部を画成する、請求項３９〜４３のいずれか一項に記載の呼吸マスク。
【請求項４５】
鼻密封部分は、左鼻密封面および右鼻密封面を含み、前記シールの鼻開口部に最も近い各密封面の内側部分は、全体的に平坦である、請求項３９〜４４のいずれか一項に記載の呼吸マスク。
【請求項４６】
前記密封面のそれぞれの外側部分は、湾曲しており、前記外側部分の曲率半径は、前記外側部分のそれぞれにおいて後ろから前の方向に減少する、請求項４５に記載の呼吸マスク。
【請求項４７】
前記左および右密封面間に画成される角度は、後ろから前の方向に増加する、請求項４５または４６に記載の呼吸マスク。
【請求項４８】
前記ガス流路の一部を画成し、かつ前記フレームの前記本体に対して固定される入口管をさらに含む、請求項３９〜４７のいずれか一項に記載の呼吸マスク。
【請求項４９】
前記入口管は、前記フレームの前記本体と一体的に形成される、請求項３９〜４８のいずれか一項に記載の呼吸マスク。
【請求項５０】
前記入口管は、前記前壁の底部領域から下方に延在する、請求項４８に記載の呼吸マスク。
【請求項５１】
前記入口管は、前記前壁の前面と連続的な表面を画成する前面を含む、請求項４８に記載の呼吸マスク。
【請求項５２】
前記入口管は、少なくとも部分的に前記前壁の後方に位置決めされる、請求項４８に記載の呼吸マスク。
【請求項５３】
前記入口管は、後側内面および前側内面を含み、前記後側内面は、前記入口開口部から延在し、かつ前記前側内面に向かって角度が付けられる、請求項４８に記載の呼吸マスク。
【請求項５４】
前記凹部は、前記入口管を収容する、請求項４８に記載の呼吸マスク。
【請求項５５】
前記ハウジングは、前記入口アパーチャの反対側および前記フレームの下方の前記ハウジングの前面に位置決めされるバイアス通気口を含み、前記バイアス通気口は、前記フレームの下縁の下方で空気を排気するように構成される、請求項３９に記載の呼吸マスク。
【請求項５６】
シールおよびハウジングを含むマスクアセンブリと、
前記マスクアセンブリに取り外し可能に結合されるフレームであって、入口開口部であって、それを通して加圧空気の供給が前記マスクアセンブリに提供される、入口開口部を含むフレームと、
前記入口開口部と流体連通する窒息防止弁と
を含む呼吸マスクであって、前記ハウジングは、前記窒息防止弁を含む前記フレームの少なくとも一部を収容する弁凹部を含む、呼吸マスク。
【請求項５７】
前記弁凹部は、凹面領域を画成する、請求項５６に記載の呼吸マスク。
【請求項５８】
前記凹面領域は、前記入口開口部の下方に位置決めされる、請求項５７に記載の呼吸マスク。
【請求項５９】
前記凹面領域は、前記入口開口部に隣接して位置決めされる、請求項５７に記載の呼吸マスク。
【請求項６０】
前記弁凹部は、前記入口開口部の最大幅を下回る幅を有する、請求項５６〜５９のいずれか一項に記載の呼吸マスク。
【請求項６１】
前記弁凹部は、前記弁の少なくとも一部を受け入れ得る、請求項５６に記載の呼吸マスク。
【請求項６２】
前記弁凹部は、前記弁の少なくとも後面部を受け入れ得る、請求項６１に記載の呼吸マスク。
【請求項６３】
前記弁凹部は、前記弁の１つ以上の弁出口の少なくとも一部を受け入れ得る、請求項６１に記載の呼吸マスク。
【請求項６４】
前記弁凹部は、前記弁の後面の湾曲に対応する曲面を有する、請求項５６〜６３のいずれか一項に記載の呼吸マスク。
【請求項６５】
前記弁凹部は、前記弁が前記シール内に凹ませて位置決めされることを可能にするように構成される、請求項５６〜６３のいずれか一項に記載の呼吸マスク。
【請求項６６】
前記弁凹部および前記弁は、前記マスクアセンブリの全体深さを減少させ、かつ使用者にとって前記マスクアセンブリを目立たなくするように構成される、請求項５６〜６５のいずれか一項に記載の呼吸マスク。
【請求項６７】
前記弁凹部および前記弁は、前記弁が前記シールの底縁に対してより高く位置決めされることを可能にするように構成される、請求項５６〜６６のいずれか一項に記載の呼吸マスク。
【請求項６８】
前記弁凹部および前記弁は、入口アパーチャの長さを低減するように構成される、請求項５６〜６６のいずれか一項に記載の呼吸マスク。
【発明の詳細な説明】
【技術分野】
【０００１】
関連出願の相互参照
本出願は、２０１６年１０月５日出願の米国仮特許出願第６２／４１３，６０４号明細書、２０１７年１０月２６日出願の米国仮特許出願第６２／４１３，２８０号明細書および２０１６年１０月２７日出願の米国仮特許出願第６２／４０４，３４１号明細書に対する優先権を主張し、これらのそれぞれの全体が参照により本書に援用される。
【０００２】
本開示は、呼吸療法のためのインターフェースアセンブリに関する。特に、本開示は、使用者の鼻の鼻梁を覆わない鼻下型（ｕｎｄｅｒ−ｎｏｓｅ）のインターフェースアセンブリに関する。
【背景技術】
【０００３】
閉塞性睡眠時無呼吸（ＯＳＡ）を患う患者では、通常、上気道を開いた状態に保つ筋肉が、寝ている間、気道が圧迫されるかまたは完全に塞がれる程度に弛緩し、この現象が、いびきの形態で現れる。これがある期間にわたって生じると、患者の脳は、一般に、低酸素症の恐れを認識し、および気道を開かせるために、部分的に患者を覚醒させて、正常呼吸を再開させ得る。患者は、睡眠セッション当たり数百回も生じ得るこれらの覚醒エピソードに気付かないことがあり得る。この部分的な覚醒状態は、患者の睡眠の質を著しく低下させる可能性があり、時間が経つにつれて、日中の過剰な眠気、慢性疲労、高心拍数、血圧の上昇、体重増加、頭痛、被刺激性、鬱病および不安を含む、様々な症状を生じる可能性がある。
【０００４】
閉塞性睡眠時無呼吸は、一般に、気道陽圧（ＰＡＰ）療法を行うことによって治療される。ＰＡＰ療法は、大気圧を上回る治療圧力で、患者にガス流を送出することを含み、この治療圧力は、無呼吸、呼吸低下および／または流れの制限の頻度および／または持続期間を減少させる。この療法は、気道陽圧装置を使用して、加圧気流を、導管を通って、患者の顔に位置決めされた患者用インターフェースまたはマスクによって患者まで送出することによって実施されることが多い。
【０００５】
ガスの投与を含む、ＰＡＰ療法または他の呼吸療法と一緒に使用される一般的なタイプの１つの患者用インターフェースアセンブリは、インターフェースアセンブリの使用者の鼻の鼻梁と接触するシールを含む。鼻の鼻梁は、インターフェースアセンブリのシールによって加えられる圧力に敏感である。最近になって、鼻の鼻梁に接触しないインターフェースアセンブリが入手できるようになってきている。そのようなインターフェースアセンブリは、「鼻下型」インターフェースアセンブリと呼ばれ得る。快適さおよび／または密封性が改善された改良型の鼻下型インターフェースアセンブリを提供するための、または有用な選択肢を公衆に提供するためのニーズが存在する。
【発明の概要】
【課題を解決するための手段】
【０００６】
本明細書で説明するシステム、方法および装置は、発明的な態様を有し、そのいずれの１つも不可欠ではなく、またはそれらの所望の特質について単独でその要因となるものでもない。特許請求の範囲を限定することなく、有利な特徴のいくつかを以下に要約する。
【０００７】
いくつかの構成では、陽圧呼吸療法を提供することにおいて使用するためのインターフェースは、マスクシールを有するマスクアセンブリを含む。マスクアセンブリは、使用者の顔の鼻の鼻梁よりも十分に低く位置決めされ、かつ使用者の鼻の露出された鼻梁を提供するように構成される。マスクシールは、少なくとも１つの鼻開口部を含む鼻領域を含む。マスクシールは、鼻領域の第１の側部における第１のパドルおよび鼻領域の第２の側部における第２のパドルを含む。第１のパドルは、使用者の鼻の一方の側面に接触するように構成され、および第２のパドルは、使用者の鼻の他方の側面に接触するように構成される。第１のパドルは、第１のパドルの前側から第１のパドルの後側まで延在する第１のカットアウト領域を含む。第２のパドルは、第２のパドルの前側から第２のパドルの後側まで延在する第２のカットアウト領域を含む。
【０００８】
いくつかの構成では、マスクシールは、マスクシールの鼻領域を支持するように構成された支持構造をさらに含む。
【０００９】
いくつかの構成では、マスクシールは、フレームパドルを受け入れるように構成された上部の窪んだ前面を含む窪んだ前面を含む。
【００１０】
いくつかの構成では、第１のカットアウト領域は、低減された壁厚さを含む。
【００１１】
いくつかの構成では、第１のカットアウト領域は、第１のカットアウト領域の長さに沿って位置決めされた第１の凹状部分を含み、および第２のカットアウト領域は、第２のカットアウト領域の長さに沿って位置決めされた第２の凹状部分を含む。
【００１２】
いくつかの構成では、第１の凹状部分は、第１のパドルに力が加えられるときに第１のカットアウト領域を内向きに折り畳むことができるように構成され、および第２の凹状部分は、第２のパドルに力が加えられるときに第２のカットアウト領域を内向きに折り畳むことができるように構成される。
【００１３】
いくつかの構成では、マスクシールは、マスクシールの外周側に沿って位置決めされる凹面領域を含む。
【００１４】
いくつかの構成では、第１のカットアウト領域は、第１の内側領域および第１の外側領域を含む。第１の内側領域は、第１の内側領域に力が加えられるときに第１の外側領域に向かって圧縮するように構成される。第２のカットアウト領域は、第２の内側領域および第２の外側領域を含む。第２の内側領域は、第２の外側領域に力が加えられるときに第２の外側領域に向かって圧縮するように構成される。
【００１５】
いくつかの構成では、第１のカットアウト領域は、第１のパドルの後側の一部にわたって少なくとも鼻開口部の第１の側面まで延在する。
【００１６】
いくつかの構成では、陽圧呼吸療法を提供することにおいて使用するためのインターフェースは、マスクシールを有するマスクアセンブリを含む。マスクアセンブリは、使用者の顔の鼻の鼻梁よりも十分に低く位置決めされ、かつ使用者の鼻の露出された鼻梁を提供するように構成される。マスクシールは、少なくとも１つの鼻開口部を含む鼻領域を含む。マスクシールは、鼻領域の第１の側部における第１のパドルおよび鼻領域の第２の側部における第２のパドルを含む。第１のパドルは、使用者の鼻の一方の側面に接触するように構成され、および第２のパドルは、使用者の鼻の他方の側面に接触するように構成される。マスクアセンブリは、前面上部をさらに含む。前面上部は、窪んだ前面部を含む。いくつかの構成では、マスクアセンブリは、前面上部の上方周辺と窪んだ前面部との間に段付き移行部をさらに含む。
【００１７】
いくつかの構成では、段付き移行部は、第１のパドルおよび第２のパドルの周辺の湾曲に従う。
【００１８】
いくつかの構成では、段付き移行部は、深さにおいて変化する。
【００１９】
いくつかの構成では、段付き移行部は、深さが段付き移行部の下方末端部において最小であるようにテーパが付けられる。
【００２０】
いくつかの構成では、段付き移行部の深さは、マスクシールのサイズに依存する。
【００２１】
いくつかの構成では、マスクアセンブリは、フレームをさらに含む。窪んだ前面部は、フレームの少なくとも一部を受け入れるように構成される。
【００２２】
いくつかの構成では、段付き移行部は、フレームの厚さ以上である最大深さを有する。
【００２３】
いくつかの構成では、前面上部は、第１および第２のパドルの前側に形成された第１の上方の角および第２の上方の角をさらに含む。
【００２４】
いくつかの構成では、段付き移行部は、段付き移行部の深さが、第１の上方の角および第２の上方の角において、第１の上方の角と第２の上方の角との間の中間部分におけるよりも大きいように変化する深さを含む。
【００２５】
いくつかの構成では、インターフェースは、マスクアセンブリに取り外し可能に接続可能なフレームを含む。
【００２６】
いくつかの構成では、フレームは、フレームパドルを含む。
【００２７】
いくつかの構成では、フレームパドルは、マスクアセンブリに組み立てられると、窪んだ前面に差し込まれてかつ／または窪んだ前面内に位置決めされる。
【００２８】
いくつかの構成では、フレームパドルの外表面は、上部の窪んだ面と同一平面に載置される。
【００２９】
いくつかの構成では、フレームは、シールの鼻領域に追加的な支持を提供する。
【００３０】
いくつかの構成では、フレームは、シールの前側の鼻領域に追加的な剛性を提供する。
【００３１】
いくつかの構成では、フレームパドルは、鼻領域に支持を提供する。
【００３２】
いくつかの構成では、フレームパドルは、使用時、シールパドルが使用者の鼻から離れて撓むことを防止することを促進する。
【００３３】
いくつかの構成では、フレームパドルは、マスクシールが過度に変形される場合、フレームパドルが使用者の顔に接触するかまたは食い込むことを防止することを促進し得る。
【００３４】
いくつかの構成では、窪んだ前面は、様々なサイズを有するマスクアセンブリで単一サイズのフレームの使用が実施されることを可能にする。
【００３５】
いくつかの実施形態によれば、陽圧呼吸療法を提供することにおいて使用するためのインターフェースは、マスクアセンブリおよびフレームを含み得る。マスクアセンブリは、マスクシールを含み得る。マスクアセンブリは、使用者の顔の鼻の鼻梁よりも十分に低く位置決めされ、かつ使用者の鼻の露出された鼻梁を提供し得る。マスクシールは、鼻領域を含み得る。鼻領域は、少なくとも１つの鼻開口部を含み得る。マスクシールは、鼻領域の第１の側部における第１のパドルおよび鼻領域の第２の側部における第２のパドルを含み得る。第１のパドルは、使用者の鼻の一方の側面に接触し得、および第２のパドルは、使用者の鼻の他方の側面に接触し得る。フレームは、マスクアセンブリに取り外し可能に結合され得る。マスクアセンブリは、ハウジングを含み得る。ハウジングは、入口と、入口を囲む凹状の前面とを含み得る。入口は、マスクアセンブリの内部チャンバーへの流路を画成し得る。
【００３６】
いくつかの構成では、インターフェースは、接続特徴によってフレームに接続されるエルボーを含む。
【００３７】
いくつかの構成では、接続特徴は、スナップフィット配置構成を含み、それにより、フレームは、エルボーのスロットにスナップ嵌めされ得る。
【００３８】
いくつかの構成では、接続特徴は、スナップフィット配置構成を含み、それにより、エルボーは、エルボーから外向きに延在する複数のリブを含む。複数のリブは、フレームを受け入れるためのスロットを形成し得る。
【００３９】
いくつかの構成では、フレームは、エルボーを少なくとも部分的に受け入れるような形状にされる。
【００４０】
いくつかの構成では、エルボーは、大気からエルボーの内部空間への流路を提供するように構成された弁口を含む。
【００４１】
いくつかの構成では、弁口は、凹状の前面に対面し、および弁口および凹状の前面は、流路を画成し、それにより、弁口の領域は、流路の最も小さい領域を形成する。
【００４２】
いくつかの構成では、マスクアセンブリは、使用者によって呼気された空気を排気するように構成されたバイアス通気口を含み得る。
【００４３】
いくつかの構成では、陽圧呼吸療法を提供することにおいて使用するためのインターフェースは、マスクシールを有するマスクアセンブリを含む。マスクアセンブリは、使用者の顔の鼻の鼻梁よりも十分に低く位置決めされ、かつ使用者の鼻の露出された鼻梁を提供するように構成される。マスクシールは、少なくとも１つの鼻開口部を含む鼻領域を含む。マスクシールは、鼻領域の第１の側部における第１のパドルおよび鼻領域の第２の側部における第２のパドルを含む。第１のパドルは、使用者の鼻の一方の側面に接触するように構成され、および第２のパドルは、使用者の鼻の他方の側面に接触するように構成される。マスクアセンブリは、マスクアセンブリに取り外し可能に結合されたフレームをさらに含み、フレームは、ヘッドギアクリップに接続するように構成されたクリップ保持特徴を含む。ヘッドギアクリップは、上部ストラップスロット、下部ストラップスロット、引き手ならびに上部および下部ストラップスロットの外側部と引き手との間に位置決めされたアパーチャを含む。
【００４４】
いくつかの構成では、クリップ保持特徴は、使用者によって呼気された空気を排気するように構成された開口部を提供する。
【００４５】
いくつかの構成では、ヘッドギアクリップは、インサートを含み、それにより、引き手は、オーバーモールドされた配置構成の少なくとも一部を形成する。
【００４６】
いくつかの構成では、フレームは、ヘッドギアクリップの対応するキー固定用ノッチに係合するように構成されたキー固定用隆起を含む。
【００４７】
いくつかの構成では、キー固定用隆起は、第１のクリップ保持特徴の１つの側面に位置決めされ、およびキー固定用隆起は、ヘッドギアクリップを接続するのに適切な向きを示すように構成される。
【００４８】
いくつかの構成では、フレームは、少なくとも２つの開口部を含む。
【００４９】
いくつかの構成では、ヘッドギアクリップは、手指グリップおよび親指グリップを含み、手指グリップおよび親指グリップは、使用者に提供されるオーバーモールドグリップを形成し、手指グリップは、ヘッドギアクリップの外側凹面に沿って親指グリップの横方向に反対側に位置決めされる。
【００５０】
いくつかの構成では、ヘッドギアクリップは、マスクシールの前面上部に隣接して位置決めされ、それにより、ヘッドギアクリップは、マスクシールが膨らむことを防止する。
【００５１】
いくつかの実施形態によれば、呼吸マスクは、マスクアセンブリおよびフレームを含み得る。マスクアセンブリは、シールおよびハウジングを含み得る。シールは、鼻密封部分および口密封部分を含み得る。シールは、使用者の鼻および口にガスの流れを提供し得る。ハウジングおよびシールは、呼吸チャンバーを形成し得る。フレームは、マスクアセンブリに取り外し可能に結合され得る。フレームは、本体、入口開口部であって、それを通して加圧空気の供給がマスクアセンブリに提供される、入口開口部、および入口開口部と流体連通する窒息防止弁を含み得る。フレームの本体は、窒息防止弁のガス流路の少なくとも一部を画成し得る。
【００５２】
いくつかの構成では、フレームは、フレームの本体に結合された管コネクタを含む。フレームは、呼吸管に接続し得る。管コネクタは、入口開口部を画成し得る。
【００５３】
いくつかの構成では、管コネクタは、窒息防止弁の弁部材をフレームの本体に固定し得る。
【００５４】
いくつかの構成では、フレームは、マスクコネクタを画成し得る。マスクコネクタは、マスクアセンブリをフレームに固定し得る。マスクコネクタは、ガス流路の一部を画成し得る。マスクコネクタは、入口開口部および窒息防止弁からのガスの流れを受け入れ得る。マスクコネクタは、マスクアセンブリにガスの流れを送給し得る。
【００５５】
いくつかの構成では、フレームの前壁は、呼吸マスクのガス流路の一部を画成し得る。
【００５６】
いくつかの構成では、ハウジングは、窒息防止弁を含むフレームの少なくとも一部を収容する凹部を画成し得る。
【００５７】
いくつかの構成では、鼻密封部分は、左鼻密封面および右鼻密封面を含み得る。シールの鼻開口部に最も近い各密封面の内側部分は、全体的に平坦であり得る。
【００５８】
いくつかの構成では、密封面のそれぞれの外側部分は、湾曲し得る。外側部分の曲率半径は、外側部分のそれぞれにおいて後ろから前の方向に減少し得る。
【００５９】
いくつかの構成では、左および右密封面間に画成される角度は、後ろから前の方向に増加し得る。
【００６０】
いくつかの構成では、マスクは、ガス流路の一部を画成し、かつフレームの本体に対して固定される入口管を含む。
【００６１】
いくつかの構成では、入口開口部は、フレームの本体と一体的に形成される。
【００６２】
いくつかの構成では、入口管は、前壁の底部領域から下方に延在する。
【００６３】
いくつかの構成では、入口管は、前壁の前面と連続的な表面を画成する前面を含む。
【００６４】
いくつかの構成では、入口管は、少なくとも部分的に前壁の後方に位置決めされる。
【００６５】
いくつかの構成では、入口管は、後側内面および前側内面を含む。後側内面は、入口から離れて延在し得、かつ前側内面に向かって角度が付けられ得る。
【００６６】
いくつかの構成では、凹部は、入口管を収容する。
【００６７】
いくつかの構成では、ハウジングは、入口アパーチャの反対側およびフレームの下方のハウジングの前面に位置決めされるバイアス通気口を含む。バイアス通気口は、フレームの下縁の下方で空気を排気し得る。
【００６８】
いくつかの実施形態によれば、呼吸マスクは、マスクアセンブリおよびフレームを含み得る。マスクアセンブリは、フルフェイスマスクシールおよびハウジングを含み得る。ハウジングは、バイアス通気口を含み得る。フレームは、マスクアセンブリを加圧空気の供給部に接続し得、かつ少なくとも１つのヘッドギアコネクタを画成する本体を含み得る。バイアス通気口は、入口アパーチャの反対側およびフレームの下方のハウジングの前面に位置決めされ得、およびバイアス通気口は、フレームの下縁の下方で空気を排気し得る。フレームは、窒息防止弁のガス流路の少なくとも一部を画成し得る。
【００６９】
いくつかの構成では、フレームは、窒息防止弁の少なくとも１つの弁出口を画成し得る。
【００７０】
いくつかの構成では、フレームは、フレームの本体に結合された管コネクタを含む。フレームは、呼吸管に接続し得る。管コネクタは、入口開口部を画成し得る。
【００７１】
いくつかの構成では、管コネクタは、窒息防止弁の弁部材をフレームの本体に固定し得る。
【００７２】
いくつかの構成では、フレームは、マスクコネクタを画成し得る。マスクコネクタは、マスクアセンブリをフレームに固定し得る。マスクコネクタは、ガス流路の一部を画成し得る。マスクコネクタは、入口開口部および窒息防止弁からのガスの流れを受け入れ得る。マスクコネクタは、マスクアセンブリにガスの流れを送給し得る。
【００７３】
いくつかの構成では、フレームの前壁は、呼吸マスクのガス流路の一部を画成し得る。
【００７４】
いくつかの構成では、ハウジングは、窒息防止弁を含むフレームの少なくとも一部を収容する凹部を画成し得る。
【００７５】
いくつかの構成では、鼻密封部分は、左鼻密封面および右鼻密封面を含み得る。シールの鼻開口部に最も近い各密封面の内側部分は、全体的に平坦であり得る。
【００７６】
いくつかの構成では、密封面のそれぞれの外側部分は、湾曲し得る。外側部分の曲率半径は、外側部分のそれぞれにおいて後ろから前の方向に減少し得る。
【００７７】
いくつかの構成では、左および右密封面間に画成される角度は、後ろから前の方向に増加し得る。
【００７８】
いくつかの構成では、マスクは、ガス流路の一部を画成し、かつフレームの本体に対して固定される入口管を含む。
【００７９】
いくつかの構成では、入口開口部は、フレームの本体と一体的に形成される。
【００８０】
いくつかの構成では、入口管は、前壁の底部領域から下方に延在する。
【００８１】
いくつかの構成では、入口管は、前壁の前面と連続的な表面を画成する前面を含む。
【００８２】
いくつかの構成では、入口管は、少なくとも部分的に前壁の後方に位置決めされる。
【００８３】
いくつかの構成では、入口管は、後側内面および前側内面を含む。後側内面は、入口から離れて延在し得、かつ前側内面に向かって角度が付けられ得る。
【００８４】
いくつかの構成では、凹部は、入口管を収容する。
【００８５】
いくつかの構成では、ハウジングは、入口アパーチャの反対側およびフレームの下方のハウジングの前面に位置決めされるバイアス通気口を含む。バイアス通気口は、フレームの下縁の下方で空気を排気し得る。
【００８６】
いくつかの実施形態によれば、呼吸マスクは、マスクアセンブリおよびフレームを含み得る。マスクアセンブリは、シールおよびハウジングを含み得る。フレームは、マスクアセンブリに取り外し可能に結合され得る。フレームは、入口開口部であって、それを通して加圧空気の供給がマスクアセンブリに提供される、入口開口部、および入口開口部と流体連通する窒息防止弁を含み得る。ハウジングは、窒息防止弁を含むフレームの少なくとも一部を収容する弁凹部を含み得る。
【００８７】
いくつかの構成では、弁凹部は、凹面領域を画成する。
【００８８】
いくつかの構成では、凹面領域は、入口の下方に位置決めされる。
【００８９】
いくつかの構成では、凹面領域は、入口に隣接して位置決めされる。
【００９０】
いくつかの構成では、弁凹部は、入口の最大幅を下回る幅を有する。
【００９１】
いくつかの構成では、弁凹部は、弁の少なくとも一部を受け入れ得る。
【００９２】
いくつかの構成では、弁凹部は、弁の少なくとも後面部を受け入れ得る。
【００９３】
いくつかの構成では、弁凹部は、弁の１つ以上の弁出口の少なくとも一部を受け入れ得る。
【００９４】
いくつかの構成では、弁凹部は、弁の後面の湾曲に対応する曲面を有する。
【００９５】
いくつかの構成では、弁凹部は、弁がシール内に凹ませて位置決めされることを可能にするように構成される。
【００９６】
いくつかの構成では、弁凹部および弁は、マスクアセンブリの全体深さを減少させ、かつ使用者にとってマスクアセンブリを目立たなくするように構成される。
【００９７】
いくつかの構成では、弁凹部および弁は、弁がシールの底縁に対してより高く位置決めされることを可能にするように構成される。
【００９８】
いくつかの構成では、弁凹部および弁は、入口アパーチャの長さを低減するように構成される。
【００９９】
図面を通して、参照要素の全体的な対応を示すために参照符号を再使用し得る。図面は、本明細書で説明する例示的な実施形態を説明するために提供され、および本開示の範囲を限定することを意図するものではない。
【図面の簡単な説明】
【０１００】
【図１】使用者の頭に位置決めされた、本開示のいくかの特徴、態様および利点を有するインターフェースアセンブリの斜視的な前面図である。
【図２】使用者の頭に位置決めされた、図１のインターフェースアセンブリの上面図である。
【図３】使用者から離され、かつヘッドギアのない、図１のインターフェースアセンブリのインターフェース部分の斜視的な後面図である。
【図４】図１のインターフェースアセンブリのマスクアセンブリの斜視的な前面図である。
【図５】マスクアセンブリのマスクシールの厚みのある領域を示す、図４のマスクアセンブリの後面図である。
【図６】マスクシールの厚みのある領域を示す、図４のマスクアセンブリの側面図である。
【図７】マスクアセンブリのマスクシールのカットアウト領域を示す、マスクアセンブリの後面図である。
【図８】マスクシールのカットアウト領域を示す、図７のマスクアセンブリの上面図である。
【図９Ａ】マスクシールのカットアウト領域を示す、マスクアセンブリの前面図である。
【図９Ｂ】マスクシールのカットアウト領域を示す、図９Ａの線Ａ−Ａに沿って取ったマスクアセンブリの断面図である。
【図９Ｃ】図９Ｂのカットアウト領域を示す、図９Ａのマスクアセンブリの拡大図である。
【図９Ｄ】マスクシールのカットアウト領域を示す、図９Ａのマスクアセンブリの後面図である。
【図１０Ａ】全体的に非圧縮のマスクアセンブリのマスクシールのカットアウト領域を示す、マスクアセンブリの部分的な上面図である。
【図１０Ｂ】部分的に圧縮されるマスクシールのカットアウト領域を示す、図１０Ａのマスクアセンブリの上面図である。
【図１０Ｃ】部分的に圧縮されるマスクシールのカットアウト領域を示す、図１０Ａのマスクアセンブリの上面図である。
【図１１Ａ】全体的に非圧縮のマスクシールのカットアウト領域を示す、図１０Ａのマスクアセンブリの斜視的な上面図である
【図１１Ｂ】部分的に圧縮されるマスクシールのカットアウト領域を示す、図１０Ａのマスクアセンブリの上面図である。
【図１２】マスクシールのカットアウト領域を示す、マスクアセンブリのマスクシールの後面図である。
【図１３】マスクシールのカットアウト領域を示す、図１２のマスクアセンブリの部分的な後面図である。
【図１４】マスクシールのカットアウト領域を示す、図１２のマスクアセンブリの上面および後面の斜視図である。
【図１５】マスクシールのカットアウト領域を示す、図１２のマスクアセンブリの上面図である。
【図１６】マスクアセンブリの窪んだ面を示す、マスクアセンブリの斜視的な前面図である。
【図１７】マスクアセンブリの窪んだ面およびフレームを示す、図１６のマスクアセンブリの前面および側面の斜視図である。
【図１８Ａ】マスクアセンブリの窪んだ面を示す、図１６のマスクアセンブリの後面図である。
【図１８Ｂ】マスクアセンブリの窪んだ面を示す、図１６のマスクアセンブリの前面図である。
【図１９Ａ】マスクアセンブリの窪んだ面を示す、マスクアセンブリの前面図である。
【図１９Ｂ】マスクアセンブリの窪んだ面を示す、図１９Ａのマスクアセンブリの前面および側面の斜視図である。
【図２０】図１９Ａのマスクアセンブリのフレームの前面および側面の斜視図である。
【図２１Ａ】マスクアセンブリの組み立てを示す、図１９Ａのマスクアセンブリの分解図である。
【図２１Ｂ】マスクアセンブリの組み立てを示す、図１９Ａのマスクアセンブリの分解図である。
【図２２Ａ】マスクフレームの組み立てを示す、マスクアセンブリの前面図である。
【図２２Ｂ】マスクフレームの組み立てを示す、図２２Ａのマスクアセンブリの後面図である。
【図２３Ａ】マスクフレームの組み立てを示す、マスクアセンブリの後面および側面の斜視図である。
【図２３Ｂ】マスクフレームの組み立てを示す、図２３Ａのマスクアセンブリの後面および側面の斜視図である。
【図２４】マスクアセンブリの窪んだ面を示す、マスクアセンブリの前面図である。
【図２５】マスクアセンブリの窪んだ面を示す、図２４のマスクアセンブリの横断面図である。
【図２６】マスクアセンブリの窪んだ面を示す、マスクアセンブリの部分的な横断面図である。
【図２７】マスクアセンブリの窪んだ面を示す、マスクアセンブリの底面図である。
【図２８】図２６のエルボー設計を示す、マスクアセンブリの分解図である。
【図２９】ヘッドギアクリップおよびクリップ保持特徴を示す、マスクアセンブリの前面および側面の斜視図である。
【図３０Ａ】クリップ保持特徴を示す、図２９のマスクアセンブリの前面および側面の斜視図である。
【図３０Ｂ】図２９のマスクアセンブリのヘッドギアクリップの前面および側面の斜視図である。
【図３１Ａ】クリップ保持特徴を示す、図２９のマスクアセンブリの上面図である。
【図３１Ｂ】クリップ保持特徴を示す、図２９のマスクアセンブリの前面および側面の斜視図である。
【図３２Ａ】図２９のマスクアセンブリのフレームの前面図である。
【図３２Ｂ】図２９のマスクアセンブリのフレームの後面図である。
【図３３Ａ】図２９のマスクアセンブリのヘッドギアクリップの前面図である。
【図３３Ｂ】図２９のマスクアセンブリのヘッドギアクリップの後面および側面の斜視図である。
【図３３Ｃ】クリップの一部を透明にして下部の構造を明らかにする、図２９のマスクアセンブリのヘッドギアクリップの側面図である。
【図３３Ｄ】クリップの一部を透明にして下部の構造を明らかにする、図２９のマスクアセンブリのヘッドギアクリップの前面図である。
【図３３Ｅ】クリップの一部を透明にして下部の構造を明らかにする、図２９のマスクアセンブリのヘッドギアクリップの側面および後面の斜視図である。
【図３４Ａ】マスクアセンブリのフレームアセンブリの前面および側面の斜視図である。
【図３４Ｂ】図３４Ａのマスクアセンブリのフレームアセンブリの前面図である。
【図３５Ａ】図３４Ａのマスクアセンブリのフレームの前面図である。
【図３５Ｂ】図３４Ａのマスクアセンブリのフレームの後面図である。
【図３６Ａ】図３４Ａのマスクアセンブリの第１のヘッドギアクリップの前面図である。
【図３６Ｂ】図３４Ａのマスクアセンブリの第２のヘッドギアクリップの前面図である。
【図３７Ａ】図３４Ａのマスクアセンブリの第１のヘッドギアクリップの側面図である。
【図３７Ｂ】図３４Ａのマスクアセンブリの第２のヘッドギアクリップの側面図である。
【図３７Ｃ】図３４Ａのマスクアセンブリの第２のヘッドギアクリップの後面図である。
【図３７Ｄ】図３４Ａのマスクアセンブリの第１のヘッドギアクリップの後面図である。
【図３８Ａ】図３４Ａのマスクアセンブリの第１のクリップ保持特徴の側面図である。
【図３８Ｂ】図３４Ａのマスクアセンブリの第１のヘッドギアクリップアセンブリの側面図である。
【図３９Ａ】図３４Ａのマスクアセンブリの第２のヘッドギアクリップアセンブリの側面図である。
【図３９Ｂ】図３４Ａのマスクアセンブリの第２のクリップ保持特徴の外部から見た側面図である。
【図３９Ｃ】図３４Ａのマスクアセンブリの第２のクリップ保持特徴の内部から見た側面図である。
【図４０】図３４Ａのマスクアセンブリのフレームアセンブリの上面の断面図である。
【図４１】図３４Ａのマスクアセンブリのフレームアセンブリの後面図である。
【図４２】図３４Ａのマスクアセンブリのフレームアセンブリの上面および前面の斜視図である。
【図４３】図３４Ａのマスクアセンブリのフレームアセンブリの底面および前面の斜視図である。
【図４４】クリップ保持特徴および通気口特徴を示す、インターフェースアセンブリの前面図である。
【図４５】クリップ保持特徴および通気口特徴を示す、図４４のインターフェースアセンブリの前面および側面の斜視図である。
【図４６】クリップ保持特徴および通気口特徴を示す、図４４のインターフェースアセンブリの前面図である。
【図４７】図４４のインターフェースアセンブリのヘッドギアクリップの断面図である。
【図４８】図４４のインターフェースアセンブリのヘッドギアクリップの断面図である。
【図４９】インターフェースアセンブリの前面および上面の斜視図である。
【図５０Ａ】空気供給導管を含む、マスクアセンブリの前面、上面および側面の斜視図である。
【図５０Ｂ】図５０Ａのマスクアセンブリの後面、上面および側面の斜視的な拡大図である。
【図５１Ａ】図５０Ａのマスクアセンブリのフレームの前面図である。
【図５１Ｂ】図５０Ａのマスクアセンブリのフレームの後面図である。
【図５２】図５０Ａのマスクアセンブリのフレームの側面図である。
【図５３】図５１Ａの線５３−５３に沿って取った、図５０Ａのマスクアセンブリのフレームの横断面図である。
【図５４】図５１Ａの線５４−５４に沿って取った、図５０Ａのマスクアセンブリのフレームの横断面図である。
【図５５】図５２の線５５−５５に沿って取った、図５０Ａのマスクアセンブリのフレームの前側から見た断面図である。
【図５６】図５０Ａのマスクアセンブリのフレームの底面図である。
【図５７】図５０Ａのマスクアセンブリのフレームの前面、底面および側面の斜視的な分解図である。
【図５８】図５０Ａのマスクアセンブリのフレームの後面、底面および側面の斜視的な分解図である。
【図５９】入口軸およびクッションコネクタ軸を示す、図５０Ａのマスクアセンブリのフレームの横断面図である。
【図６０】図５０Ａのマスクアセンブリのマスクシールの前面、上面および側面の斜視図である。
【図６１】図５０Ａのマスクアセンブリのマスクシールの後面図である。
【図６２】図５０Ａのマスクアセンブリのマスクシールの前面図である。
【図６３】図５０Ａのマスクアセンブリのマスクシールの側面図である。
【図６４】図５０Ａのマスクアセンブリのマスクシールの横断面図である。
【図６５】図５０Ａのマスクアセンブリのマスクシールの一部の後面の拡大図である。
【図６６】図５０Ａのマスクアセンブリのマスクシールの上面図である。
【図６７Ａ】図６６の線６７Ａ−６７Ａに沿って取った、図５０Ａのマスクアセンブリのマスクシールの後側から見た断面図である。
【図６７Ｂ】図６６の線６７Ｂ−６７Ｂに沿って取った、図５０Ａのマスクアセンブリのマスクシールの後側から見た断面図である。
【図６７Ｃ】図６６の線６７Ｃ−６７Ｃに沿って取った、図５０Ａのマスクアセンブリのマスクシールの後側から見た断面図である。
【図６７Ｄ】図６６の線６７Ｄ−６７Ｄに沿って取った、図５０Ａのマスクアセンブリのマスクシールの後側から見た断面図である。
【図６７Ｅ】図６６の線６７Ｅ−６７Ｅに沿って取った、図５０Ａのマスクアセンブリのマスクシールの後側から見た断面図である。
【図６７Ｆ】図６６の線６７Ｆ−６７Ｆに沿って取った、図５０Ａのマスクアセンブリのマスクシールの後側から見た断面図である。
【図６８】図５０Ａのマスクアセンブリの側面図である。
【図６９】図５０Ａのマスクアセンブリの横断面図である。
【図７０】図５０Ａのマスクアセンブリの前面図である。
【図７１】図５０Ａのマスクアセンブリの底面図である。
【図７２Ａ】図５０Ａのマスクアセンブリの上側から見た断面図である。
【図７２Ｂ】図５０Ａのマスクアセンブリの底面図である。
【図７３】ヘッドギアアセンブリを示す、インターフェースアセンブリの側面図である。
【図７４】平らに置かれた向きにあるヘッドギアアセンブリの外部表面の図である。
【図７５】平らに置かれた向きにある図７４のヘッドギアアセンブリの内部表面の図である。
【発明を実施するための形態】
【０１０１】
システム、構成要素ならびに組立および製造方法の実施形態を、以下、添付図面を参照して説明し、図面では、同様の符号は、全体を通して同様のまたは類似の要素を示す。いくつかの実施形態、例および説明を下記に開示するが、当業者には、本明細書で説明する本発明は、具体的に開示した実施形態、例および説明を逸脱し、かつ本発明の他の使用法ならびに明らかな修正形態およびその均等物を含み得ることを理解されたい。本明細書で提示される説明において使用される用語法は、単に本発明のいくつかの具体的な実施形態の詳細な説明と併せて使用されるため、なんら限定または制限するものであると解釈されるものではない。さらに、本発明の実施形態は、いくつかの新規の特徴を含むことができ、および単一の特徴が、その所望の特性について単独でその要因となるものではなく、または本明細書で説明する本発明を実施するために必須なものでもない。
【０１０２】
ある種の用語法は、参照するためにのみ以下の説明で使用され得るため、限定を意図するものではない。例えば、「上」および「下」などの用語は、図面における言及される方向を指す。「前」、「後」、「左」、「右」、「後方」および「側」などの用語は、検討中の構成要素または要素を説明する本文および関連図面を参照することにより明らかにされる、一貫しているが任意の座標系内での構成要素または要素の部分の向きおよび／または位置を説明する。例えば、文脈によって表わされ得るように、用語「前」および／または前方は、本明細書で説明するようなマスクアセンブリが使用者によって装用されるとき、使用者の顔に対して比較的または完全に遠位に位置決めされる、本明細書で説明する構成要素に対して使用され得る。文脈によって表わされ得るように、用語「後方」および／または「後」は、本明細書で説明するようなマスクアセンブリが使用者によって装用されるとき、使用者の顔に対して比較的または完全に近位に位置決めされる、本明細書で説明する構成要素および／またはマスクアセンブリの前方または前にある構成要素に対して使用され得る。さらに、「第１」、「第２」、「第３」などの用語は、別々の構成要素を説明するために使用され得る。そのような用語法は、具体的に上述した語、その派生語および同様に重要な語を含み得る。
【０１０３】
本明細書で説明する実施形態の１つ以上は、フェイスマスクで経験され得る様々な顔（例えば、鼻）の幾何学的形状の密封および適合の課題に取り組む。特に、実施形態の少なくともいくつかは、使用者の鼻の鼻梁の下を、および外鼻孔の周りを密封する患者用インターフェース、例えばフェイスマスクに関する。しかしながら、本明細書で開示する実施形態は、他のフルフェイスマスク（例えば、使用者の鼻の鼻梁を部分的に覆うおよび／または密封するものなど）にも適合され得る。
【０１０４】
本明細書で説明する実施形態の１つ以上は、様々な顔の幾何学的形状において、鼻下型のシールによる満足のいくシールを生じるという課題に対処する。鼻梁と接触する従来の鼻マスクまたはフルフェイスマスクと比べて、使用者の顔での設置面積が削減された鼻下型の鼻マスクまたは鼻−口複合型マスクは、使用者の顔とのシールを維持することをより困難にし、かつ様々な顔の幾何学的形状に適合するように構成され得る。鼻の周りおよびその下方での密封性には、使用者毎の顔の幾何学的形状に見られるばらつきに起因する課題が生じ得る。本明細書で説明する実施形態の１つ以上は、例えば、特定の使用者での装着に応答してまたはマスクシール内の圧力に応答してマスクシールの鼻部分を拡張できるようにする。いくつかの構成では、マスクシールの鼻部分は、幅の増加に対する抵抗を比較的低くできるように構成され得る。そのような配置構成は、単一のマスクシールが、比較的細い鼻を有する使用者および比較的幅広の鼻を有する使用者との満足のいくシールを生じることができるようにする。例えば、比較的細い鼻を有する使用者に使用されるとき、鼻部分の幅は、拡張しないかもしくは幅が広くならなくてもよく、またはわずかにのみ拡張するかもしくは幅が広くなり得る。鼻部分の幅は、比較的幅広の鼻を有する使用者に使用されるとき、著しくまたは最大限まで拡張するかまたは幅が広くなり得る。しかしながら、少なくともいくつかの構成では、拡張されるときでも、鼻部分は、使用者の鼻に不快なレベルの力を加えない。そのような配置構成は、有利には、使用者の顔とマスクシールとの間に満足のいくシールを維持し得る。
【０１０５】
図１〜７５は、使用者の顔上での位置および使用者の顔から離れた位置の両方にあるマスクアセンブリ２１００およびその構成要素を示す。図示のマスクアセンブリ２１００は、鼻および口複合型マスクであり、本明細書では鼻−口マスクと称し得る。図示のマスクアセンブリ２１００は、使用者の鼻の下側を、鼻に対して横方向に延在する顔の一部に沿ってかつ使用者の口の周りを密封するように設計される。マスクアセンブリ２１００は、有利には、使用者の鼻の鼻梁との接触を必要としない。図示の構成では、マスクアセンブリ２１００は、使用者の鼻の鼻梁の上側にわたって延在しない。より詳細には、図示のマスクアセンブリ２１００は、使用者の鼻の鼻梁に接触しない。さらにより詳細には、図示のアセンブリ２１００は、使用者の鼻の鼻梁の前向きの部分と接触しない。いくつかの構成では、アセンブリ２１００は、使用者の眼の下縁に沿って延在するほぼ水平の平面よりも垂直方向に高い領域において、顔と接触しない。マスクアセンブリ２１００は、使用者の鼻尖の上方に延在してもまたはしなくてもよい。そのため、いくつかの構成では、マスクアセンブリ２１００は、鼻尖を覆う。いくつかの構成では、マスクアセンブリ２１００のシールは鼻尖を覆う。いくつかの構成では、図示のマスクアセンブリ２１００は、好ましくは、使用者の鼻尖を覆い隠さない。いくつかの構成では、またはいくつかの顔の幾何学的形状に従って、使用者の鼻尖は、マスクアセンブリ２１００の隣接部分の上方に延在する。
【０１０６】
図示の通り、マスクアセンブリ２１００は、好ましくは、鼻孔の周りに丸みを帯びた隆起を形成するように広がる鼻翼または小鼻の周りに延在しかつその上側を密封するように適合される。図示のマスクアセンブリ２１００は、鼻柱（ｃｏｌｕｍｅｌｌａ）と呼ばれることもある鼻中隔の肉付きのよい外側端部の一部または全体を含み得る、鼻孔への開口部を画成する表面の周りを密封するように適合される。いくつかの構成では、マスクアセンブリ２１００は、上方に延在して、使用者の鼻の背部の左および右の側壁の少なくとも一部に沿って密封するように適合される。いくつかの構成では、マスクアセンブリ２１００は、使用者の鼻の鼻梁の領域まで上方には延在せずに、背部の左および右の側壁の少なくとも一部に沿って、上方に延在するように適合される。いくつかの構成では、マスクアセンブリ２１００の主密封面は、使用者の鼻の下面と、場合により上唇および／または鼻の下面と上唇との間の移行領域とに接触する。マスクの副密封面は、使用者の鼻の側面と、場合により鼻に近い位置にある頬とに接触し得る。そのような主および副密封面は、全ての使用者の顔には接触しないことがあり得る。しかしながら、そのような配置構成は、比較的広範囲の顔の幾何学的形状との好適な密封をもたらし得る。マスクアセンブリ２１００は、好ましくは、使用者の口の少なくとも一部の周りも密封する。マスクアセンブリ２１００は、使用者の口と鼻との間を密封するように適合されてもまたはされなくてもよい。
【０１０７】
図示の通り、マスクアセンブリ２１００は、例えば、ベース、ハウジングまたはマスクシェル２１０２などのマスク支持体を含む（例えば、図４を参照されたい）。マスクシールまたはクッション２１０４は、ハウジング２１０２に取り付けられ、それにより、ハウジング２１０２がマスクシール２１０４にある程度の量の支持をもたらし得る。しかしながら、他の構成では、マスクシール２１０４は、支持体を含まなくてもよく、および関連のインターフェースアセンブリの別の構成要素に直接組み立てられるように適合され得る。いくつかの構成では、ハウジング２１０２は、図示のハウジングよりも実質的に小さいことができる。例えば、ハウジング２１０２は、マスクアセンブリ２１００を別の構成要素、例えばフレームおよび／または導管コネクタ（例えば、エルボー）に取り付けることができるようにする開口部を画成でき、およびハウジング２１０２は、マスクアセンブリ２１００の他の部分に直接的な支持をもたらすことなく、開口部に局所化され得る。
【０１０８】
マスクアセンブリ２１００は、任意の好適な配置構成のヘッドストラップまたはヘッドギア２１８０に接続できるようにするフレーム２１７８と係合し得るか、または他の方法でそれによって支持され得る。マスクアセンブリ２１００は、フレーム２１７８に調整して固定されて、アセンブリを正しい向きにのみすることを可能にする。いくつかの構成では、ヘッドストラップまたはヘッドギア２１８０は、マスクアセンブリ２１００に直接結合され、およびフレーム２１７８は、他の目的のために使用され得るか、または省略され得る。導管コネクタ２１０６がまた、ハウジング２１０２、フレーム２１７８に取り付けられ得るか、または他の方法で、マスクアセンブリ２１００の内部空間に対して支持され、かつそれと連通するように適合され得る。同時に、フレーム２１７８およびヘッドギア２１８０は、マスクアセンブリ２１００を、使用者の顔上で適所に支持し得る。まとめて、マスクアセンブリ２１００、フレーム２１７８およびヘッドギア２１８０は、インターフェースアセンブリと呼ばれ得る。マスクアセンブリ２１００またはフレーム２１７８と組み合わせたマスクアセンブリ２１００は、インターフェースと呼ばれ得る。
【０１０９】
図示の導管コネクタ２１０６は、限定されるものではないが、本出願の他の箇所で説明されるいずれかの方法を含む任意の好適な方法で、フレーム２１７８および／またはハウジング２１０２に接続され得る。例えば、限定されるものではないが、コネクタ２１０６がハウジング２１０２に接続され得、それにより、コネクタ２１０６がハウジング２１０２に対して単軸の周りでまたは複数の軸の周りで旋回、回動また回転できる。いくつの構成では、コネクタ２１０６は、例えば限定されるものではないが、他の部分を画成するフレーム２１７８および／またはハウジング２１０２によって玉継手の一部を画成し得る。玉継手は、任意の好適な構成を有し得る。コネクタ２１０６は、マスクアセンブリ２１００の内部に加圧呼吸ガスを供給するためのガス導管、例えば供給導管などに接続されることを容易にする。場合により、コネクタ２１０６とガス導管との間の相対的な回転を可能にするスイベル結合または回転結合を含み得る任意の好適なコネクタ２１０６が使用され得る。
【０１１０】
図示の構成では、コネクタ２１０６は、例えば限定されるものではないがポリカーボネートエルボーなど、通気口を含むエルボーを含む。図示の配置構成では、通気口は、バイアス流れ孔２１１０を含む。しかしながら、通気口は、スロットなどの他の幾何学的形状もしくは配置構成または例えば構成要素間の制御式の漏れ口を含み得る。通気口は、騒音および／または隙間風を低減させる拡散材料も含み得る。バイアス流れ孔２１１０は、オリフィスの集合であり、これは、使用者によって呼息された二酸化炭素を再呼吸する可能性を低減させるために、排気しかつＣＯ２を流すように構成される。もっぱらコネクタ２１０６上にあるバイアス流れ孔２１１０を示すが、いくつかの構成では、バイアス流れ孔２１１０は、ハウジング２１０２、マスクシール２１０４、またはコネクタ２１０６、ハウジング２１０２およびシール２１０４のいずれかの組み合わせ、またはインターフェースアセンブリまたは関連の呼吸回路のいずれかの他の構成要素に設けられる。バイアス流れ孔２１１０は、任意の好適な横断面を有することができ、かつシリンダー状の砂時計形状にされる、両方向にテーパが付けられる、完全にまたは部分的にテーパが付けられる、完全にまたは部分的にシリンダー状で、横断面を変化させるような外形にされるなどであり得る。
【０１１１】
ハウジング２１０２は、概してマスクアセンブリ２１００に、およびより具体的にはマスクシール２１０４に、ある種の支持構造を提供する。ハウジング２１０２は、任意の好適な材料から形成され得る。いくつかの構成では、ハウジング２１０２は、かなり硬質の材料から形成される。いくつかの構成では、ハウジング２１０２は、ポリカーボネート材料などのプラスチック材料から形成される。いくつかの構成では、マスクアセンブリ２１００は、ハウジングから分離されるがそれに取り付けることができるマスクシールクリップを含むマスクシールを含み得る。そのような構成では、マスクシールクリップは、マスクシール２１０４をハウジング２１０２に接続する。そのような構成では、マスクシールおよびマスクシールクリップは、別々に形成されて、一緒に固定され得るか、またはマスクシールおよびマスクシールクリップは、単一の構成要素に組み込まれ得る。いくつかの構成では、マスクシールは、マスクシールクリップ上にオーバーモールドされ得、およびいくつかの構成では、マスクシール２１０４は、ハウジング２１０２上に直接オーバーモールドされ得、これは、例えば、化学的および／または機械的オーバーモールディングを含み得る。
【０１１２】
いくつかの構成では、ハウジング２１０２は、マスクアセンブリ２１００の前方壁のかなりの部分を含む。そのような配置構成は、マスクシール２１０４に有利なレベルの支持をもたらす。例えば、ハウジング２１０２は、マスクアセンブリ２１００の前方壁の口部分のかなりの部分を含む。いくつかの構成では、ハウジング２１０２は、全体的に、マスクアセンブリ２１００の口部分に制限され、および少なくとも影響を与える程度には、マスクアセンブリ２１００の鼻部分に延在しない。そのような配置構成は、マスクシール２１０４に支持をもたらし得る一方、有利には、マスクシール２１０４の鼻部分の動きまたは変形を可能にする。他の配置構成では、ハウジング２１０２は、必要に応じて鼻部分に追加的な支持体を提供するように鼻部分に延在し得る。図示の構成では、ハウジング２１０２は、中心部分２１１２から対向する側部部分２１１６の方に後方に延びる。中心部分２１１２は、コネクタ２１０６を受け入れるためのアパーチャ２１１４を含む。ハウジング２１０２は、中心部分２１１２および対向する側部部分２１１６のあらゆる場所で、全体的にまたは実質的に一定の高さを有し得る。他の配置構成では、ハウジング２１０２は、マスクシール２１０４の前部の形状を全体的に模倣する形状を形成することなどにより、高さが変動し得る。ハウジング２１０２の高さは、マスクシール２１０４の口部分の高さに実質的に等しいことができる。ハウジング２１０２の幅は、マスクアセンブリ２１００の口部分の全幅の少なくとも約４分の３など、マスクアセンブリ２１００の口部分の全幅のかなりの部分を含み得る。ハウジング２１０２のそのような配置構成は、マスクシール２１０４の中心および横方向部分を補強し得る。いくつかの構成では、ハウジング２１０２は、例えば、環状支持リングまたはフレームなど、最小限であり得る。
【０１１３】
マスクシール２１０４は、使用者の顔に対して密封するように設計される。マスクシール２１０４は、好ましくは、例えば限定されるものではないが、シリコーンなどの軟質材料で形成される。いくつかの構成では、マスクシール２１０４の少なくとも複数の部分が、使用者の快適さを向上するためにテクスチャー加工され得る。例えば、いくつかの構成では、図示のマスクシール２１０４を形成するために使用される型の少なくとも複数の部分が、少なくとも使用者の皮膚に接触するマスクシール２１０４の領域に表面テクスチャーをもたらすために、ビードブラストされ得る。マスクシール２１０４の１つ以上の表面をテクスチャー加工する他の技術が使用され得る。いくつかの構成では、表面テクスチャー加工を回避し、かつマスクシール２１０４の少なくとも顔に接触する面に滑らかな表面テクスチャーをもたらし、これにより、使用者の顔上でのマスクシール２１０４のグリップ力を向上させかつ密封特徴を改善し得ることが望ましいことがあり得る。
【０１１４】
上述の通り、図示のマスクシール２１０４は、鼻−口マスクシールを含み、そのため、少なくとも１つの口開口部２１２２および少なくとも１つの鼻開口部２１２４を含む。いくつかの構成では、マスクシール２１０４は、口−鼻複合型開口部を含み得る。いくつかの構成では、マスクシール２１０４は、２つ以上の鼻開口部２１２４を含み得る。いくつかの構成では、マスクシール２１０４は、例えばピロー、プロングなどの上部構造内に画成された鼻開口部２１２４を含み得る。いくつかの構成では、鼻開口部２１２４は、マスクシール２１０４のベース構造にオーバーモールドされ得るかまたは他の方法で固定され得る鼻用クッションまたはインサートによって画成され得る。そのような配置構成の例は、本出願人の公報国際公開第２０１４／０６２０７０号に開示されており、その全体を参照により本明細書に援用する。
【０１１５】
少なくとも１つの口開口部２１２２および少なくとも１つの鼻開口部２１２４は、好ましくは、マスクアセンブリ２１００内に画成される単一チャンバー２１２５と連通する。図示のマスクアセンブリ２１００のチャンバー２１２５は、ハウジング２１０２およびマスクシール２１０４によって少なくとも部分的に画成される。少なくとも１つの口開口部２１２２は、コネクタ２１０６を受け入れるかまたはそれと連通するアパーチャ２１１４に実質的に対向する。少なくとも１つの鼻開口部２１２４は、少なくとも１つの口開口部２１２２の垂直に上にあり得る。少なくとも１つの鼻開口部２１２４は、マスクアセンブリ２１００の前後方向において、コネクタ２１０６のためのアパーチャ２１１４と、少なくとも１つの口開口部２１２２との間に位置決めされ得る。少なくとも１つの鼻開口部は、垂直に対して傾斜している軸を有し、かついくつかの配置構成では全体的にコネクタ２１０６のためのアパーチャ２１１４を通って延在し得る。
【０１１６】
マスクシール２１０４は、好ましくは、マスクシール２１０４の中心部分の上部表面２１３０（例えば、図７を参照されたい）の上方へ上側に延在するパドル２１２６の対を含む。上部表面２１３０は、前後方向に、マスクシール２１０４の鼻表面の中心面に沿って存在する線を画成し得る。そのような線は、全体的に、使用者の顔から離れる方向に、鼻中隔に沿って延在する。パドル２１２６は、外鼻孔と並行に、およびいくつかの構成では外鼻孔の上方へ上側に延在するように構成される。パドル２１２６は、外鼻孔の縁および／または鼻の側面に接触し得る。パドル２１２６またはパドル２１２６間のマスクシール２１０４の複数の部分は、使用者の鼻尖を覆ってもまたは覆わなくてもよい。本明細書で説明するように、好ましくは、マスクシール２１０４は、使用者の鼻の鼻梁に接触しない。
【０１１７】
いくつかの構成では、パドル２１２６は、それぞれエアポケットを含み、このエアポケットは、コネクタ２１０６から少なくとも１つの鼻開口部２１２４および少なくとも１つの口開口部２１２２までマスクアセンブリ２１００を通る空気経路と直接流体連通する。パドル２１２６は、マスクシール２１０４内の圧力の上昇に応答して体積が拡張し、かつ／または様々な顔および鼻の幾何学的形状に適合するように内側に曲がって、使用者の顔との密封接触を生じることを支援するように構成され得る。パドル２１２６の拡張は、特に使用者の鼻でのおよびその周りの様々な外形に沿って使用者の顔に対する密封を支援し得る。パドル２１２６の内側の曲りにより、マスクシール２１０４の材料をあまり抑制せずにまたはあまり伸張させずに、中心部分（例えば、上部表面２１３０）を下方に動かすようにできるため、マスクシール２１０４は、様々な鼻の幾何学形状により良好に一致できる。同様に、下記でより詳細に説明するように、支持構造２１６３のカットアウト領域２２０２は、有利には、マスクシール２１０４内の圧力の上昇に応答して、マスクシールが使用者の顔との密封接触を維持することを可能にし得る。
【０１１８】
上部表面２１３０の上方のパドル２１２６の高さは、使用者の顔でのマスクシール２１０４の安定性（例えば、垂直安定性）と、ある範囲の鼻の幾何学的形状に適合できることまたはパドル２１２６による視覚的な崩壊の減少との間のバランスを望ましくするように選択され得る。概して、より高いパドル２１２６は、マスクアセンブリ２１００の追加的な垂直安定性をもたらす傾向を有する一方、より低いパドル２１２６は、広範な使用者により良好に適合し、あまり視覚的な崩壊を生じない傾向を有する。いくつかの構成では、パドル高さ２１２６は、約１０ｍｍ〜約３０ｍｍまたは約１５ｍｍ〜約２５ｍｍである。いくつかの構成では、パドル高さ２１２６は、約１５ｍｍ〜約２２ｍｍまたは約１８ｍｍ〜約２０ｍｍであり、上述の範囲内の任意の値または部分範囲を含む。いくつかの構成では、パドル高さは約１８．５ｍｍである。
【０１１９】
マスクシール２１０４は、パドル２１２６のための支持構造または支持体２１６３も含むことができ、これらの支持体は、マスクシール２１０４が使用者によって装用されるとき、パドル２１２６の形状を保持するための機械的剛性および構造をもたらすサスペンション部材またはバネの形態であり得る。支持体２１６３は、シール材料の厚みのある領域を含み得る。支持体２１６３は、好ましくは、パドル２１２６の後方または使用者に接触する面から、パドル２１２６の前方の面の方にまたはそこまで力を伝達するようなサイズにされ、形状にされ、かつ／または他の方法でそのように構成される。いくつかの構成では、インターフェースは、パドル２１２６のための支持部分またはカバーを含むことができ、および支持体２１６３は、パドル２１２６の後方の面から、支持部分またはカバーに接触または対面するパドル２１２６またはマスクシール２１０４の前方の面または他の部分まで力を伝達し得る。いくつかの構成では、支持体２１６３は、パドル２１２６の後方の面から、マスクシール２１０４の別の支持部分（例えば、ハウジング２１０２）またはインターフェースの方にまたはそこまで力を伝達し得る。支持体２１６３は、パドル２１２６またはマスクシール２１０４の他の関連のまたは隣接する部分が潰れるのに抵抗するかまたはそれを防止して、装着を容易にし、かつ加えられた力（例えば、ヘッドギアの力）に応答してなど、使用者にフィードバックを提供し得る。いくつかの構成では、支持体２１６３は、有意な内部ガス圧がない場合、パドル２１２６またはマスクシール２１０４の他の関連のまたは隣接する部分が潰れるのに抵抗するかまたはそれを防止し得る。
【０１２０】
支持体２１６３は、少なくとも、通常の使用中に経験する力に応答して、マスクシール２１０４のパドル２１２６の形状を維持することを促進し得、および／またはマスクシール２１０４の後壁（顔に接触する面を画成する）とマスクシール２１０４の前壁との間の分離を維持することを促進し得る。さらに、支持体２１６３は、鼻領域または鼻シール部分２１６８に支持をもたらし得る。特に、支持体２１６３は、鼻シール部分２１６８および／または前面上部２１５０に構造を提供し、かつそれらの折りじわ、しわまたは潰れを阻止または防止し得る。上述の通り、鼻領域２１６８および／または前面上部２１５０は、好ましくは、比較的薄く、マスクシール２１０４のこれらの部分が使用者の鼻に一致できるようにする。比較的薄い鼻領域２１６８および／または前面上部２１５０は、拡張して使用者の鼻の周りを密封し得る。使用者が使用者の鼻をマスクアセンブリ２１００に係合するとき、支持体２１６３は、比較的薄い鼻シール部分２１６８および／または前面上部２１５０に隣接してまたはそれらの近くにシール２１０４の硬質部分または要素を提供して、潰れを阻止または防止する。後面上部２１５６は、鼻領域２１６８および／または前面上部２１５０の潰れを防止することを支援し得る。
【０１２１】
いくつかの構成では、支持体２１６３は、使用中にパドル２１２６の顔に接触する部分にしわまたは折りじわが形成される可能性を低減させる一方、上述のように、横方向内側部分を実用的な制限内で必要に応じて可能な限り薄くできるようにするのに役立つ。支持体２１６３は、パドル２１２６の潰れを阻止もしくは防止するか、またはパドル２１２６の所望の形状を維持することを支援し得る。例えば、支持体２１６３は、パドル２１２６の所望の前後形状および／またはパドル２１２６の横方向または左右形状を維持することを支援し得る。提供される支持レベルは、異なる方向で異なり得る。いくつかの構成では、支持体２１６３は、シール材料とは別個の部分または別個の構成要素として形成でき、かつ同じまたは異なる材料であり得る。そのような別個の支持体２１６３は、必要に応じてパドル２１２６またはマスクシール２１０４の他の部分に結合され得る。本明細書で開示する支持体２１６３は、特に、鼻マスクおよび鼻−口複合型マスクの両方を含む鼻下型のマスクアセンブリにおいて有用であり得る。しかしながら、支持体２１６３は、例えば、限定されるものではないが、使用者の鼻の鼻梁を覆うか、それと接触するかもしくはそれを密封し、かつ／またはＴ字形部片もしくは他のタイプの額支持体を含むものを含め、他のタイプのマスクアセンブリまたはインターフェースでも用いられ得る。支持体２１６３は、潰れに対する支持および／または過拡張に対する支持が望まれ得るインターフェースのいずれかの箇所で用いられ得るか、またはそこで使用するように修正され得る。そのような個所は、使用者の鼻と接触またはそれと一緒に延在するシールの部分にまたはその近くにあり得るか、または他の箇所にあり得る。
【０１２２】
図示の配置構成では、支持体２１６３の少なくとも一部は、全体的にパドル２１２６に沿って前後方向に延在する。特に、支持体２１６３は、パドル２１２６の上縁に沿って、またはパドル２１２６の上縁に沿った、横方向外表面部分と横方向内表面部分とが接合する領域もしくはリッジに沿って延在し得る。支持体２１６３は、鼻領域２１６８の側面の一部に沿って延在し得る。支持体２１６３は、全体的に薄くて細長い形状を含み得る。上から見ると、支持体２１６３は、ほぼ三角形の形状を含むことができ、三角形の底辺が三角形の頂点または点の後方に位置決めされる。所望の支持レベルを達成するために、または隣接するかもしくは直近の構造の所望の形状などの他の設計の検討事項のために他の形状が可能である。支持体２１６３は、追加的な部分を有して他の支持レベルをもたらし得るか、または他の方向に支持をもたらし得る。例えば、支持体２１６３は、鼻開口部２１２４の前方側面または後方側面の一方または両方に沿ってなど、互いに接続し得る。いくつかの構成では、支持体２１６３は、パドル２１２６を通って、例えばハウジング２１０２までなど、完全に延在し得る。
【０１２３】
図７〜１８Ｂに示すように、パドル２１２６（または例えば、支持体２１６３）は、それぞれ薄いおよび／またはカットアウト領域２２０２を含み得る。カットアウト領域２２０２は、後方に延在し、かつ各パドル２１２６の鼻領域の下方に位置決めされる。いくつかの構成では、カットアウト領域２２０２は、後方に延在し、かつ各パドル２１２６の鼻領域に隣接して位置決めされる。しかしながら、他の構成では、カットアウト領域２２０２は、後方に延在し、かつ各パドル２１２６の鼻領域から横方向にオフセットして位置決めされる。カットアウト領域２２０２は、マスクシール２１０４の前面上部２１５０からマスクシール２１０４の後面上部２１５１まで延在して、カットアウト領域２２０２が各パドル２１２６の外側部分２２１０に巻き付くようにし得る。従って、いくつかの構成では、カットアウト領域２２０２は、全体的に湾曲しており、直線であり、かつ／または可変の湾曲を有する。いくつかの構成では、カットアウト領域２２０２は、前面上部２１５０から後面上部２１５１までおよび／または後面上部２１５１から前面上部２１５０まで傾斜され得る。いくつかの他の構成では、カットアウト領域２２０２は、実質的に平坦であるか、または最小限の傾斜を有する。
【０１２４】
図示の構成に示すように、カットアウト領域２２０２は、前面上部２１５０の少なくとも一部および後面部２１５１の少なくとも一部にわたって延在する。例えば、カットアウト領域２２０２は、マスクシール２１０４の外側部分２１１０の周りにおよび後面部２１５１にわたり、口開口部２１２２の上方の後面上部のほぼ中心に向かって延在する。いくつかの構成では、カットアウト領域２２０２は、後面上部および／または前面上部の約１／１６、１／８、１／４、および／または１／２以上にわたって延在する。いくつかの構成では、カットアウト領域２２０２は、後面上部２１５１にわたり、鼻領域２２００の鼻開口部２１２４の外側部の位置には到達しないある距離だけ延在する。
【０１２５】
図示の構成では、カットアウト領域２２０２は、パドル２１２６の鼻領域の下方に位置決めされる。しかしながら、他の構成では、カットアウト領域２２０２は、パドル２１２６の鼻領域の上方および／またはそれと同じ平面に位置決めされ得る。例えば、カットアウト領域２２０２は、パドル２１２６の鼻領域の下方の約０．１〜０．５ｍｍ、０．５〜１ｍｍ、１〜１０ｍｍ、１０〜５０ｍｍ、５０ｍｍ〜１ｃｍ、１ｃｍ〜２ｃｍおよび／または２ｃｍ〜３ｃｍ以上に位置決めされ得る。いくつかの構成では、カットアウト領域２２０２は、口開口部２１２２の上側にほぼ隣接して位置決めされる。さらに他の構成では、カットアウト領域２２０２は、鼻開口部２１２４の上方、下方および／またはそれと平面的に位置決めされる。しかしながら、いくつかの構成では、カットアウト領域２２０２は、パドル２１２６の外側部に沿って延在する。そのような構成では、カットアウト領域２２０２は、前面上部２１５０の一部および／または後面上部２１５１の一部にわたって延在しなくてもよく、およびパドル２１２６に限定されるかまたは鼻領域２２００内で終端してもよい。
【０１２６】
図７〜１８Ｂに示すように、マスクアセンブリ２１００の図示のマスクシール２１０４は、ある範囲および構成の厚さを含む。厚さは、図示のマスクシール２１０４の異なる領域において異なる特徴を利用するかまたは提供するように様々である。例えば、様々な領域の厚さは、その領域および／またはマスクシール２１０４全体に対する所望の特性に対処するように選択され得る。そのような特徴は、例えば、マスクシール２１０４が使用者の顔の幾何学的形状に一致できるようにして、密封性または快適さを高めるようにすること、装着を容易にする著しい内部ガス圧力がなく、および／または内部ガス圧力および／または外圧（例えば、ヘッドギアの力に起因する）に応答してマスクシールの形状を維持すること、または強度または耐久性をもたらすことを含み得る。
【０１２７】
上述の通り、マスクシール２１０４は、異なる厚さの様々な領域を含み得る。そのような配置構成の例は、本出願人の公報国際公開第２０１５／１９３８２１号に説明されており、その全体が参照により本明細書に援用される。概して、マスクシール２１０４の外表面は、方向の急激な変化がない比較的滑らかな形状の面または曲面を画成する。異なる厚さは、明らかな壁厚さの変化によって生じるか、またはマスクシール２１０４の内部表面の形状の変化によって生じる。
【０１２８】
支持体２１６３は、パドル２１２６の他の部分と異なる厚さを有することができ、およびパドル２１２６の他の部分よりも厚さが大きいことができる。いくつかの構成では、支持体２１６３は、最大厚さを有し得るか、またはマスクシール２１０４の最大厚さのうちの１つであり得る。いくつかの構成では、支持体２１６３の一部または全体厚さは、約１．５ｍｍ〜約３．５ｍｍであり得る。図示の構成では、支持体２１６３の一部または全体厚さは、約２．５ｍｍであり得る。支持体２１６３の厚さは、一定または可変であり得る。
【０１２９】
いくつかの構成では、パドルのための支持構造２１６３は、鼻領域２１６８および前面上部２１５０よりも厚い。いくつかの構成では、厚さの比較的急激な遷移は、鼻領域２１６８および前面上部２１５０およびパドル２１２６間で生じる。対照的に、外側周辺部２１６２、パドル２１２６および後面上部２１５１間の厚さの遷移は、より漸進的である。さらに、少なくともいくつかの構成では、外側周辺部２１６２、後面上部２１５１および口開口部２１２２間の厚さの遷移は、比較的漸進的である。マスクシール２１０４の様々な部分が、下記でさらに説明される。
【０１３０】
使用中、マスクシール２１０４の顔に接触する領域の少なくともいくつかでのしわの発生を減少させるために、外側周辺部２１６２が、隣接する部分またはマスクシール２１０４の他の部分と比較してかなり硬質または比較的硬質であるとき、一般的にマスクシール２１０４の顔に接触する部分のいくつかまたは全てに隣接する、マスクシール２１０４の外側周辺部２１６２は、所望の性能を提供することが見出された。図示の配置構成では、外側周辺部２１６２は、マスクシール２１０４の後部のほぼ垂直に延在する部分に沿って延在し、およびマスクシール２１０４の後部の底部でわずかに内側に巻き付く。さらに、外側周辺部２１６２は、マスクシールの後ろ向きの側面から、マスクシール２１０４の横向きの側面の少なくとも一部に巻き付いている。
【０１３１】
図示の配置構成では、外側周辺部２１６２は、口開口部２１２２の各外側部に配置される。いくつかの構成では、外側周辺部２１６２は、口開口部２１２２の全高に沿って延在する。外側周辺部２１６２の上端は、少なくとも口開口部２１２２の上端のあたりまで延在し得る。外側周辺部２１６２の下端部は、口開口部２１２２の下端部の下方に延在する。上述の通り、いくつかの構成では、外側周辺部２１６２は、口開口部２１２２の下方で内側に巻き付いて、外側周辺部２１６２の複数の部分が、口開口部２１２２の複数の部分の垂直方向に下側に位置決めされるようにする。
【０１３２】
外側周辺部２１６２の厚さが比較的厚くなることは、装着を容易にしかつ加えられた力（例えば、ヘッドギアの力）に応答するなどのフィードバックを使用者に提供する著しい内部ガス圧力がないとき、マスクシール２１０４の潰れに抵抗するかまたはそれを防止することを支援し得る。外側周辺部２１６２は、マスクシール２１０４の外側部の湾曲した形状を維持することを促進し得、および／または少なくとも通常の使用中に経験する力に応答してマスクシール２１０４の後壁（顔に接触する面を画成する）とマスクシール２１０４の前壁との間の分離を維持することを促進し得る。いくつかの構成では、外側周辺部２１６２の一部または全体厚さは、約１．０ｍｍ〜約２．０ｍｍであり得る。図示の構成では、外側周辺部２１６２の一部または全体厚さは、好ましくは、約１．５ｍｍである。外側周辺部２１６２の厚さは、外側周辺部２１６２の境界線内で一貫性があるかまたは様々であり得る。
【０１３３】
いくつかの構成では、カットアウト領域２２０２の壁厚さは、周囲の密封面（例えば、支持構造２１６３）と比べて薄い。例えば、カットアウト領域２２０２のいくつかまたは全ての壁厚さは、周囲の密封面と比べて薄くでき、少なくともいくつかの実施形態では、その全てまたは一部は、支持構造２１６３の全てまたは一部によって画成され得る。いくつかの構成では、周囲の密封面の壁厚さは、ほぼ３ｍｍである。上述の通り、外側周辺部２１６２を含む周囲の密封面のいくつかまたは全ての厚さは、約１．０ｍｍ〜約２．０ｍｍであり得る。しかしながら、支持構造２１６３のカットアウト領域２２０２は、例えば、約０．１〜０．２ｍｍ、０．２〜０．３ｍｍ、０．３〜０．４ｍｍ、０．４〜０．５ｍｍ、０．５〜０．６ｍｍ、０．６ｍｍ〜０．７ｍｍ、０．７〜０．８ｍｍ、０．８〜０．９ｍｍおよび／または０．９〜１．０ｍｍ以上の壁厚さを有し得る。図示の構成では、カットアウト領域２２０２の一部または全体は、好ましくは、約．３ｍｍの壁厚さを有する。カットアウト領域２２０２の厚さは、カットアウト領域２２０２の境界線内で一貫性があり得るかまたは様々であり得る。
【０１３４】
周囲の密封面と比べてカットアウト領域２２０２の壁厚さが薄いことは、望ましくは、周囲の密封面よりも変形可能および／または圧縮可能である領域を提供し得る。例えば、カットアウト領域は、周囲の密封面よりも硬質でなくかつ／またはより拡張でき得る。これは、例えば、より幅が広い鼻によってなど、パドル２１２６に横方向の力が加えられるときに望ましいことがあり得る。そのため、カットアウト領域２２０２は、カットアウト領域２２０２がないパドル２１２６、および／または支持構造２１６３があるかもしくはないパドル２１２６と比較して、より簡単に圧縮でき、パドル２１２６の鼻領域に加えられる横方向の力により良好に適応し得る。カットアウト領域２２０２は、硬質のままである代わりに、パドル２１２６が圧縮できるようにし、同時にマスクシールアセンブリの構造健全性を維持する（例えば、図１０Ａ〜１０Ｃ、図１１Ａ〜１１Ｂを参照されたい）。この構成は、マスクシールアセンブリを装用している患者にとってより快適であり得る。
【０１３５】
いくつかの構成では、マスクシール２１０４の支持構造２１６３のカットアウト領域２２０２は、凹状輪郭２２０４を含む。例えば、図８は、カットアウト領域２２０２がカットアウト領域２２０２の後面部２１６０に凹状輪郭２２０４を含むことを示す。図示の構成では、凹状輪郭２２０４の比較的低い点が各カットアウト領域２２０２の後面部２１６０のほぼ中心に位置決めされる。しかしながら、他の構成では、凹状輪郭は、一方の側により接近して位置決めされる。さらに他の構成では、カットアウト領域２２０２の凹状輪郭２２０４は、パドル２１２６の鼻領域により接近して位置決めされる。
【０１３６】
いくつかの構成では、カットアウト領域２２０２は、カットアウト領域２２０２の一部または全長に沿って凹状輪郭２２０４を含む。図示の構成では、凹状輪郭２２０４の比較的低い点は、カットアウト領域２２０２の幅のほぼ中心に位置決めされる。しかしながら、他の構成では、凹状輪郭は、一方の側により接近して位置決めされる。さらに他の構成では、カットアウト領域２２０２の凹状輪郭２２０４は、パドル２１２６の鼻領域により接近して位置決めされる。図８に示すように、凹状輪郭２２０４は、カットアウト領域２２０２の後面部２１６０に沿って滑らかに内向きに遷移する。いくつかの構成では、凹状輪郭２２０４は、比較的短い距離だけマスクシール２１０４の前面上部２１５０に向かって内向きに延在する。いくつかの構成では、凹状輪郭２２０４は、より実質的な距離だけマスクシール２１０４の前面上部２１５０に向かって内向きに延在する。いくつかの構成では、凹状輪郭２２０４は、カットアウト領域２２０２の後面部２１６０に沿って下方に延在する。
【０１３７】
一般的に、パドル２１２６の拡張は、特に使用者の鼻およびその周りでの変化する表面輪郭２２０６に沿った、使用者の顔に対する密封を支援し得る。例えば、図８に示すように、鼻領域２１６８は、表面輪郭２２０６を含む。表面輪郭２２０６は、鼻領域２１６８の内側面に沿って延在し得る。表面輪郭２２０６は、マスクシール２１０４の後面上部からマスクシール２１０４の前面上部２１５０の中心に向かって全体的に内向きに延在し得る。表面輪郭２２０６は、望ましくは、患者の快適さを高め、および使用者の顔とのシールが確実に形成されることを支援する一方、特定の使用者に適応するために必要に応じて鼻領域２１６８の外向きの動きを可能にする。
【０１３８】
図９Ａ〜９Ｄは、支持構造２１６３のカットアウト領域２２０２の凹状輪郭２２０４の拡大図を示す。図示の構成に示すように、凹状輪郭２２０４は、垂直方向に下方に（図９Ａ〜９Ｄに示す向きに対して）、およびマスクシール２１０４の内部に向かって内向きに延在し得る。そのため、凹状輪郭２２０４は、十分な力がパドル２１２６に加えられると、カットアウト領域２２０２がマスクシール２１０４の内部に向かって内向きに折り畳むことができるようにする。
【０１３９】
一般的に、凹状輪郭２２０４、表面輪郭２２０６および／またはカットアウト領域２２０２の薄い壁の厚さは、材料を減少させることに貢献し得る。これにより、望ましくは、嵩を減らし、および患者の快適さを高め得る。いくつかの構成では、凹状輪郭２２０４は、カットアウト領域２２０２の壁がマスクシールアセンブリの内部チャンバー２１２５に向かって内向きに折り畳むことを促し得る。これは、有利には、マスクシール２１０４が患者の顔にもたれて折り畳むため、嵩を減らし得る。同様に、カットアウト領域２２０２の凹状輪郭２２０４は、マスクシール２１０４が使用者によって装用されたときに使用者の顔とのシールがより良好となるため、漏れを最小限にすることを支援し得る。例えば、マスクシール２１０４が横方向に拡張するときに外向きに拡張しおよびまたは外向きに急に出るのではなく、有利には、カットアウト部分２２０２は、内向きに折り畳んで使用者の顔との係合を維持し、かつマスクシール２１０４が望ましくない位置に移ることを防止し得る。
【０１４０】
いくつかの構成では、凹状輪郭２２０４は、パドル２１２６に力が加えられたとき、カットアウト領域２２０２をより良好に圧縮できるようにする。上述の通り、凹状輪郭２２０４は、パドル２１２６に横方向の力が加えられると、カットアウト領域２２０２が横方向および／または垂直方向にかつ内向きに折り畳むことができるようにし得る。
【０１４１】
例えば、図１０Ａ〜１０Ｃおよび図１１Ａ〜１１Ｂは、マスクシール２１０４のカットアウト領域２２０２を示す、マスクアセンブリの上面図を示す。この例では、パドル２１２６の鼻領域２４０２に一定の横方向の力２４００が加えられる。いくつかの構成では、横方向の力２４００は、使用者の鼻が鼻領域２４０２のニュートラルな幅（例えば、鼻領域２４０２に加えられる横方向の力がないかまたは最小限であるとき）よりも広いことに起因する。しかしながら、図示しない他の構成では、力は、いずれの方向にも加えられ得、および／または変更され得る。図示の例に示すように、力２４００がパドル２１２６に加えられると、カットアウト領域２２０２は、圧縮し得る。図１０Ａは、力が加えられていないかまたはほとんど加えられていないときの例示的な構成を示す。図示の通り、支持構造２１６３は、内側領域２４０４および外側領域２４０６を含み、これらは、協働して、カットアウト領域２２０２を画成する。そのような構成では、カットアウト領域２２０２は、内側領域２４０４と外側領域２４０６とを分離する。パドル２１２６に力が全く加えられていないかまたは小さい力が加えられているとき、内側領域２４０４および外側領域２４０６の外側端部は、間隙２４０８によって離間される。図１０Ｂは、横方向の力２４００がパドル２１２６の鼻領域に加えられたときのマスクシール２１０４の構成を示す。図示の構成に示すように、内側領域２４０４は、カットアウト領域２２０２の外側領域２４０６の方に圧縮する。図示の構成では、外側領域２４０６は、横方向の力２４００がパドル２１２６の鼻領域に加えられたとき、比較的静止した状態のままである。図１０Ｂに示すように、間隙２４０８のサイズは、カットアウト領域２２０２の内側領域２４０４が圧縮されるにつれて小さくなる。パドル２１２６が圧縮されるにつれて、内側領域２４０４は、外側領域２４０６の方に動く。いくつかの構成では、鼻領域に加えられる力の量に依存して、カットアウト領域２２０２の内側領域２４０４は、外側領域２４０６に触れず、かつ／またはそれと重なり合わない。しかしながら、図１０Ｃに示すように、内側領域２４０４は、外側領域２４０６と触れ得、かつ／または少なくとも部分的に重なり合い得る。
【０１４２】
いくつかの構成では、マスクシール２１０４は、鼻密封面に柔軟性をもたらして、使用者の様々な鼻の幾何学的形状および異なるサイズの鼻領域、特に様々な鼻の幅の要求を満たし得る。いくつかのそのような構成では、本明細書で説明するシール２１０４は、使用者の鼻の外側で内向きに挟むことにより、使用者の下方の鼻表面とのシールを向上させる。
【０１４３】
図１２〜１５に示すように、マスクシールは、他のマスクシールと比べて狭くなった鼻領域幅２４１０を含み得る。鼻領域幅２４１０が狭いことは、望ましくは、使用者の鼻の側面との確実な係合が増した感じをもたらし得る。例えば、鼻領域幅２４１０は、マスクシール２１０４の上部の幅の約２分の１であり得る。いくつかの構成では、鼻領域幅２４１０は、マスクシール２１０４の上部の幅の約１／４である。いくつかの構成では、鼻領域幅２４１０は、マスクシール２１０４の中心からマスクシール２１０４の外側周辺部２１６２に向かって外向きに、口開口部２１２２の横方向の幅よりも短い距離だけ延在し得る。いくつかの構成では、鼻領域幅２４１０は、マスクシール２１０４の中心からマスクシール２１０４の外側周辺部２１６２に向かって外向きに、口開口部２１２２の横方向の幅とほぼ同じおよび／またはそれを上回る距離だけ延在する。いくつかの構成では、鼻領域幅２４１０は、マスクシール２１０４の中心からカットアウト領域２２０２まで外向きに延在する。
【０１４４】
いくつかの構成では、全鼻領域幅２４１２は、約２０ｍｍ〜２５ｍｍの幅、２５ｍｍ〜３０ｍｍの幅、３０ｍｍ〜３５ｍｍの幅、３５ｍｍ〜４０ｍｍの幅、４０ｍｍ〜４５ｍｍの幅、４５ｍｍ〜５０ｍｍの幅および／または５０ｍｍ以上の幅である。好ましくは、全鼻領域幅２４１２は、約４０ｍｍの幅である。
【０１４５】
いくつかの構成では、全鼻領域幅２４１２が狭いことにより、装用時に使用者の鼻の側面との係合を増し得る。そのため、上述の通り、マスクシール２１０４は、使用者の顔とのより良好なシールを提供し得る。そのような構成は、使用者が、マスクシール２１０４が正しく位置決めされ、かつ／または使用者の鼻と適切に密封されると感じることができるようにする。いくつかの構成では、マスクシール２１０４のパドル２１２６は、使用者の鼻に加えられる密封力を高めることにより、使用者の鼻で内向きに挟み得る。
【０１４６】
いくつかの構成では、マスクアセンブリは、前面部２４２０を含む。前面部２４２０は、窪んだ前面２４３０および１つ以上のスカラップ状の外側部２４４０を含み得る。例えば、図１６は、ハウジングまたはマスクシェル２１０２によって形成された窪んだ前面２４３０を含む、マスクアセンブリ２１００の例を示す。窪んだ面２４３０は、マスクシール２１０４の前側に位置決めされ得、およびフレーム２１７８を受け入れるように構成され得る。窪んだ前面２４３０は、シール２１０４が接合されるハウジングまたはマスクシェル２１０２の周囲の一部または全体に沿って形成され得る。図示の例では、窪んだ前面２４３０は、前面部２４２０の表面に段を形成する。窪んだ前面２４３０は、全体的に、ハウジング２１０２の周囲の側面および下縁に沿って延在する。いくつかの構成では、段は、その長さに沿って深さにテーパが付けられており、ハウジング２１０２の周囲の上縁に沿って段が全くまたはほとんどないようにして、シール２１０４がハウジング２１０２の周囲の上縁に沿ってハウジング２１０２と同一平面にあるようにする。
【０１４７】
段の深さは、シール２１０４のサイズに依存し得る。例えば、シール２１０４は、ある範囲の顔の寸法および顔の幾何学的形状である使用者に適合するようにある範囲のサイズで提供され得る。いくつかの構成では、シール２１０４は、単一サイズのハウジング２１０２に接合される。いくつかの構成では、ハウジング２１０２に対してシール２１０４のサイズが異なることにより、段の深さを決定する。いくつかの構成では、窪んだ前面２４３０は、一定の深さまたは可変深さで窪んでいる。例えば、窪んだ前面２４３０の深さは、窪んだ前面２４３０の表面全体を通して一定であり得る。しかしながら、いくつかの構成では、上部の窪んだ面２４３２（下記でより詳細に説明する）は、窪んだ前面２４３０の残りの領域の深さを下回るおよび／または上回る深さで窪んでいる。
【０１４８】
いくつかの構成では、前面部２４２０は、シール２１０４内に形成された上部の窪んだ面２４３２を含む。上部の窪んだ面２４３２は、前面上部２１５０に位置決めされ得る。図示の構成では、上部の窪んだ面２４３２は、パドル２１２６の前側に沿って位置決めされる。上部の窪んだ面２４３２は、マスクシール２１０４の前側面２４２２の外側周辺部２１６２に沿って延在し得る。上部の窪んだ面２４３２は、マスクシール２１０４の側面の周りで後方に延在し得る。いくつかの構成では、上部の窪んだ面２４３２は、実質的にマスクシール２１０４の外側周辺部２１６２の周りで巻き付いている。いくつかの構成では、上部の窪んだ面２４３２は、外側周辺部２１６２の一部にのみ位置決めされる。例えば、上部の窪んだ面２４３２は、シール２１０４の両側で前側面２４２２の高さのおよそ半分だけ下方に延在し得る。いくつかの構成では、上部の窪んだ面２４３２は、前側面２４２２の半分を下回っておよび場合により前側面２４２２の約１／３だけ下方に延在する。
【０１４９】
いくつかの構成では、上部の窪んだ面２４３２は、周辺の湾曲に沿って延在する前面上部２４２０の上方周辺またはパドル２１２６の上縁間に段付き移行部を形成する。いくつかの構成では、段付き移行部は、一定の深さまたは可変深さで延在する。例えば、段付き移行部の深さは、前面上部２４２０の上方周辺と窪んだ前面２４３０との間の段付き移行部全体を通して一定であり得る。しかしながら、いくつかの構成では、段付き移行部は、変化する。例えば、段付き移行部は、テーパが付けられ得る。この配置構成では、深さは、段付き移行部の下方または横方向末端部において最小であり得る。しかしながら、いくつかの実施形態では、深さは、段付き移行部の上方末端部において最小であり得る。
【０１５０】
段付き移行部の深さは、マスクシールのサイズを含むいくつもの要因に依存し得る。例えば、段付き移行部のテーパの深さは、より大型のマスクシールではより深く、またはより小型のマスクシールではより浅いことができる。いくつかの構成では、前面上部２４２０は、複数の上方の角を含む。例えば、前面上部２４２０は、第１の上方の角および／または第２の上方の角を含み得る。複数の上方の角は、パドル２１２６の前面部に形成され得る。複数の上方の角は、前面上部２４２０の周辺に沿って延在する上部の窪んだ面２４３２の周囲の全てまたは一部を画成し得る。
【０１５１】
いくつかの構成では、段付き移行部の深さおよび／または段付き移行部のテーパは、全体的に上方の角間（例えば、第１の上方の角と第２の上方の角との間）に位置決めされた中心上部と比べて複数の角において大きい。
【０１５２】
いくつかの構成では、窪んだ前面２４３０および／または上部の窪んだ面により、フレーム２１７８をマスクシール２１０４に挿入できるようにする。例えば、上部の窪んだ面２４３２は、フレーム２１７８の全てまたは一部を受け入れ得る。そのため、いくつかの構成では、上部の窪んだ面２４３２の段付き移行部は、フレームの厚さ以上である最大深さを有する。同様に、窪んだ前面２４３０は、フレーム２１７８の全てまたは一部を受け入れ得る。これらの構成は、有利には、幾分平坦な仕上げを提供し得、これは、使用者にとってより見た目が美しい。いくつかの構成では、マスクシール２１０４の視覚的なサイズが小さくされ得、かつ／またはマスクシールに使用される材料の量が削減され得る。そのため、いくつかの構成では、マスクシール２１０４は、使用者にとってあまり嵩張らず、および／またはあまり目立たない（例えば、図１７を参照されたい）。
【０１５３】
いくつかの構成では、上部の窪んだ面２４３２は、いくつかの密封クッションサイズでのみ提供され得る。例えば、上部の窪んだ面２４３２は、いくつかの中型または大型のマスクシール２１０４のみに提供され得る。いくつかの構成では、上部の窪んだ面２４３２は、いくつかの小型または中型のサイズのマスクシール２１０４に提供される。いくつかの構成では、上部の窪んだ面２４３２は、全てのサイズのマスクシール２１０４に存在し得る。上部の窪んだ面２４３２の深さは、マスクシール２１０４のサイズに依存して変化し得る。いくつかの構成では、窪んだ上部の深さは、小型および／または中型のマスクシール２１０４のためのフレーム２１７８の厚さと実質的に同じであり得、および深さは、大型のマスクシール２１０４（例えば、小型および／または中型のサイズのマスクシール２１０４よりも大きいサイズ）のためのフレーム２１７８の厚さを上回り得る。そのような構成では、これは、フレーム２１７８に覆いかぶさりかつ／またはそれを越えて延在するマスクシール２１０４を生じ得る。いくつかの構成では、上部の窪んだ面２４３２は、フレーム２１７８が複数のマスクシール２１０４に対して大き過ぎたりまたは小さ過ぎたりすることなく、複数の様々なサイズのマスクシール２１０４と一緒に単一サイズのフレームを使用できるように構成される。
【０１５４】
いくつかの構成では、上部の窪んだ面２４３２は、鼻密封面をより良好に支持する。例えば、図１７は、フレーム２１７８と、上部の窪んだ面２４３２に差し込まれたおよび／または上部の窪んだ面内に位置決めされたフレームパドル２１７９とを示す。図示の構成に示すように、フレームパドル２１７９は、上部の窪んだ面２４３２内に位置決めされ得る。この構成では、フレームパドル２１７９の外表面は、上部の窪んだ面２４３２と同一平面に載置される。この配置構成は、マスクシール２１０４の前側面２４２２およびパドル２１２６にさらなる剛性を提供することにより、鼻密封面を追加的に支持し得る。いくつかの構成では、フレームパドル２１７９は、望ましくは、シールパドル２１２６を支持する。そのような構成では、フレームパドル２１７９は、シールパドル２１２６が使用時に使用者の鼻から離れて撓むことを防止することを促進し得る。いくつかの構成では、この配置構成は、マスクシール２１０４が過度に変形される場合、フレームパドル２１７９が使用者の顔に接触するかまたは食い込むことを防止することを促進し得る。そのため、いくつかの構成では、窪んだ前面２４３０は、有利には、マスクシール２１０４を長い時間にわたってその構造に維持できるようにし、およびマスクシール２１０４の耐久性を高め得る。いくつかの構成では、窪んだ前面２４３０は、単一サイズのフレーム２１７８を、様々なサイズを有するマスクシール２１０４で使用できるようにする。そのため、いくつかの構成では、窪んだ前面２４３０は、マスクアセンブリの製造コストを削減する。
【０１５５】
図１８Ａおよび図１８Ｂは、スカラップ状の外側部２４４０を含むマスクシール２１０４の例を示す。スカラップ状の外側部２４４０は、有利には、マスクシール２１０４の材料の量を削減でき、およびより見た目が美しいかまたは視覚的に小さいマスクシール２１０４を提供し得る。図示の構成に示すように、マスクシール２１０４の外壁は、マスクシール２１０４の外側周辺部２１６２に沿って滑らかに移行する。しかしながら、他の構成では、外側周辺部２１６２は、少なくとも３つの別個のセクション（例えば、上部、中心部分および下部）を含むことができ、かつ外側周辺部２１６２は、各セクション間を滑らかに移行しないことがあり得る。
【０１５６】
図示の構成では、スカラップ状の外側部２４４０は、マスクシール２１０４の側面に沿って凹状部分を形成する。スカラップ状の外側部２４４０は、マスクシール２１０４の外側周辺部２１６２に沿ってパドル２１２６の下方に位置決めされ得る。いくつかの構成では、スカラップ状の外側部２４４０は、パドル２１２６の底部と少なくとも部分的に重なり合って位置決めされる。いくつかの構成では、スカラップ状の外側部２４４０は、全体的にパドル２１２６の下方に位置決めされる。いくつかの構成では、スカラップ状の外側部２４４０の凹状部分の中心２４４２は、口開口部２１２２の頂部とほぼ整列される。いくつかの構成では、凹状部分の中心２４４２は、口開口部２１２２の上方であるが、鼻領域２１６８の下方に位置決めされる。いくつかの構成では、凹状部分の中心２４４２は、鼻領域２１６８の上方に位置決めされる。
【０１５７】
いくつかの構成では、スカラップ状の外側部２４４０は、マスクシール２１０４の外側周辺部２１６２のおよそ２分の１に沿って延在する。いくつかの構成では、スカラップ状の外側部２４４０は、マスクシール２１０４の外側周辺部２１６２のおよそ１／８、１／４、１／３、３／４以上に沿って延在する。
【０１５８】
図示の構成に示すように、スカラップ状の外側部２４４０は、鼻領域２１６８を追加的に垂直方向に支持し得る。例えば、スカラップ状の外側部２４４０は、鼻領域に横方向の力が加えられるときおよび／またはマスクシール２１０４内の圧力が上昇するとき、追加的に支持し得る。例えば、スカラップ状の外側部２４４０は、マスクシール２１０４のいくつかある部分の中で特に、有利には、頬からマスクシール２１０４の側部にあるフレーム２１７８に荷重を伝達することを支援し得、それにより使用者の顔との係合を維持することを促進する。そのため、スカラップ状の外側部２４４０は、使用者の鼻とマスクシール２１０４との間の密封性を改善し得る。
【０１５９】
図１９Ａおよび図１９Ｂは、ハウジングまたはマスクシェル２１０２によって形成された窪んだ前面２４３０を含むマスクアセンブリ２１００の例を示す。窪んだ前面２４３０は、マスクシール２１０４の前側に位置決めされ得、かつフレーム２１７８の様々な構成を受け入れることができる。例えば、図１９Ａおよび図１９Ｂに示すように、フレーム２１７８およびフレームパドル２１７９は、シール２１０４によって全体または一部が画成され得る上部の窪んだ面２４３２に差し込まれ、かつ／または上部の窪んだ面内に位置決めされる。
【０１６０】
いくつかの構成では、ハウジング２１０２は、バイアス通気口２５０２を含み得る。バイアス通気口２５０２は、複数のオリフィスを含み得、これらのオリフィスは、使用者によって呼息された二酸化炭素を再呼吸する可能性を低減させるために排気しかつＣＯ２を流すように構成される。もっぱらハウジング２１０２上にあるバイアス通気口２５０２のオリフィスを示すが、いくつかの構成では、バイアス通気口２５０２は、マスクシール２１０４、エルボー２５２０もしくは他の導管コネクタ、またはハウジング２１０２、マスクシール２１０４、エルボー２５２０のいずれかの組み合わせ、またはインターフェースアセンブリもしくは関連の呼吸回路のいずれかの他の構成要素に設けられ得る。オリフィスは、任意の好適な横断面を有することができ、かつシリンダー状の砂時計形状にされるか、両方向にテーパが付けられるか、完全にもしくは部分的にテーパが付けられるか、完全にもしくは部分的にシリンダー状であるか、または横断面を変化させるような輪郭にされるなどであり得る。オリフィスの横断面は、オリフィスを通る排気を増加または減少させ得る。
【０１６１】
いくつかの構成では、フレーム２１７８は、エルボー２５２０を取り付け得、かつ／または他の方法で含み得る。図１９Ａおよび図１９Ｂは、エルボー２５２０がフレーム２１７８に取り付けられるマスクアセンブリ２１００の例を示すが、いくつかの構成では、エルボーは、いくつかあるマスク構成要素の中で特に、マスクハウジング２１０２および／またはマスクシール２１０４に直接取り付けられる。エルボーは、フレーム２１７８および／またはハウジング２１０２に取り外し可能にかつ／または永久に取り付けられ得る。エルボー２５２０は、非水平のコネクタを形成し得る。例えば、エルボー２５２０は、曲り部を含み得る。いくつかの構成では、エルボー２５２０は、いくつかある範囲の中で特に、約１０〜２０度、２０〜３０度、３０〜４０度、４０〜５０度、５０〜６０度、６０〜７０度、７０〜８０度および／または８０〜９０度の角度で曲がる。そのような構成は、望ましくは、マスクアセンブリの嵩高性を減少させ、材料を削減し、および／または空気の流れの向きを所望の方向に変え得る。いくつかの構成では、エルボー２５２０は、水平、垂直または直線である。
【０１６２】
エルボー２５２０は、上部および下部を含み得る。上部および下部は、上述のような曲り部によって分離され得る。エルボー２５２０は、特に、フレーム接続スロット２５３２、保持用ノッチ２５３４および入口コネクタ２５３０などの様々な接続特徴を含み得る。入口コネクタ２５３０は、エルボー２５２０の上部を形成して、入口コネクタ２５３０がマスクハウジング２１０２の入口２５１０と接続し得るようにする。入口コネクタ２５３０は、スナップフィット、圧入、締り嵌めおよび／または他の嵌合構成により、エルボー２５２０を入口２５１０に取り外し可能に接続し得る。従って、いくつかの構成では、エルボー２５２０は、一方の端部（例えば、下部）においてガス供給導管（図示せず）に接続され得、およびエルボー２５２０の別の端部（例えば、上部）に位置決めされた入口コネクタ２５３０は、流路を提供し、この流路を通して、加圧ガスの流れがマスクシール２１０４の内部チャンバー２１２５を通して使用者にもたらされる。
【０１６３】
フレーム接続スロット２５３２は、エルボー２５２０内にスロットまたはカットアウト部によって形成され得る。いくつかの構成では、フレーム接続スロット２５３２は、エルボー２５２０の隣接する表面部分から外向きに延在するリブなどの複数の突起によって形成され得る。例えば、図２６および図２８に示すように、エルボー２５２０は、エルボー２５２０から外向きに延在する２つのリブを含んで、フレーム２１７８のエルボーコネクタ２５１６を受け入れかつ／または保持する。図２１Ａおよび図２１Ｂに示すように、フレーム接続スロット２５３２は、エルボー２５２０の上部の端部からオフセットして位置決めされ得る。いくつかの構成では、フレーム接続スロット２５３２は、曲り部の一方の側部においてエルボー２５２０の下部に位置決めされる。フレーム接続スロット２５３２は、エルボー２５２０の周りに完全に巻き付き得る。いくつかの構成では、図示の通り、フレーム接続スロット２５３２は、エルボー２５２０の一部の周りにのみ延在する。
【０１６４】
いくつかの構成では、エルボー２５２０は、窒息防止（Ａ−Ａ）弁２５２２を含み得る。Ａ−Ａ弁２５２２は、周囲空気がマスク２１００に入ることができるようにする流路を提供し得る。例えば、場合により、流れ発生器がマスクにガスを供給できない場合、弁２５２２は、使用者に周囲空気へのアクセスをもたらす。
【０１６５】
Ａ−Ａ弁２５２２は、いくつかある構成要素の中で特に、弁フラップ２５２４、弁シートまたはリテーナ２５２６および弁口２５３６を含み得る。弁口２５３６は、大気からマスクシール２１０４の内部チャンバー２１２５に空気が流れるための経路を提供するために１つ以上の開口部を含み得る。弁口２５３６は、エルボー２５２０の一方の端部に位置決めされ得る。例えば、弁口２５３６は、エルボー２５２０の下部の後側２５４０に位置決めされ得、弁口２５３６が全体的にマスクシール２１０４またはマスクシール２１０４の凹状の前面２５０８の方に対面する開口部を形成するようにする（下記で説明するように）。いくつかの構成では、弁口２５３６は、エルボー２５２０の入口コネクタ２５３０の下方に位置決めされる。いくつかの構成では、弁口２５３６は、マスクシール２１０４の凹状の前面２５０８に対してほぼ平行である。いくつかの構成では、弁口２５３６は、マスクシール２１０４の凹状の前面２５０８に向かって下方に角度が付けられる。
【０１６６】
弁フラップ２５２４は、エルボー２５２０におよび／または弁シート２５２６の少なくとも一部に収まるように位置決めされ得る。弁フラップ２５２４は、弁口２５３６を開閉して、弁口２５３６を通って空気が流れることができるようにし得る。例えば、流れ発生器が使用者にマスクシール２１０４を通る空気流れをもたらすとき、弁フラップ２５２４は、弁シート２５２６に対して開放されており、それにより弁口２５３６を閉鎖する。流れ発生器がマスクシール２１０４に空気流れをもたらさないとき、弁フラップ２５２４は、弁シート２５２６に対して閉鎖されており、および弁口２５３６は、開放されて、使用者が弁口２５３６を通して周囲空気を吸息できるようにする。弁シート２５２６は、弁フラップ２５２４を動作可能位置に支持し得る。いくつかの構成では、弁シート２５２６は、弁フラップ２５２４が反転するかまたはエルボー２５２０から下方に延在することを防止するストッパを画成する。下記でより詳細に説明するように、いくつかの構成では、弁２５２２を含むエルボー２５２０は、マスクシール２１０４の凹状の前面の前方に位置決めされ得る。
【０１６７】
図２０は、マスクアセンブリ２１００に実装され得、かつ本明細書で説明するハウジング２１０２の実施形態に接続され得る例示的なフレーム２１７８を示す。フレーム２１７８は、様々な配置構成によってハウジング２１０２に取り付けられ得る。例えば、フレーム２１７８は、マスクシール２１０４内に摺動し得、および／またはいくつかある好適な取り付け配置構成の中で特に、スナップフィットまたは圧入により、マスクシール２１０４に取り付けられ得る。上述の通り、フレーム２１７８は、上部の窪んだ面２４３２を含むマスクシール２１０４の窪んだ前面２４３０に収まり得る。いくつかの構成では、フレーム２１７８は、マスクシール２１０４から繰り返し取り外し可能であり、マスクシール２１０４およびフレーム２１７８の一方または両方を交換できるように構成される。しかしながら、いくつかの構成では、フレーム２１７８は、マスクシール２１０４に永久に取り付けられ得る。
【０１６８】
いくつかの構成では、フレーム２１７８は、いくつかある特徴または構成要素の中で特に、少なくとも１つのヘッドギアコネクタ２５１２、通気アパーチャ２５１４および／またはエルボーコネクタ２５１６を含み得る。少なくとも１つのヘッドギアコネクタ２５１２は、ヘッドギアに接続し得、かつ／またはそれを受け入れ得る。いくつかの構成では、ヘッドギアコネクタ２５１２は、フレーム２１７８に形成され得る。例えば、フレーム２１７８は、１個、２個、３個、４個、５個および／または６個以上のヘッドギアコネクタ２５１２を含み得る。図２０に示すように、図示のフレーム２１７８は、対向するヘッドギアコネクタ２５１２の対を含み、これらのヘッドギアコネクタは、ヘッドギアのコネクタクリップなど、ヘッドギアの少なくとも一部をそれぞれ受け入れるスロットを形成する。
【０１６９】
少なくとも１つのヘッドギアコネクタ２５１２は、フレーム２１７８の前側に沿って位置決めされ得る。例えば、少なくとも１つのヘッドギアコネクタ２５１２は、フレーム２１７８の前側から外向きに（例えば、前方および／または横方向外向きに）延在し、およびヘッドギアを接続するためにフレーム２１７８のアパーチャの境界線を少なくとも部分的に画成し得る。図２０に示すように、ヘッドギアコネクタ２５１２は、高さおよび／または幅方向においてフレーム２１７８の前側の一部のみに沿って延在し得る。ヘッドギアコネクタ２５１２は、フレーム２１７８の頂部側とフレーム２１７８の下側との間で垂直に延在し得るか、または角度が付けられ得る。図示の配置構成では、ヘッドギアコネクタ２５１２の上方端部は、ヘッドギアコネクタ２５１２の下方端部に対して前方および／または内側に位置決めされる。ヘッドギアコネクタ２５１２は、少なくとも部分的にパドル２１２６および／またはフレーム２１７８の鼻領域のそれぞれの下方に位置決めされ得る。いくつかの構成では、ヘッドギアコネクタ２５１２は、ハウジング２１０２またはマスクアセンブリ２１００の他の構成要素に位置決めされ得る。
【０１７０】
図２０に示すように、フレーム２１７８は、バイアス通気口２５０２に適応するかまたは受け入れるような形状にされた通気アパーチャ２５１４を含み得る。従って、いくつかの構成では、通気アパーチャ２５１４は、バイアス通気口２５０２と位置合わせする。いくつかの配置構成は、有利には、上述の通り、排気がフレーム２１７８を通って大気へ通過可能にし得る。例えば、バイアス通気口２５０２は、好ましくは、ハウジング２１０２に設けられ、かつフレーム２１７８および／またはヘッドギアにあるいずれかの開口部と連通し得るかまたは位置合わせし得る。いくつかの構成では、バイアス通気口２５０２は、フレーム２１７８によって覆われていないハウジング２１０２の少なくとも一部内またはフレーム２１７８とハウジング２１０２との間に画成された空間内に配置される。いくつかの構成では、バイアス通気口２５０２は、フレーム２１７８によって少なくとも部分的に覆われ得る。そのような配置構成は、排気がフレーム２１７８に接触する場合、流量に影響を及ぼし得る。
【０１７１】
いくつかの構成では、フレーム２１７８がマスクシール２１０４に接続されたとき、バイアス通気口２５０２は、少なくとも部分的にフレーム２１７８の通気アパーチャ２５１４を通って延在し得る（例えば、図１９Ａおよび図１９Ｂを参照されたい）。いくつかの構成では、バイアス通気口２５０２は、バイアス通気口２５０２が通気アパーチャ２５１４内に位置決めされたとき、フレーム２１７８と同一平面に位置決めされる。
【０１７２】
いくつかの構成では、フレーム２１７８は、エルボーコネクタ２５１６を含み得る。エルボーコネクタ２５１６は、図２２Ａ〜２３Ｂに示すように、エルボー２５２０を受け入れ得、かつ／またはそれに接続し得る。エルボーコネクタ２５１６は、エルボー２５２０の少なくとも一部を受け入れるように構成され得るフレーム２１７８の下縁に位置するカットアウトによって画成され得るかまたはそれを含み得る。例えば、エルボーコネクタ２５１６のカットアウト部は、エルボー２５２０に接続して、フレーム２１７８がエルボー２５２０のフレーム接続スロット２５３２に収まるようにし得る。
【０１７３】
いくつかの構成では、エルボーコネクタ２５１６は、スナップフィット、圧入、締り嵌めおよび／または他の嵌合構成により、エルボー２５２０に接続し得る。例えば、エルボーコネクタ２５１６は、好ましくは、保持用隆起２５１８の対を含み得る。保持用隆起２５１８は、エルボーコネクタ２５１６の下方の角に互いに対向して位置決めされ得る。保持用隆起２５１８は、エルボー２５２０の対応する接続特徴、例えば保持用ノッチ２５３４と係合し得る。保持用ノッチ２５３４は、エルボー２５２０のフレーム接続スロット２５３２の下方端部に位置決めされ得る。いくつかの構成では、フレーム２１７８は、特に、溶接、オーバーモールドおよび／または接着剤などの接続手段により、エルボー２５２０に永久的に接続され得る。
【０１７４】
上述の通り、エルボー２５２０は、フレーム２１７８に接続し得る。いくつかの構成では、図２２Ａ〜２３Ｂに示すように、エルボー２５２０は、フレーム２１７８がマスクシール２１０４に接続される前にフレーム２１７８に接続し得る。例えば、エルボーは、エルボーコネクタ２５１６のカットアウト部内に摺動して、エルボーコネクタ２５１６がフレーム接続スロット２５３２と位置合わせするようにし得る。エルボーコネクタ２５１６がフレーム接続スロット２５３２内に摺動すると、保持用隆起２５１８は、対応する保持用ノッチ２５３４と位置合わせし得る。従って、エルボー２５２０はフレーム２１７８によって保持されてサブアセンブリを形成し得、その後、マスクシール２１０４に結合され得る。
【０１７５】
いくつかの構成では、図２１Ａおよび図２１Ｂに示すように、例えば、エルボー２５２０は、エルボー２５２０の入口コネクタ２５３０によってハウジング２１０２の入口２５１０に直接接続する。いくつかの構成では、エルボー２５２０は、フレーム２１７８がエルボー２５２０に接続される前またはその後にハウジング２１０２に接続し得る。しかしながら、他の構成では、エルボー２５２０は、最初にフレーム２１７８に接続され、その後、エルボー２５２０／フレーム２１７８サブアセンブリがハウジング２１０２に接続され得る必要がある。いくつかの構成では、エルボー２５２０は、ハウジング２１０２とフレーム２１７８との間を接続し得る。例えば、そのような構成では、フレーム２１７８は、エルボー２５２０によってもたらされた接続がない状態でハウジング２１０２に接続しなくてもよい。いくつかの構成では、エルボーは、マスクシール２１０４の密封面２５０４に対してほぼ垂直である平面２５０６から下方に角度が付けられる方向において、ハウジング２１０２に接続しかつ／またはそこから切り離す。例えば、平面２５０６は、エルボー２５２０がフレーム２１７８に接続される方向に対して実質的に垂直であり得る。いくつかの構成では、平面２５０６は、フレーム２１７８がエルボー２５２０に接続される方向に対して実質的に垂直であり得る。エルボー２５２０は、スナップフィット配置構成などのいくつもの接続配置構成により、ハウジング２１０２に取り外し可能に取り付けられ得る。
【０１７６】
エルボー２５２０がハウジング２１０２に接続されると、エルボー２５２０は、非回転可能であり得る。例えば、フレーム２１７８、エルボー２５２０およびハウジング２１０２が組み立てられたとき、フレーム２１７８は、ハウジング２１０２に対して回転できなくてもよい。いくつかの構成では、ハウジング２１０２とエルボー２５２０との間の接続配置構成は、有利には、ＣＰＡＰホースによって生成されたホースの引きずり力がマスクから隔離され得るようにする。そのような構成では、可撓性導管（図示せず）は、ＣＰＡＰホースをエルボー２５２０に接続する中間構成要素を形成し得る。いくつかの構成では、ハウジング２１０２とエルボー２５２０との間の接続配置構成は、望ましくは、より薄型のマスクアセンブリ２１００を提供するために角度が付けられ、使用者が装用するのにあまり目立たないようにする。そのようなものとして、エルボー２５２０は、従来のマスクアセンブリと比較して装用時に使用者の顔からあまり遠くに延在しなくてもよい。そのような構成は、エルボー２５２０およびマスクアセンブリ２１００上での潜在的なホースの引きずりに起因するモーメントアームを減少させ得る。
【０１７７】
いくつかの構成では、ハウジング２１０２は、入口２５１０を少なくとも部分的に囲む凹状の前面２５０８を含む（例えば、図２１Ｂおよび図２４を参照されたい）。例えば、凹状の前面２５０８は、入口２５１０の下方にある凹状の前面２５０８の部分が、入口２５１０の上方にある凹状の前面２５０８の部分より広くなるように入口２５１０に対してオフセットされ得る。いくつかの構成では、入口２５１０の最下点の下方にある凹状の前面２５０８の部分の面積は、入口２５１０の中心の上方にある凹状の前面２５０８の部分の面積よりも少なくとも２倍、３倍、４倍および／または５倍大きい。いくつかの構成では、入口２５１０の下方にある凹状の前面の部分の面積は、入口２５１０の側面までの凹状の前面の部分よりも大きい。
【０１７８】
凹状の前面は、有利には、マスクアセンブリ２１００を位置合わせすることを支援して、凹状の前面により、組立中にエルボー２５２０および／またはフレーム２１７８をハウジング２１０２の入口２５１０内に方向付けるようにし得る。
【０１７９】
組み立てられると、図２６〜２８に示すように、例えば、凹面２５０８は、エルボー２５２０の後側２５４０から離間される。従って、一方の側のエルボー２５２０の後側２５４０またはフレーム２１７８の内面と、他方の側のハウジング２１０２との間に間隙が形成される。いくつかの構成では、間隙は、弁口２５３６が開放位置にあるとき、内部マスク呼吸チャンバーに対して流入および流出する空気の流路を提供する。図２６および図２７に示すように、例えば、間隙の断面積は、弁口２５３６の面積よりも大きい。そのため、いくつかの構成では、弁口２５３６を通る流路は、周囲空気から間隙、弁口２５３６を通ってエルボー２５２０の内部に至る流路の最も小さい面積を画成する。この配置構成は、望ましくは、Ａ−Ａ弁を通る空気流れが確実に制限されないようにし得る。そのため、この配置構成は、十分な周囲空気が内部マスク呼吸チャンバーに流入し、およびＣＯ２が内部マスク呼吸チャンバーから適切に流され得るようにし、それにより空気流れの制限を防止し得る。
【０１８０】
いくつかの構成では、凹状の前面２５０８は、望ましくは、弁口２５３６からの空気の流れを使用者から離れて拡散させ得る。例えば、空気は、弁口２５３６を通って凹状の前面２５０８の方に流れて、空気が凹状の前面２５０８に沿って横方向に消散および／または凹状の前面２５０８で反射して使用者から離れるように、エルボーとハウジング２１０２との間に形成された間隙から大気に出るようにする。
【０１８１】
いくつかの構成では、この配置構成は、使用中、エルボー２５２０を典型的なマスクアセンブリよりも使用者の顔の近くにすることができる。例えば、凹状の前面２５０８は、ハウジング２１０２の深さを浅くすることができ、かつ入口２５１０をマスクシール２１０４の密封面２５０４のより近くに位置決めすることができる。同時に、この配置構成は、弁口２５３６を通る十分な量の空気流れを可能にし得る。
【０１８２】
同様に、エルボー２５２０は、ハウジング２１０２の凹状の前面２５０８によって画成された空間内に少なくとも部分的に位置決めされ得る。本明細書で説明する配置構成は、エルボーに、ハウジング２１０２と接続しているエルボー２５２０の部分（例えば、入口コネクタ２５３０）に対して下方に角度が付けられている壁（例えば、後側２５４０）を含ませることを可能にし得る。従って、そのような配置構成は、エルボー２５２０がハウジング２１０２から離れて外側に延在する距離を短くできる。
【０１８３】
エルボー２５２０がハウジング２１０２から離れて外側に延在する距離を凹状の前面２５０８のない配置構成と比べて短くするかまたは最小限にすることにより、本明細書で説明する配置構成は、望ましくは、上述のように、ＣＰＡＰホースに起因するマスクアセンブリ２１００でのホースの引きずりを減少させ得る。過度なホースの引きずりは、不必要に、マスクシール２１０４を装用時に使用者の顔から係合解除させ得、治療を部分的にまたは完全に失わせることとなる。一般的に、ホースの引きずり力は、マスクアセンブリ２１００と使用者の顔との間の係合を十分な量の力で維持するためのヘッドギアストラップを含むヘッドギアによって相殺され得る。しかしながら、過度の材料により、およびマスクハウジング２１０２から遠くに延在し過ぎているエルボーにより、より大きいホースの引きずり力が引き起こされる場合、ヘッドギアストラップによって加えられる力は、使用者に対する不快感の原因となり得る。従って、本明細書で説明する配置構成は、有利には、ヘッドギアストラップによって使用者に加えられる過度の力を制限することにより、および／またはホースの引きずり力を減少させるかもしくは最小限にすることにより、使用者に対する不快感を減少させ得る。
【０１８４】
いくつかの構成では、本明細書で説明する配置構成は、上述のように、エルボー２５２０に加えられるモーメントアームを減少させ得る。同様に、凹状の前面２５０８は、あまり突出しないマスクアセンブリを提供することにより、ハウジング２１０２またはマスクアセンブリ２１００の外形寸法を最小限にし得る。
【０１８５】
少なくとも図２１Ｂ〜２３Ｂおよび図２７に示すように、フレーム２１７８は、シールド面２１８１を含む。シールド面２１８１は、エルボーコネクタ２５１８を囲み、およびフレーム２１７８とハウジング２１０２の凹状の前面２５０８との間に形成された流路の前側境界線を形成する。シールド面２１８１は、フレーム２１７８の前面にある切頭面または凹状部分によって形成され得る。いくつかの構成では、シールド面２１８１は、フレーム２１７８がハウジング２１０２に接続されたとき、ハウジング２１０２の凹状の前面２５０８からオフセットされ得る。例えば、シールド面２１８１は、平面的であり、かつフレーム２１７８とハウジング２１０２が組み立てられたとき、ハウジング２１０２の凹面２５０８に対して実質的に平行に位置決めされ得る。そのような配置構成は、有利には、マスクアセンブリ２１００の外形寸法を減少させて、マスクアセンブリ２１００を使用者にとってあまり目立たなくするようにでき、およびエルボー２５２０を十分に支持し得る。この配置構成は、弁口２５３６を通りかつ／またはそこから出る空気流れの拡散および／または方向付けを促進し得る。
【０１８６】
図２９〜３３Ｅは、マスクアセンブリ２１００の構成を示す。例えば、マスクアセンブリ２１００は、使用者の鼻の少なくとも一部の下側でおよび／または使用者の口の少なくとも一部の周りにシールを形成するフルフェイスマスクを含み得る。図２９〜３３Ｅに示すように、マスクアセンブリ２１００は、マスクシール２１０４、ハウジング２１０２、フレーム２１７８、少なくとも１つのヘッドギアクリップ２６００およびエルボー２５２０または他のタイプの入口導管コネクタを含み得る。
【０１８７】
いくつかの構成では、マスクシール２１０４は、例えば、オーバーモールドにより、ハウジング２１０２に永久に接合または結合され得る。ハウジング２１０２は、マスクシール２１０４の前方に位置決めされ得、かつ単独でまたはシール２１０４と一緒に、使用者の口および／または鼻（例えば、使用者の鼻孔）の少なくとも一部の周りで呼吸チャンバーを画成し得る。いくつかの構成では、ハウジング２１０２は、本明細書で説明したようなバイアス通気口２５０２を含み得る。
【０１８８】
上述の通り、マスクアセンブリ２１００は、フレーム２１７８と係合し得るか、または他の方法でそれによって支持され得、それにより任意の好適な配置構成のヘッドストラップまたはヘッドギア２１８０（図１を参照されたい）との接続を可能にする。いくつかの構成では、ヘッドストラップまたはヘッドギア２１８０は、マスクアセンブリ２１００および／またはフレーム２１７８の少なくとも一部に直接結合され得る。例えば、フレーム２１７８は、少なくとも１つのクリップ保持特徴２５５０を含み得る。好ましくは、フレーム２１７８は、フレーム２１７８の対向する外側部に位置決めされるクリップ保持特徴２５５０の対を含み得る。例えば、クリップ保持特徴２５５０は、フレーム２１７８の中心部分の横方向に位置決めされ得る。フレーム２１７８は、マスクシール２１０４のパドル２１２６を支持するためにフレームパドル２１７９を含み得る。いくつかの構成では、フレーム２１７８は、バイアス通気口２５０２が内部チャンバー２１２５（図５を参照されたい）からの排気を通気させ得る通気アパーチャ２５１４を含み得る。
【０１８９】
いくつかの構成では、マスクアセンブリ２１００は、少なくとも１つのヘッドギアクリップ２６００を含む。好ましくは、マスクアセンブリ２１００は、ヘッドギアクリップ２６００の対を含み得る。ヘッドギアクリップ２６００は、マスクフレーム２１７８の対向する両側面にあるクリップ保持特徴２５５０に接続し得る。下記でより詳細に説明するように、ヘッドギアクリップ２６００は、ヘッドギアストラップなどのヘッドギア２１８０の少なくとも一部とフレーム２１７８との間に接続を提供し得る。
【０１９０】
いくつかの構成では、エルボー２５２０は、マスクアセンブリ２１００の内部チャンバー２１２５と連通するようにハウジング２１０２、フレーム２１７８に取り付けられ得るか、または他の方法で支持および適合され得る。本明細書で説明するように、エルボー２５２０は、空気供給導管に接続して、例えば内部チャンバー２１２５に加圧空気の供給を送達し得る。フレーム２１７８およびヘッドギア２１８０は、協同して、使用者の顔の代わりにマスクアセンブリ２１００を支持し得る。
【０１９１】
図３０Ａおよび図３０Ｂは、クリップ保持特徴２５５０およびヘッドギアクリップ２６００を示すマスクアセンブリ２１００の構成を示す。いくつかの構成では、図３０Ａおよび図３０Ｂに示すように、ヘッドギアクリップ２６００は、フレーム２１７８に取り外し可能に接続され得る。例えば、ヘッドギアクリップ２６００は、フレーム２１７８のクリップ保持特徴２５５０に取り外し可能にクリップ留めおよび／もしくはスナップ留めまたは他の方法で取り付けられ得る。いくつかの構成では、ヘッドギアクリップ２６００は、ヘッドギア２１８０に調整可能に取り付け得る。例えば、ヘッドギアクリップ２６００は、フレーム２１７８の対応する保持特徴２５５０に嵌り得るアパーチャ２６０６を含み得、および／または装用時に後方向にまたは使用者の顔に向かって摺動して、クリップ保持特徴２５５０がヘッドギアクリップ２６００を捕らえるようにし得る。
【０１９２】
例えば、図３０Ｂは、ヘッドギアクリップ２６００の例を示す。ヘッドギアクリップ２６００は、上部ストラップスロット２６０２および下部ストラップスロット２６０４などの少なくとも１つのストラップスロットを含み得る。ヘッドギア２１８０は、上部および下部ストラップスロット２６０２、２６０４のそれぞれに接続するために少なくとも１つのヘッドギアストラップを含み得る。例えば、ヘッドギア２１８０（図１に示すように）は、上部ストラップスロット２６０２に接続するための上部ストラップと、下部ストラップスロット２６０４に接続するための下部ストラップとを含み得る。いくつかの構成では、ヘッドギアストラップは、ヘッドギアクリップ２６００の上部および下部ストラップスロット２６０２、２６０４に調整可能に取り付けられ得る。
【０１９３】
図３１Ａおよび図３１Ｂは、マスクフレーム２１７８およびエルボー２５２０に接続されたマスクシール２１０４を含むマスクアセンブリ２１００の追加的な例を示す。有利には、マスクアセンブリ２１００のヘッドギアクリップ２６００は、一回の操作で少なくとも１つおよび／または好ましくは２つのヘッドギアストラップに接続し得る。この構成は、インターフェースアセンブリの様々な構成要素、例えばフレーム２１７８、ヘッドギアクリップ２６００およびヘッドギア２１８０を簡単に組み立てかつ／または分解することができるようにする。そのような構成では、使用者の可視範囲は、インターフェースアセンブリを組み立てかつ／または分解するときに制限および／または限定され得る。いくつかの構成では、本明細書で説明する配置構成は、使用者がインターフェースアセンブリを片手で組み立てかつ／または分解することができるようにする。本明細書で説明するように、ヘッドギアクリップ２６００および／またはフレーム２１７８は、ヘッドギア２１８０をフレーム２１７８に向けるための様々な特徴を提供し得、組立中にヘッドギア２１８０および／またはヘッドギアクリップ２６００がインターフェースアセンブリ内で適切に位置決めされるようにし、かつ／またはインターフェースアセンブリが使用中に不注意に切り離されないようにする。
【０１９４】
図３２Ａおよび図３２Ｂは、マスクアセンブリ２１００のフレーム２１７８の様々な構成を示す。図３２Ａおよび図３２Ｂに示すように、フレーム２１７８は、複数のクリップ保持特徴２５５０と、通気アパーチャ２５１４とを含み得る。クリップ保持特徴２５５０は、フレーム２１７８の外側部に沿って位置決めされ得る。例えば、クリップ保持特徴２５５０は、フレーム２１７８の中心部分から横方向にオフセットして位置決めされ得る。いくつかの構成では、クリップ保持特徴２５５０は、フレーム２１７８の最も外側の外側部に沿って位置決めされ、かつ／またはそこから延在する。図示の構成に示すように、クリップ保持特徴２５５０は、フレーム２１７８のパドル２１７９の下方に少なくとも部分的に位置決めされ得る。
【０１９５】
いくつかの構成では、図３２Ａおよび図３２Ｂに示すように、クリップ保持特徴２５５０は、隆起した壁２５５４および少なくとも１つの支持体２５５２を含み得る。隆起した壁２５５４は、マスクフレーム２１７８の隣接する部分から前方または横方向にオフセットされ得る。例えば、隆起した壁２５５４は、クリップ保持特徴２６００の前面を提供して、隆起した壁２５５４がフレーム２１７８の前面２５６０の隣接する部分から前方に位置決めされるようにする。いくつかの構成では、隆起した壁２５５４は、フレーム２１７８の前面２５６０の輪郭に従い得る。例えば、隆起した壁２５５４は、実質的に平坦であり得、および／または湾曲してフレーム２１７８の形状に一致し得る。そのような構成では、隆起した壁２５５４は、マスクフレーム２１７８に対して実質的に平行に延在し、かつフレーム２１７８の外側部からマスクフレーム２１７８の中心部分の方に延在し得る。いくつかの構成では、隆起した壁２５５４は、パドル２１７９の底部領域からマスクフレーム２１７８の下方領域の方にまたはそこまで延在する。例えば、いくつかの構成では、隆起した壁２５５４は、パドル２１７９の下方のマスクフレーム２１７８の外側部全体に沿って延在する。必要に応じて、隆起した壁２５５４は、マスクフレーム２１７８の外側部の全体または実質的に全体に沿って延在し得る。
【０１９６】
いくつかの構成では、隆起した壁２５５４は、少なくとも１つの支持体２５５２によってフレーム２１７８に接続される。好ましくは、各クリップ保持特徴２５５０は、例えば、隆起した壁２５５４の上縁および下縁において、互いに離間している少なくとも２つの支持体２５５２を含み得る。支持体２５５２は、隆起した壁２５５４の上側、下側および／または外側部に沿って、隆起した壁２５５４をフレーム２１７８に接続し得る。いくつかの構成では、支持体２５５２は、マスクフレーム２１７８から外側に延在して、隆起した壁２５５４をフレーム２１７８の前面２５６０に対して実質的に垂直な方向に接続する。そのため、支持体２５５２は、フレーム２１７８の前面２５６０の前方にオフセットした位置において、隆起した壁２５５４を支持し得る。従って、間隙２５５８がクリップ保持特徴２５５０およびフレーム２１７８内に形成され得る。間隙２５５８は、フレーム２１７８にアパーチャを提供して、ヘッドギア２１８０の少なくとも一部および／またはヘッドギアクリップ２６００の少なくとも一部を受け入れ得る。図示の構成に示すように、間隙２５５８は、隆起した壁２５５４の前縁２５５６、支持体２５５２およびフレーム２１７８の前面２５６０によって画成され得る。いくつかの構成では、隆起した壁２５５４の前縁２５５６は、支持体２５５２の前方に延在してリップを形成する。リップは、望ましくは、使用中、ヘッドギアクリップ２６００を係合および／または保持し得る。
【０１９７】
図３３Ａ〜３３Ｅは、ヘッドギアクリップ２６００の例示的な構成を示す。ヘッドギアクリップ２６００は、上部ストラップスロット２６０２、下部ストラップスロット２６０４、アパーチャ２６０６、段２６０８、引き手２６３０および前面２６２０を含み得る。いくつかの構成では、ヘッドギアクリップ２６００は、実質的に「Ｄ」字形状を形成する。例えば、アパーチャ２６０６は、ヘッドギアクリップ２６０６内の中心に置かれ得る。いくつかの構成では、アパーチャ２６０６は、引き手２６３０と上部および下部ストラップスロット２６０２、２６０４との間に横方向に位置決めされ得る。いくつかの構成では、アパーチャ２６０６は、アパーチャ２６０６の最大幅を上回る最大高さを有し得る。
【０１９８】
そのような構成では、クリップ保持特徴２５５０は、マスクアセンブリ２１００の組立中、全体的にアパーチャ２６０６を通って延在し得る。例えば、アパーチャ２６０６は、ヘッドギアクリップ２６００の少なくとも一部に形成され得る。いくつかの構成では、アパーチャ２６０６は、ヘッドギアクリップ２６００のインサート２６１４を貫通して形成される（下記でより詳細に説明する）。いくつかの構成では、ヘッドギアクリップ２６００は、フレーム２１７８の対応するクリップ保持特徴２５５０にクリップ留めされ、取り付けられ、および／またはスナップ留めされ得る。例えば、アパーチャ２６０６は、クリップ保持特徴２５５０の少なくとも一部を受け入れ得る。組み立てられると、アパーチャ２６０６は、フレーム２１７８のクリップ保持特徴２５５０を通り過ぎ、かつクリップ保持特徴２５５０の前側に形成された間隙２５５８内へ後方に摺動し得る。そのような構成では、アパーチャ２６０６によって形成された周囲の前方部分は、クリップ保持特徴２５５０の隆起した壁２５５４とフレーム２１７８の前面２５６０との間に載置される。そのため、アパーチャ２６０６の周囲の前方部分は、クリップ保持特徴２５５０の前縁２５５６に形成されたリップの真下に保持され得る。
【０１９９】
図３３Ｃ〜３３Ｅに示すように、ヘッドギアコネクタ２６００は、オーバーモールド配置構成を含み得る。例えば、ヘッドギアコネクタ２６００は、インサート２６１４を含み得る。いくつかの構成では、インサート２６１４は、プラスチックによって形成され得る。例えば、インサート２６１４のプラスチックは、実質的に硬質であり得る。インサート２６１４は、比較的可撓性のおよび／または軟質の材料、例えばシリコーンまたはＴＰＥでオーバーモールドされ得る。いくつかの構成では、オーバーモールドは、引き手２６３０を形成し得る。
【０２００】
いくつかの構成では、アパーチャ２６０６および／または上部および下部ストラップスロット２６０２、２６０４は、インサート２６１４を貫通してかつ／またはインサート内に形成され得る。いくつかの構成では、インサート２６１４は、ヘッドギアクリップ２６００に構造を備え得る。例えば、インサート２６１４は、ヘッドギア２１８０のヘッドギアストラップとフレーム２１７８との間に実質的に剛性の接続を提供し得る。図示の例に示すように、上部および下部ストラップスロット２６０２、２６０４は、上部および下部ヘッドギアストラップをフレーム２１７８に接続できるようにするように離間され得る。例えば、上部ストラップスロット２６０２は、下部ストラップスロット２６０４の上方にオフセットして位置決めされ得る。装用時、この配置構成は、ヘッドギア２１８０の上部ストラップが使用者の耳の上方を通過でき、およびヘッドギア２１８０の下部ストラップが使用者の耳の下側を通過できるようにする。そのような構成は、望ましくは、インターフェースアセンブリが使用者の顔で装用されるときのマスクの安定性を向上させる。
【０２０１】
図示の配置構成に示すように、オーバーモールドは、インサート２６１４の少なくとも一部を囲み得る。いくつかの構成では、オーバーモールドは、インサート２６１４の実質的に全体またはインサート２６１４の全体の周りで周囲を形成する。オーバーモールドされた配置構成は、望ましくは、触れるときに柔らかくかつ／または使用者によって簡単に把持できる表面を提供し得る。例えば、オーバーモールドされた配置構成は、ヘッドギアクリップ２６００の少なくとも一部（例えば、引き手２０３０）に柔軟性を提供し得る。オーバーモールドされた配置構成は、フレーム２１７８とヘッドギア２１８０との間の接続を支持するために少なくともある程度の剛性をもたらし得る。
【０２０２】
いくつかの構成では、オーバーモールドは、引き手２６３０および回転ロック２６１６を形成し得る。いくつかの構成では、回転ロック２６１６は、ヘッドギアクリップ２６００の後面２６２４から後方に延在する突起を含み得る。いくつかの構成では、突起は、実質的にＬ字形状であり得る。しかしながら、いくつかの構成では、突起は、様々な形状を形成し得る。突起は、ヘッドギアクリップ２６００の後方および／または下方の縁の少なくとも一部に沿って延在し得る。例えば、突起は、インサート２６１４の下部の少なくとも一部に沿って延在し得る。突起は、インサート２６１４の下部の側縁を越えて横方向に延在し得る。いくつかの構成では、突起は、ヘッドギアクリップ２６００の後面に沿って垂直に延在する。いくつかの構成では、突起の後面は、ヘッドギアクリップ２６００の後面２６２４に対してほぼ平行に延在する。
【０２０３】
回転ロック２６１６は、フレーム２１７８の下縁に当接し得、かつ／またはそれに隣接して位置決めされ得る。いくつかの構成では、回転ロック２６１６は、クリップ保持特徴２５５０の支持体２５５２に当接し得、かつ／またはそれに隣接して位置決めされ得る。本明細書で説明する構成では、回転ロック２６１６は、望ましくは、クリップ保持特徴２５５０の隆起した壁２５５４にほぼ垂直に延在する軸の周りでのヘッドギアクリップ２６００の回転を防止し得る。
【０２０４】
いくつかの構成では、ヘッドギアクリップ２６００の回転ロック２６１６の垂直部分は、突起を通過するアパーチャを形成する上部および下部ストラップスロット２６０２、２６０４を含み得る。図３３Ｂに示すように、上部および下部ストラップスロット２６０２、２６０４は、ストラップガイド２６１２を含み得る。ストラップガイド２６１２は、回転ロック２６１６の後縁２６２２にカットアウト部を形成し得る。いくつかの構成では、ストラップガイド２６１２は、滑らかな表面を提供し得る。例えば、ストラップガイド２６１２は、望ましくは、ヘッドギアストラップをヘッドギアコネクタ２６００の上部および下部ストラップスロット２６０２、２６０４内で適切な配置構成に位置合わせし得、かつ／または方向付け得る。そのような構成は、有利には、組み立てられたときの、ヘッドギアコネクタ２６００に接続するヘッドギアストラップに起因する嵩高性および／またはヘッドギアストラップの深さを減少させることを促進し得る。例えば、ストラップガイド２６１２は、ヘッドギアストラップがヘッドギアクリップ２６００に対して実質的に平らに置くことができるようにする。
【０２０５】
いくつかの構成では、回転ロック２６１６は、マスクフレーム２１７８への接続の適切な位置を示すためにキー付き部分を含む。例えば、回転ロック２６１６は、左ヘッドギアコネクタ２６００が右クリップ保持特徴２５５０に接続されること、および／または右ヘッドギアコネクタ２６００が左クリップ保持特徴２５５０に接続されることを防止し得る。同様に、回転ロック２６１６は、ヘッドギアコネクタ２６００が間違った垂直配置構成に位置決めされることを防止し得る。
【０２０６】
いくつかの構成では、引き手２６３０は、ヘッドギアクリップ２６００に形成されたアパーチャ２６０６の上方および／または下方に延在する部分を有し得る前面を含む。引き手２６３０の前面は、ヘッドギアクリップ２６００の少なくとも一部の前面に対して隆起され得、かつ／または外側に延在し得る。例えば、引き手２６３０の前面は、アパーチャ２６１６を囲み、かつ／またはアパーチャ２６１６に隣接するヘッドギアクリップ２６００の一部の前面に対して隆起され得、かつ／または外側に延在し得る。
【０２０７】
図３３Ａに示すように、例えば、引き手２６３０の隆起した前面２６２０は、段２６０８を形成し得る。段２６０８は、前面を形成でき、およびアパーチャ２６１６を囲む周囲の少なくとも一部を形成できる。段２６０８は、望ましくは、マスクアセンブリ２１００の組立中にヘッドギアクリップ２６００がフレーム２１７８と間違って取り付けられかつ／または位置合わせされることを防止し得る。例えば、段２６０８は、アパーチャ２６１６からオフセットされる表面を提供することにより、ヘッドギアクリップ２６００が間違った前後の向きでフレーム２１７８に取り付けられることを防止し得る。すなわち、前側（図３３Ａに示す）が、正しい外向きの向きの代わりに、フレーム２１７８に接してまたはそれに隣接して内側に位置決めされるとき、段２６０８は、クリップ２６００がクリップ保持特徴２５５０と係合することを防止し得る。そのような構成は、アパーチャ２６１６がフレーム２１７８の対応するクリップ保持特徴２５５０の下側で摺動し、かつ／またはそれを受け入れることを防止し得る。
【０２０８】
いくつかの構成では、引き手２６３０は、ある程度弾性および／または可撓性であり得る。例えば、引き手２６３０は、引き手２６３０に力が加えられるとき、引き手２６３０を伸張できかつ／または曲げることができる実質的に可撓性の材料で形成され得る。例えば、引き手２６３０は、対応するクリップ保持特徴２５５０からヘッドギアクリップ２６００を切り離すように引かれると伸張し得る。そのような配置構成は、クリップ保持特徴２５５０からヘッドギアクリップ２６００を切り離すために剥離型の作動を促し得る。そのような配置構成は、使用者がクリップ２６００をクリップ保持特徴２５５０から適切に切り離すことを保証し得る。例えば、そのような配置構成は、使用者がクリップ２６００をクリップ保持特徴２５５０から不注意に取り外さずかつ／または切り離さないようにすることを保証し得、および／または使用者がそのようにするリスクを最小限にし得る。いくつかの構成では、引き手２６３０は、十分な引張り力をもたらして、ヘッドギアクリップ２６００の一部のみが横方向に曲がることができるようにする。
【０２０９】
図３３Ｃ〜３３Ｅに示すように、例えば、オーバーモールドは、上部および下部ストラップスロット２６０２、２６０４を形成しなくてもよい。例えば、上部および下部ストラップスロット２６０２、２６０４は、いくつかの構成では、インサート２６１４であり得る周囲の表面よりも厚さが大きくかつ／または剛性が高い材料によって形成され得る。そのような配置構成は、ヘッドギアストラップが上部および下部ストラップスロット２６０２、２６０４を通過し、上部および下部ストラップスロット２６０２、２６０４内で簡単に調整され、かつ／または摺動することを可能にする低摩擦表面仕上げを提供し得る。
【０２１０】
図３４Ａ〜３５Ｂは、マスクアセンブリ２１００の構成を示す。マスクアセンブリ２１００は、フレーム２１７８および第１および第２のヘッドギアクリップ２６００Ａ、２６００Ｂを含み得る。第１および第２のヘッドギアクリップ２６００Ａ、２６００Ｂは、マスクアセンブリ２１００の装着者から見て右および左のヘッドギアクリップ２６００Ａ、２６００Ｂであると定義され得る。図３４Ａおよび図３４Ｂは、フレーム２１７８に接続された第１および第２のヘッドギアクリップ２６００Ａ、２６００Ｂの例示的な構成を示す。
【０２１１】
図３５Ａおよび図３５Ｂに示すように、フレーム２１７８は、少なくとも１つのクリップ保持特徴２５５０および少なくとも１つの通気アパーチャ２５１４を含み得る。例えば、フレーム２１７８は、少なくとも２つの通気アパーチャを含み得る。いくつかの構成では、フレーム２１７８は、少なくとも３つの開口部を含み得る。クリップ保持特徴２５５０は、フレーム２１７８を貫通して延在する通気アパーチャ２５１４を少なくとも部分的に形成し得る。通気アパーチャ２５１４は、フレーム２１７８に開口部を提供して、ヘッドギアクリップ２６００の少なくとも一部を受け入れ得る。通気アパーチャ２５１４は、実質的に矩形、円形および／または卵形形状であり得る。例えば、通気アパーチャ２５１４は、頂部側、底部側および少なくとも１つの外側部を含み得る。図３５Ａおよび図３５Ｂに示すように、通気アパーチャ２５１４の頂部側および底部側は、湾曲し得る。いくつかの構成では、通気アパーチャ２５１４の頂部側および底部側は、凹面形にでき、およびフレーム２１７８の中心部分に対面し得る。例えば、通気アパーチャ２５１４の凹面形の頂部側および底部側は、全体的にエルボーコネクタ２５１６の頂点の方に対面する。
【０２１２】
いくつかの実施形態では、接続特徴２５５０は、隆起した縁２５７２を含み得る。隆起した縁２５７２は、フレーム２１７８の最も外側の外側部のより近くに位置決めされる接続特徴２５５０のアパーチャの最も外側部によって形成され得る。例えば、隆起した縁２５７２は、フレーム２１７８の、輪郭を有する前面２５６０の外側に延在し得る。隆起した縁２５７２の厚さは、隆起した縁２５７２を囲むフレーム２１７８の部分と比べて厚くされ得る。
【０２１３】
いくつかの構成では、隆起した縁２５７２は、通気アパーチャ２５１４の側縁の長さに沿って延在し、ヘッドギアクリップ２６００のための接続点を形成する。例えば、隆起した縁２５７２は、ヘッドギアクリップ２６００のフック２６５４に接続するためのポスト２５７６を形成し得る（例えば、図４０を参照されたい）。そのような配置構成は、アパーチャを通過するために、ヘッドギアクリップ２６００のフック２６５４のためのクリアランスを提供し得る。そのような構成は、ヘッドギアクリップ２６００をフレーム２１７８と簡単に位置合わせおよび／または接続されるようにする。
【０２１４】
例えば、隆起した縁２５７２は、ヘッドギアクリップ２６００をフレーム２１７８と適切に位置合わせする位置合わせ特徴２５７４を形成し得る（例えば、図３５Ｂを参照されたい）。従って、隆起した縁２５７２は、フレーム２１７８の後面に段付き領域および／または凹部を形成し得る。いくつかの構成では、位置合わせ特徴２５７４は、ヘッドギアクリップ２６００のフック２６５４の少なくとも一部を受け入れ得る。いくつかの構成では、位置合わせ特徴２５７４は、可変壁厚さを有し得る。例えば、壁厚さは、ポスト２５７６に隣接する表面およびフレーム２１７８の後面の周囲の外側面を含む周囲の表面と比較して、ポスト２５７６などの隆起した縁２５７２において大きいことができる。そのような構成では、位置合わせ特徴２５７４は、ヘッドギアクリップ２６００のフック２６５４と当接して、望ましくは、クリップ保持特徴２５５０の近位にあるフレーム２１７８の前面２５６０に対して実質的に垂直である軸の周りでの回転を最小限にし得、かつ／または防止し得る。そのような配置構成は、ヘッドギアが、上に、下に、および／またはマスクアセンブリ２１００から離れて引かれる結果、クリップがクリップ保持特徴２５５０から押しのけられることを防止し得る。位置合わせ特徴２５７４は、望ましくは、摺動防止または滑り防止面を提供する。そのため、位置合わせ特徴２５７４は、ヘッドギアクリップ２６００がクリップ保持特徴２５５０のポスト２５７６に沿って摺動することを防止する。そのような配置構成は、ヘッドギア２１８０とマスクアセンブリ２１００との間により確実な接続を提供し得る。同様に、そのような配置構成は、ヘッドギア２１８０とマスクアセンブリ２１００との間の接続により高い安定性を提供し得る。
【０２１５】
図３４Ａ〜３５Ｂに示すように、フレーム２１７８は、キー固定用隆起２５７０を含み得る。いくつかの構成では、キー固定用隆起２５７０は、クリップ保持特徴２５５０の１つのみに隣接してフレーム２１７８に形成され得る。いくつかの構成では、キー固定用隆起２５７０は、複数のクリップ保持特徴２５５０に隣接して位置決めされたフレーム２１７８に形成され得る。例えば、キー固定用隆起２５７０は、ヘッドギアクリップ２６００がフレーム２１７８に調整して固定されて、アセンブリを適切な向きにのみできるようにする。いくつかの構成では、キー固定用隆起２５７０は、フレーム２１７８の左外側部の前面２５６０から外側に延在し得る。キー固定用隆起２５７０は、好ましくは、左クリップ保持特徴２５５０からフレーム２１７８の最も外側の側縁に向かって横方向にオフセットして位置決めされ得る。キー固定用隆起２５７０は、例えば、第２のおよび／または左ヘッドギアクリップ２６００Ｂにある対応するキー固定用ノッチ２６５０と位置合わせし得る。いくつかの構成では、キー固定用隆起２５７０は、望ましくは、間違ったヘッドギアクリップ２６００（この例では右ヘッドギアクリップ２６００Ａ）がフレーム２１７８の左側と接続することを防止し得る。いくつかの構成では、キー固定用隆起２５７０は、望ましくは、ヘッドギア２１８０が、間違った水平配置構成、垂直配置構成および／または前後の向きでフレーム２１７８に取り付けられることを防止する。そのため、キー固定用隆起２５７０は、マスクアセンブリ２１００の使用性を高め得、および／またはマスクアセンブリ２１００を簡単に組み立てかつ／または分解することができるようにする。
【０２１６】
図３６Ａ〜４３は、第１および第２のヘッドギアクリップ２６００Ａ、２６００Ｂの構成ならびに／またはフレーム２１７８に接続された第１および第２のヘッドギアクリップ２６００Ａ、２６００Ｂを示す。第１および第２のヘッドギアクリップ２６００Ａ、２６００Ｂは、多くの点で上述のヘッドギアクリップ２６００の他の例と同様または同一であり得る。図示の構成に示すように、第１および第２のヘッドギアクリップ２６００Ａ、２６００Ｂは、フレーム２１７８の対応するクリップ保持特徴２５５０の少なくとも一部（例えば、ポスト２５７６）にクリップ留めし得、かつ／またはそれを受け入れ得るアパーチャを含む。いくつかの構成では、第１および第２のヘッドギアクリップ２６００Ａ、２６００Ｂは、いくつかある材料の中で特に、ナイロン、ポリカーボネートおよび／またはポリプロピレンなどの実質的に硬質の材料で形成される。そのため、第１および第２のヘッドギアクリップ２６００Ａ、２６００Ｂは、望ましくは、ヘッドギア２１８０を支持し得、かつ／またはヘッドギア２１８０とフレーム２１７８との間の接続を維持し得る。
【０２１７】
第１および第２のヘッドギアクリップ２６００Ａ、２６００Ｂは、アパーチャ２６０６、親指グリップ２６４０、手指グリップ２６４２、上部ストラップスロット２６０２、下部ストラップスロット２６０４、オーバーモールドグリップ２６４４、フック２６５４およびキー固定用ノッチ２６５０を含み得る。例えば、第１および第２のヘッドギアクリップ２６００Ａ、２６００Ｂは、アパーチャ２６０６を囲む実質的に弓状のループを形成し得る。従って、アパーチャ２６０６は、第１および第２のヘッドギアクリップ２６００Ａ、２６００Ｂ内で中心に位置決めされ得る。いくつかの構成では、アパーチャ２６０６は、フレーム２１７８のクリップ保持特徴２５５０の少なくとも一部（例えば、隆起したリップ２６５２）を受け入れ得る。例えば、第１および第２のヘッドギアクリップ２６００Ａ、２６００Ｂがクリップ保持特徴２５５０を介してフレーム２１７８に接続されるとき、第１および第２のヘッドギアクリップ２６００Ａ、２６００Ｂは、フレーム２１７８の前面２５６０と実質的に同一平面に載置され得る。
【０２１８】
いくつかの構成では、第１および第２のヘッドギアクリップ２６００Ａ、２６００Ｂは、親指グリップ２６４０を含み得る。親指グリップ２６４０は、第１のヘッドギアクリップ２６００Ａと第２のヘッドギアクリップ２６００Ｂとの間に垂直に延在する中心平面に対して、第１および第２のヘッドギアクリップ２６００Ａ、２６００Ｂの外側縁に沿って位置決めされる隆起したタブによって画成され得る。そのような構成は、望ましくは、使用者の親指のためのグリップを提供し得る。例えば、使用者は、使用者の親指を親指グリップ２６４０に載せ得る。いくつかの構成では、親指グリップ２６４０は、親指グリップ２６４０の周囲部分よりも厚さが大きいことができる。そのような構成は、望ましくは、使用者の親指が把持するための接触面積を大きくし得、それにより、使用者が第１および第２のヘッドギアクリップ２６００Ａ、２６００Ｂを対応するクリップ保持特徴２５５０に簡単に接続し、かつ／またはそこから切り離すことができるようにする。
【０２１９】
少なくとも図３６Ａおよび図３６Ｂに示すように、第１および第２のヘッドギアクリップ２６００Ａ、２６００Ｂは、第１および第２のヘッドギアクリップ２６００Ａ、２６００Ｂの少なくとも一部に沿って（例えば、第１および第２のヘッドギアクリップ２６００Ａ、２６００Ｂの外側縁の一部に沿って）凹面を形成する。例えば、親指グリップは、第１および第２のヘッドギアクリップ２６００Ａ、２６００Ｂの外側縁に沿って中心に位置決めされ得る。親指グリップ２６４０の凹面は、使用者にとって快適な把持面を提供し得る。いくつかの構成では、凹面は、親指グリップ２６４０の表面が使用者によって把持される必要のあることを使用者に示し得る視覚インジケータを提供し得る。
【０２２０】
いくつかの構成では、第１および第２のヘッドギアクリップ２６００Ａ、２６００Ｂは、手指グリップ２６４２を含む。手指グリップ２６４２は、第１および第２のヘッドギアクリップ２６００Ａ、２６００Ｂの内側縁に沿って位置決めされる隆起したタブによって画成され得る。そのような構成は、望ましくは、１本以上の使用者の指に対する把持を提供し得る。例えば、使用者は、使用者の手指を手指グリップ２６４２に載せ得る。いくつかの構成では、手指グリップ２６４２は、手指グリップ２６４２の周囲部分よりも厚さが大きいことができる。そのような構成は、望ましくは、使用者の手指が把持するための接触面積を大きくし、それにより、使用者が第１および第２のヘッドギアクリップ２６００Ａ、２６００Ｂを対応するクリップ保持特徴２５５０から簡単に接続および／または切り離すことができるようにする。
【０２２１】
少なくとも図３６および図３６Ｂに示すように、第１および第２のヘッドギアクリップ２６００Ａ、２６００Ｂの手指グリップ２６４２は、第１および第２のヘッドギアクリップ２６００Ａ、２６００Ｂの少なくとも一部に沿って（例えば、第１および第２のヘッドギアクリップ２６００Ａ、２６００Ｂの内側縁の一部に沿って）凹面を形成する。例えば、手指グリップ２６４２は、第１および第２のヘッドギアクリップ２６００Ａ、２６００Ｂの内側縁に沿って中心に位置決めされ得る。手指グリップ２６４２の凹面は、使用者にとって快適な把持面を提供し得る。いくつかの構成では、凹面は、手指グリップ２６４２の表面が使用者によって把持される必要があることを使用者に示し得る視覚インジケータを提供し得る。
【０２２２】
いくつかの構成では、手指グリップ２６４２は、親指グリップ２６４０に対向する第１および第２のヘッドギアクリップ２６００Ａ、２６００Ｂの側縁に沿って位置決めされ得る。例えば、手指グリップ２６４２および親指グリップ２６４０は、アパーチャ２６０６の反対側に位置決めされ得る。そのような構成は、使用者が使用者の指でクリップの前縁に向かって第１および第２のヘッドギアクリップ２６００Ａ、２６００Ｂを把持することを促し得る。そのような構成は、組立および／または分解中の第１および第２のヘッドギアクリップ２６００Ａ、２６００Ｂの角度に対する使用者の制御を改善し得、それにより第１および第２のヘッドギアクリップ２６００Ａ、２６００Ｂをクリップ保持特徴２５５０に簡単に接続できるようにする。例えば、第１および第２のヘッドギアクリップ２６００Ａ、２６００Ｂは、クリップ保持特徴２５５０とより簡単に位置合わせできる。いくつかの構成では、親指グリップ２６４０に対する手指グリップ２６４２の位置および／または形状は、第１および第２のヘッドギアクリップ２６００Ａ、２６００Ｂの第１の外側面および第２の外側面を使用者が把持することを促し得る。
【０２２３】
いくつかの構成では、第１および第２のヘッドギアクリップ２６００Ａ、２６００Ｂは、上部および下部ストラップスロット２６０２、２６０４を含み得る。上部および下部ストラップスロット２６０２、２６０４は、多くの点で上述の上部および下部ストラップスロット２６０２、２６０４の他の例と同様または同一であり得る。そのため、上部および下部ストラップスロット２６０２、２６０４は、ヘッドギア２１８０の対応する上部および下部ヘッドギアストラップを受け入れ得る。
【０２２４】
いくつかの構成では、第１および第２のヘッドギアクリップ２６００Ａ、２６００Ｂのオーバーモールドグリップ２６４４は、第１および第２のヘッドギアクリップ２６００Ａ、２６００Ｂの少なくとも一部の周りに延在し得る。例えば、オーバーモールドグリップ２６４４は、第１および第２のヘッドギアクリップ２６００Ａ、２６００Ｂの周囲に延在し得る。図３６Ａおよび図３６Ｂに示すように、オーバーモールドグリップ２６４４は、親指グリップ２６４０および／または手指グリップ２６４２の凹面の少なくとも一部を形成し得る。いくつかの構成では、オーバーモールドグリップ２６４４は、親指グリップ２６４０および／または手指グリップ２６４２の凹面を形成し得る。
【０２２５】
いくつかの構成では、オーバーモールドグリップ２６４４は、エラストマー材料などの様々な材料を含み得る。例えば、オーバーモールドグリップ２６４４は、いくつかある材料の中で特に、シリコーンおよび／またはＴＰＥを含み得る。オーバーモールドグリップ２６４４は、第１および第２のヘッドギアクリップ２６００Ａ、２６００Ｂでのより快適な把持をもたらすソフトタッチ仕上げを提供し得る。いくつかの構成では、オーバーモールドグリップ２６４４は、使用者に対して把持を提供し得る。そのような構成では、オーバーモールドグリップ２６４４は、第１および第２のヘッドギアクリップ２６００Ａ、２６００Ｂの周囲部分を上回る摩擦係数を有し得る。
【０２２６】
図３７Ａおよび図３７Ｂに示すように、第１および第２のヘッドギアクリップ２６００Ａ、２６００Ｂは、フック２６５４を含み得る。フック２６５４は、手指グリップ２６４２の後面部からアパーチャ２６０６の中心に向かって後方および横方向に突出する舌部を形成し得る。例えば、フック２６５４は、アパーチャ２６０６内へ内側に延在し得る。いくつかの構成では、組立中、フック２６５４は、クリップ保持特徴２５５０の少なくとも一部（例えば、隆起した縁２５７２）の下側で摺動し得る。いくつかの構成では、フック２６５４は、隆起したリップ２６５２を含み得る。隆起したリップ２６５２は、フック２６５４の内縁に沿って延在し得る。隆起したリップ２６５２は、クリップ保持特徴２５５０の少なくとも一部（例えば、ポスト２５７６）と係合し得る。そのため、フック２６５４は、第１および第２のヘッドギアクリップ２６００Ａ、２６００Ｂをフレーム２１７８に固定し得る。
【０２２７】
いくつかの構成では、第１および第２のヘッドギアクリップ２６００Ａ、２６００Ｂの少なくとも一方は、キー固定用ノッチ２６５０を含む。キー固定用ノッチ２６５０は、例えば、第１および第２のヘッドギアクリップ２６００Ａ、２６００Ｂの少なくとも一方の縁に沿って凹部を形成し得る。例えば、キー固定用ノッチ２６５０は、第１および第２のヘッドギアクリップ２６００Ａ、２６００Ｂの少なくとも一方の後面に沿って位置決めされ得る。キー固定用ノッチ２６５４は、フレーム２１７８のキー固定用隆起２５７０に対応しておよび／またはそれを受け入れて、ヘッドギアクリップがフレーム２１７８に接続されると、ヘッドギアクリップがフレーム２１７８の前面と実質的に同一平面に載置されるようにし得る。例えば、図３６Ｂに示すように、左ヘッドギアクリップがキー固定用ノッチ２６５０を含み得る。キー固定用ノッチ２６５０は、フレーム２１７８の左外側部に位置決めされたキー固定用隆起２５７０に対応し得る。キー固定用ノッチ２６５０は、例えば、ヘッドギアクリップ２６００が左ヘッドギアクリップ２６００Ｂまたは右ヘッドギアクリップ２６００Ａであることを使用者に示し得る。そのような構成では、キー固定用ノッチ２６５０は、望ましくは、ヘッドギアクリップ２６００が間違ったクリップ保持特徴２５５０と接続することを防止し得る。
【０２２８】
図４４〜４５は、インターフェースアセンブリの実施形態を示す。図４４〜４５に示すように、インターフェースは、ヘッドギアアセンブリ２１８０およびマスクアセンブリ２１００を含み得る。マスクアセンブリ２１００は、マスクシール２１０４、フレーム２１７８および空気供給導管２５２０Ａを含み得る。図示の例に示すように、フレーム２１７８は、導管接続部２７００を含み得る。導管接続部２７００は、フレーム２１７８と空気供給導管２５２０Ａとの間を直接接続し得る。例えば、導管接続部２７００は、ハウジング２１０２の下方領域の実質的な部分を形成し得る。例えば、導管接続部２７００は、対向する両方のクリップ保持特徴２５５０間に実質的に横方向に延在し得る。いくつかの構成では、導管接続部２７００は、フレーム２１７８から離れて下方に角度が付けられ得る。
【０２２９】
図４４〜４５に示すように、フレームは、少なくとも１つの通気アパーチャ２５１４を含み得る。例えば、通気アパーチャ２５１４は、好ましくは、マスクアセンブリ２１００内に設けられて、通気アパーチャ２５１４がフレーム２１７８内においておよび／またはマスクアセンブリ２１００の様々な構成要素間で開口部と位置合わせするようにし得る。例えば、通気アパーチャ２５１４は、フレーム２１７８とヘッドギアクリップ２６００Ａ、２６００Ｂとの間に設けられ得る。いくつかの構成では、通気アパーチャ２５１４は、フレーム２１７８とヘッドギアクリップ２６００Ａ、２６００Ｂとの間に設けられた開口部を画成し得る。いくつかの構成では、通気アパーチャ２５１４は、クリップ保持特徴２５５０の少なくとも一部（例えば、クリップ保持特徴２５５０のアパーチャの少なくとも一部）を形成し得る。例えば、通気アパーチャ２５１４は、ヘッドギアクリップ２６００がフレーム２１７８に接続されるときにヘッドギアクリップ２６００によって覆われないクリップ保持特徴２５５０のアパーチャの一部を画成し得る。そのような構成は、望ましくは、排気をより大きい領域にわたっておよび使用者の顔から離れて少なくとも２つの方向に分散させて、装用時の使用者の顔に対する隙間風を減少させ得る。
【０２３０】
いくつかの配置構成では、通気アパーチャ２５１４は、有利には、上述の通り、排気がフレーム２１７８を通って大気まで通過できるようにし得る。いくつかの構成では、通気アパーチャ２５１４は、マスクフレーム２１７８の外側部に沿って位置決めされ得、およびフレーム２１７８の中心部分から外向きとなり得る。例えば、図４５に示すように、使用者がマスクアセンブリ２１００を装用しているとき、排気は、フレーム２１７８を通っておよび使用者から横方向に通過し得る。上述の通り、そのような構成は、望ましくは、排気をより大きい面積にわたっておよび使用者の顔から離れて少なくとも２つの方向に分散させて、装用時の使用者の顔に対する隙間風を減少させ得る。
【０２３１】
図４６〜４８は、多くの点で上述のインターフェースアセンブリと同様または同一の特徴および／または構成要素を含むインターフェースアセンブリの実施形態を示す。図４６〜４８に示すように、通気アパーチャ２５１４は、上述の通り、フレーム２１７８内で中心に位置決めされ得る。いくつかの構成では、通気アパーチャ２５１４は、導管接続部２７００の少なくとも一部に形成され得る。例えば、通気アパーチャ２５１４は、導管接続部２７００の上部に形成され得る。図４６に示すように、例えば、導管接続部２７００は、フレーム２１７８と一体的に形成され得る。いくつかの構成では、導管接続部２７００は、ハウジング２１０２に直接形成され得る。
【０２３２】
いくつかの構成では、図４６に示すように、ヘッドギアクリップ２６００は、マスクシール２１０４を支持し得る。そのような構成では、フレーム２１７８は、マスクシール２１０４のパドル２１２６を支持しなくてもよい。例えば、ヘッドギアクリップ２６００は、マスクシール２１０４の前面に設けられて、ヘッドギアクリップ２６００が十分な機械的剛性および構造をもたらして、マスクシール２１０４が使用者によって装用されるときにマスクシール２１０４の形状を保持するようにする。例えば、ヘッドギアクリップ２６００は、マスクシール２１０４が膨らむことを防止することを促進し得る。図４６に示すように、ヘッドギアクリップは、マスクシール２１０４の外側部に沿って垂直に延在し得る。例えば、ヘッドギアクリップ２６００は、マスクシール２１０４の外側部のかなりの部分に沿って延在し得る。フレーム２１７８に接続されると、ヘッドギアクリップ２６００は、マスクシール２１０４の前面に沿って上方に延在し得、およびマスクシール２１０４の少なくとも一部を覆い得る。そのような構成は、望ましくは、マスクシール２１０４を支持し、かつフレーム２１７８の外形寸法を減少させ得る。そのため、そのような構成は、マスクアセンブリ２１００の嵩高性を減少させ得る。
【０２３３】
図４７および図４８は、ヘッドギアクリップ２６００の様々な構成を示す。いくつかの構成では、ヘッドギアクリップ２６００は、丸みを帯びたおよび／または楕円形の断面を有し得る（図４８を参照されたい）。そのような構成では、ヘッドギアクリップ２６００の丸みを帯びた表面は、使用者にとって見た目が美しい外観を提供し得る。例えば、ヘッドギアクリップ２６００の丸みを帯びた表面は、ヘッドギアクリップ２６００が使用者にとってより小さく見えるようにでき、および／またはヘッドギアクリップ２６００の全体的な嵩高性を減少させ得る。いくつかの構成では、ヘッドギアクリップ２６００は、正方形および／または実質的に矩形の断面を含み得る（図４７を参照されたい）。そのような構成では、ヘッドギアクリップ２６００の正方形の表面は、他の形状の断面と比較してより簡単に把持できる表面を提供し得る。
【０２３４】
図４９〜７５は、インターフェースアセンブリの実施形態を示す。図４９に示すように、インターフェースアセンブリは、いくつかある考えられる構成要素の中で特に、ヘッドギアアセンブリ２１８０、フレーム２１７８、マスクアセンブリ２１００および空気供給導管２５２０Ａを含み得る。ヘッドギアアセンブリ２１８０は、いくつかある構成要素の中で特に、ストラップ、例えば１つ以上の上部サイドストラップ２８０４、１つ以上の下部サイドストラップ２８０２および／または頭頂部ストラップ２８０８を含み得る（図７３〜７５を参照されたい）。マスクアセンブリ２１００は、いくつかある考えられる構成要素の中で特に、マスクハウジング２０１２およびマスクシール２１０４を含み得、これらは、呼吸チャンバーを形成する。図示の例に示すようにおよび下記でより詳細に説明するように、フレーム２１７８は、窒息防止（Ａ−Ａ）弁アセンブリ２５２２Ｂを含み得る。いくつかの構成では、弁アセンブリ２５２２Ｂは、下記で説明するように、弁凹部２７２６によって受け入れられ得る。下記でより詳細に説明するように、弁アセンブリ２５２２Ｂは、弁ハウジング２５２２（本明細書では「弁２５２２」と称す）を含み得る。弁２５２２は、フレーム２１７８と一体的に形成され得る。下記で説明するように、弁アセンブリ２５２２Ｂは、いくつかある考えられる構成要素の中で特に、フレーム２１７８の少なくとも一部、弁２５２２、弁要素もしくは弁部材、例えば弁フラップ２５２４および／または管コネクタ２７１１を含み得る。弁２５２２は、空気供給導管２５２０Ａに隣接してフレーム２１７８内に置かれ得る。いくつかの実施形態では、弁アセンブリ２５２２Ｂの弁２５２２は、入口管２５２２Ａを含み得る。入口管２５２２Ａは、フレーム２１７８の前壁の後方に位置決めされ得る。いくつかの実施形態では、入口管２５２２Ａは、ガス流路の少なくとも一部を画成し得る。いくつかの構成では、フレーム２１７８との弁２５２２の統合により、空気供給導管２５２０Ａをフレーム２１７８の前面下部から全体的に下方向に延在させ得る。そのような構成は、患者用インターフェースの全体的な嵩高性を減少させ得る。例えば、そのような構成では、導管２５２０Ａは、使用中、使用者のより近くに位置決めされ得る。ガス流路は、ガス供給導管２５２０Ａ、弁アセンブリ２５２２Ｂおよびクッションコネクタ２７０８によって提供される。ガス流路は、加圧ガスがマスクアセンブリ２１００を経由して使用者の鼻および／または口に送給される通路を提供する。
【０２３５】
図５０Ａ〜５０Ｂは、マスクアセンブリ２１００の例を示す。上述の通り、マスクアセンブリ２１００は、マスクシール２１０４およびハウジング２０１２を含み得、およびいくつかある構成要素の中で特に、フレーム２１７８および／または空気供給導管２５２０Ａに組み立てられる。フレーム２１７８は、横方向および／または垂直方向において全体的に湾曲し得る。
【０２３６】
いくつかの実施形態では、フレーム２１７８は、マスクシール２１０４の前側に設けられ得る。いくつかの実施形態では、フレーム２１７８は、マスクシール２１０４の前側の実質的な部分、例えばマスクシール２１０４のハウジング２１０２の実質的な部分を覆い得る。いくつかの実施形態では、フレーム２１７８は、マスクシール２１０４の前面に沿って横方向において中心にされる。例えば、フレーム２１７８の前面全体は、マスクシール２１０４の前方に位置決めされ得る。
【０２３７】
図５１Ａ〜５９は、フレーム２１７８の実施形態を示す。いくつかの実施形態では、フレーム２１７８は、クッションコネクタ２７０８、入口または入口開口部２７０６、弁２５２２、少なくとも１つの上部ストラップコネクタ２７０２、少なくとも１つの下部ストラップコネクタ２７０４および／またはパドル２１７９を含み得る。
【０２３８】
いくつかの実施形態では、クッションコネクタ２７０８は、フレーム２１７８の後側に位置決めされ得る。いくつかの実施形態では、クッションコネクタ２７０８は、フレーム２１７８とユニタリーであり、およびフレーム２１７８の前壁の後面から後方に延在する。クッションコネクタ２７０８は、入口２７０６とマスクアセンブリ２１００との間に流体接続をもたらし得る。
【０２３９】
いくつかの実施形態では、クッションコネクタ２７０８は、マスクアセンブリ２１００の少なくとも一部に収まって、フレーム２１７８をマスクアセンブリ２１００に接続するような形状にされ得る。例えば、クッションコネクタ２７０８は、マスクアセンブリ２１００のマスクハウジング２１０２部分の少なくとも受け入れ部分に収まり得る。クッションコネクタ２７０８は、いくつかある考えられる形状の中で特に、幾分丸みを帯びた「Ｄ」字形状、丸みを帯びた台形形状、円形形状、楕円形形状および／または卵形形状を含み得る。
【０２４０】
いくつかの実施形態では、クッションコネクタ２７０８は、カフまたはカラーを形成する突出壁の形態である。突出壁は、フレーム２１７８の前壁部分２７０１の後側から後方および／または上方に延在し得る。クッションコネクタ２７０８は、フレーム２１７８の後側に沿ってＡ−Ａ弁２５２２の上方に位置決めされ得る。クッションコネクタ２７０８は、フレーム２１７８の後側に沿ってＡ−Ａ弁２５２２に隣接して位置決めされ得る。いくつかの構成では、入口２７０６、Ａ−Ａ弁２５２２およびクッションコネクタ２７０８は、協働して、フレーム２１７８によって画成されたガス流路を形成する。図示の配置構成では、入口２７０６、Ａ−Ａ弁２５２２およびクッションコネクタ２７０８のそれぞれは、実質的に閉鎖空間を含み（特定のおよび意図的な開口部を除いて）、それによりガス流路全体の一部を画成する。いくつかの構成では、フレーム２１７８の前壁部分２７０１は、ガス流路の少なくとも一部を画成する。図示の配置構成では、フレーム２１７８の前壁部分２７０１は、Ａ−Ａ弁２５２２およびクッションコネクタ２７０８の一方または両方にガス流路の一部を画成する。そのような配置構成により、ガス流路の全体が専用の構造によって画成される設計と比べてフレーム２１７８の奥行きを浅くすることができる。
【０２４１】
いくつかの実施形態では、クッションコネクタ２７０８は、位置合わせ用ノッチ２７１０などの位置合わせ特徴を含み得る。位置合わせ用ノッチ２７１０は、クッションコネクタ２７１０の一部に形成され得る。例えば、位置合わせ用ノッチ２７１０は、クッションコネクタ２７０８の上壁部分に形成され得る。位置合わせ用ノッチ２７１０は、フレーム２１７８とマスクアセンブリ２１００との間の接続を案内し得る。例えば、位置合わせ用ノッチ２７１０は、マスクアセンブリ２１００上の特徴に対応でき、フレーム２１７８およびマスクアセンブリ２１００を適切な向きで接続できるようにする。いくつかの実施形態では、位置合わせ用ノッチ２７１０は、いくつかある考えられる形状の中で特に、全体的に台形形状、矩形形状および／または正方形形状を有する。いくつかの実施形態では、位置合わせ用ノッチ２７１０の幅は、クッションコネクタ２７０８の上壁の外縁において、フレーム２１７８の後側により近い位置にある位置合わせ用ノッチ２７１０の幅よりも広いことができる。
【０２４２】
いくつかの実施形態では、フレーム２１７８は、入口２７０６を含み得る。入口２７０６は、フレーム２１７８に結合される別個の構造であり得る管コネクタ２７１１によって画成され得る。いくつかの実施形態では、入口２７０６は、流体流路またはガス流路を提供し、そこを通って加圧空気がマスクアセンブリ２１００にもたらされ得る。いくつかの実施形態では、加圧空気は、入口２７０６を通ってＡ−Ａ弁２５２２を経由してまたはＡ−Ａ弁２５２２を通過してマスクアセンブリ２１００にもたらされ得る。下記でより詳細に説明するように、Ａ−Ａ弁２５２２は、加圧空気源がないとき、またはそうでなければマスクアセンブリ２１００内の圧力が大気圧未満に低下するとき、大気へのアクセスを提供し得る。
【０２４３】
いくつかの実施形態では、フレーム２１７８は、少なくとも１つの上部ストラップコネクタ２７０２および少なくとも１つの下部ストラップコネクタ２７０４を含み得る。図示の配置構成では、フレーム２１７８は、上部ストラップコネクタ２７０２の対および下部ストラップコネクタ２７０４の対を含む。対の上部および下部ストラップコネクタ２７０２、２７０４のそれぞれは、フレーム２１７８の対向する外側部に位置決めされ得る。いくつかの実施形態では、上部ストラップコネクタ２７０２は、ヘッドギア２１８０の対応する上部ヘッドギアストラップ２８０２を摺動式に受け入れ得る（例えば、図４９を参照されたい）。上部ヘッドギアコネクタ２７０２は、ポスト２７０３Ａおよびアパーチャ２７０３Ｂを含み得る。ポスト２７０３Ａは、フレーム２１７８の前面から離間され得る。ポスト２７０３Ａは、アパーチャ２７０３Ｂのほぼ中心に位置決めされ得る。いくつかの実施形態では、ポスト２７０３Ａは、アパーチャ２７０３Ｂの中心からオフセットして位置決めされ得る。いくつかの実施形態では、ポスト２７０３Ａは、フレーム２１７８の前壁の前方にオフセットして位置決めされ得る。
【０２４４】
少なくとも図４９および図７３に示すように、ポスト２７０３Ａは、上部サイドストラップ２８０２を上部ヘッドギアコネクタ２７０２に固定することを促進し得る。いくつかの実施形態では、ポスト２７０３Ａは、フレーム２１７８の前面と共に、対応する上部サイドストラップ２８０２を通し得るスロットを画成し得る。例えば、上部サイドストラップ２８０２は、ポスト２７０３Ａとアパーチャ２７０３Ｂとの間に形成されたスロットを通過し得る。上部サイドストラップ２８０２がスロットを通過すると、上部サイドストラップ２８０２は、ポスト２７０３Ａの外側の周りに巻き付けられ、かつ例えばそれ自体の上に折り重ねられ得る。いくつかの実施形態では、アパーチャ２７０３Ｂは、追加的な空間を提供でき、上部サイドストラップ２８０２をポスト２７０３Ａの後ろ側に通すことができるようにする。いくつかの構成では、アパーチャ２７０３Ｂは、ポスト２７０３Ａと、ストラップ２８０２の厚さに適応するために必要であるフレーム２１７８の前面との間の距離を短くすることを促進する。いくつかの実施形態では、上部ストラップコネクタ２７０２は、上部サイドストラップ２８０２に取り付けられ得るヘッドギアクリップを取り外し可能に固定するなどして固定し得る。
【０２４５】
いくつかの実施形態では、下部ストラップコネクタ２７０４は、下部サイドストラップ２８０２および／または下部ヘッドギアクリップ２６００を受け入れ得、かつ／または固定し得る（図４９を参照されたい）。少なくとも図５１Ａ〜５４に示すように、下部ストラップコネクタ２７０４は、下部ポスト２７０５Ａを含み得る。下部ポスト２７０５Ａは、フレーム２１７８の側縁に沿って位置決めされ得る。下部ポスト２７０５Ａは、フレーム２１７８の一部から離間されて、アパーチャ２７０５Ｂを画成し得る。いくつかの実施形態では、下部ポスト２７０５Ａは、フレーム２１７８の下部側縁を形成する。いくつかの実施形態では、アパーチャ２７０５Ｂは、下部ヘッドギアクリップ２６００の少なくとも一部を受け入れるような形状にされ得る。いくつかの実施形態では、アパーチャ２７０５Ｂは、いくつかある考えられる形状の中で特に、実質的にＤ字形状にされ得る。いくつかの実施形態では、ポスト２７０５Ａは、クリップ２６００のフック部分など、対応する下部ヘッドギアクリップ２６００の一部内に受け入れられ得、かつ／またはそれを保持し得る。下部ポスト２７０５Ａは、下部サイドストラップ２８０４フレーム２１７８との間および／または下部ヘッドギアクリップ２６００とフレーム２１７８との間に取り外し可能な接続を提供し得る。
【０２４６】
いくつかの実施形態では、フレーム２１７８は、フレームパドル２１７９を含み得る。上述の通り、パドル２１７９は、組み立てられると、マスクシール２１０４の鼻領域２１６８の前向きの外側部（シールパドル２１２６）を支持する上部支持部材を画成し得る。パドル２１７９は、マスクシール２１０４の撓みを最小限にすることを促進し得る。いくつかの実施形態では、パドル２１７９は、鼻領域２１６８と使用者の鼻との間の接触を維持するのことを促進し得る。例えば、パドル２１７９は、マスクシール２１０４の鼻領域２１６８およびシールパドル２１２６が使用者の鼻から離れて膨張することおよび／またはそこから係合解除することを防止することを促進し得る。
【０２４７】
図５２〜５８は、弁２５２２のいくつかの部分をかなり詳細に示す。少なくとも図５２〜５４に示すように、弁２５２２は、弁要素または弁部材、例えば弁フラップ２５２４を含み得る。弁２５２２は、いくつかある考えられる構成要素の中で特に、管コネクタ２７１１も含み得る。いくつかの実施形態では、弁２５２２は、通気路２７２２および／または出口２７２０を含み得る。図示の通り、弁２５２２の少なくとも一部またはいくつかの構成要素は、フレーム２１７８と一体的に形成され得る。例えば、弁２５２２の１つまたは複数のガス流路を画成する本体部分は、フレーム２１７８と一体的に形成される。いくつかの構成は、望ましくは、組立時間を削減し、かつ／または製造、清掃および／もしくは交換するために必要な構成要素数を削減し得る。いくつかのそのような構成は、望ましくは、加圧空気がアセンブリから漏れる可能性を減少させ得る。
【０２４８】
図５３および図５４は、それぞれ図５１Ａに示す線５３−５３および線５４−５４に沿って取ったフレーム２１７８の横断面図を示す。図５５は、図５２に示すフレーム２１７８の前側から見た断面図を示す。図示の通り、フレーム２１７８は、弁フラップ２５２４を収容し得る。いくつかの実施形態では、フレーム２１７８は、弁フラップ２５２４を全体的に囲む。そのようなものとして、弁フラップ２５２４は、フレーム２１７８の弁２５２２のガス流路内に収まるように位置決めされ得る。
【０２４９】
いくつかの実施形態では、管コネクタ２７１１は、入口開口部２７０６を画成し得、入口開口部は、加圧空気を、弁２５２２を通してマスクアセンブリ２１００によって使用者へ方向付ける。いくつかの実施形態では、管コネクタ２７１１は、いくつかある形状の中で特に、楕円形形状、円形形状および／または卵形形状であり得る。好ましくは、前後方向における入口２７０６の寸法は、横方向における入口２７０６の寸法よりも小さい。従って、入口２７０６が円形である設計と比較して、フレーム２１７８の前後寸法を増加させたりまたは入口２７０６を使用者の顔からさらに離すように動かしたりすることなく、前後方向において弁２５２２を収納する余分な空間を設け得る。管コネクタ２７１１は、対応する雌型コネクタによって受け入れられる雄型構成要素を含み得る。雌型コネクタは、導管２５２０Ａに取り付けられ得る。いくつかの実施形態では、管コネクタ２７１１は、フレーム２１７８および／または管コネクタ２７１１に対して導管２５２０Ａをねじることによって導管２５２０Ａの切り離しを可能にする。いくつかの実施形態では、導管２５２０Ａは、いくつかある考えられる構成の中で特に、スナップフィット構成によって管コネクタ２７１１に接続される。例えば、管コネクタ２７１１は、１つ以上の管コネクタ用ノッチ２７１２を含み得る。管コネクタ用ノッチ２７１２は、スナップフィット構成を介して導管２５２０Ａ上の対応する特徴に係合し得る。
【０２５０】
いくつかの実施形態では、弁フラップ２５２４は、管コネクタ２７１１によってフレーム２１７８内に固定され得る。いくつかの実施形態では、管コネクタ２７１１は、いくつかある考えられる構成の中で特に、溶接、接着剤および／またはスナップフィット構成などの様々な構成により、弁２５２２を画成するフレーム２１７８の下方端部に永久的に接続され得る。いくつかの実施形態では、管コネクタ２７１１は、フレーム２１７８の下方端部と管コネクタ２７１１のフランジとの間で弁フラップ２５２４のタブを囲み得、かつ／または固定し得る。いくつかの実施形態では、弁フラップ２５２４は、フレーム２１７８の管コネクタ２７１１の内側端部２７１１Ａに隣接して位置決めされ得る。いくつかの実施形態では、弁フラップ２５２４は、全体的にまたは部分的に、いくつかある材料の中で特に、シリコーンなどの可撓性エラストマーから構成され得る。
【０２５１】
弁フラップ２５２４は、弁２５２２内の異なる流路を開閉して、弁２５２２の異なる流路のうちの所望の流路を通って空気が流れることができるようにし得る。例えば、流れ発生器がマスクアセンブリ２１００を通して陽圧の空気を使用者に供給するとき、弁フラップ２５２４は、入口２７０６に流入する加圧空気に応答して、ヒンジの周りで旋回し得るかまたは他の方法で動き得る。この位置では、弁フラップ２５２４は、管コネクタ２７１１の入口２７０６に対して開放されており、かつ弁２５２２および／または弁２５２２の通気路２７２２に対して閉鎖されている。いくつかの構成は、全てまたは実質的に全ての陽圧の空気流れが、弁２５２２の通気路２７２２からの空気流れの漏れがないかまたはそれに近い状態で確実に使用者に方向付けられることを促進し得る。流れ発生器がマスクアセンブリ２１００に空気流れをもたらさないか、またはそうでなければマスクアセンブリ２１００内の圧力が大気圧未満に低下するとき、弁フラップ２５２４は、管コネクタ２７１１の入口２７０６に対して閉鎖され、およびＡ−Ａ弁２５２２の通気路２７２２は、開放されて、使用者が弁２５２２を通して周囲空気を吸入できるようにする。
【０２５２】
管コネクタ２７１１は、フレーム２１７８の弁２５２２部分に対して動作可能位置に弁フラップ２５２４を支持し得る。いくつかの構成では、管コネクタ２７１１は、弁フラップ２５２４が反転するかまたはフレーム２１７８の入口２７０６から下方に延在することを防止するストッパを画成する（例えば、図５３を参照されたい）。いくつかの構成では、管コネクタ２７１１は、フラップ支持体２７２４を含み得る。いくつかの実施形態では、管コネクタ２７１１は、少なくとも３個のフラップ支持体２７２４を含み得る（図５６を参照されたい）。いくつかの実施形態では、管コネクタ２７１１は、少なくとも２個、３個、４個、５個または６個以上のフラップ支持体２７２４を含み得る。フラップ支持体２７２４は、管コネクタ２７１１の周囲壁の内面から管コネクタ２７１１の入口２７０６へ半径方向内側に延在し得る。いくつかの実施形態では、フラップ支持体２７２４は、管コネクタ２７１１の上縁に隣接して位置決めされ得る。いくつかの構成では、フラップ支持体２７２４は、弁フラップ２５２４が反転するかまたは入口２７０６へ下方に延在することを防止し得る。
【０２５３】
少なくとも図５５に示すように、弁２５２２（単独でまたはフレーム２１７８と組み合わせて）は、弁フラップ２５２４が閉鎖位置にあるとき、空気がマスクアセンブリ２１００に流入または流出することができるようにするために様々な通気路および弁出口を含み得る。例えば、いくつかの実施形態では、流路は、弁アセンブリ２５２２Ｂの通気路２７２２および弁出口２７２０ならびにクッションコネクタ２７０８を通して設けられる。いくつかの実施形態では、弁２５２２は、少なくとも２つの通気路２７２２および／または少なくとも２つの横方向弁出口２７２０を含み得る。
【０２５４】
いくつかの実施形態では、通気路２７２２は、入口２７０６から離れて出口２７２０の方へ後方に延在し得る。いくつかの実施形態では、通気路２７２２は、弁２５２２の内壁を通って出口２７２０の方に延在し得る。いくつかの実施形態では、通気路２７２２は、管２５２０Ａから弁２５２２の内壁を通って出口２７２０の方に延在し得る。いくつかの実施形態では、通気路２７２２は、出口２７２０内まで後方および下方に延在し得る。いくつかの実施形態では、通気路２７２２の中心軸は、入口２７０６の中心軸２７０６Ａと鋭角を形成する（図５９に示すように）。
【０２５５】
いくつかの実施形態では、出口２７２０は、開口部を画成して、弁フラップ２５２４が閉鎖位置にあるとき、通気路２７２２を経由して排気が患者用インターフェースから通過できるようにし得るか、または吸入空気が患者用インターフェースに流入できるようにし得る。図５４に示すように、弁２５２２は、出口２７２０において通気路２７２２の出口から後方に離間される後壁２５２３を含み得、および内壁と一緒に出口２７２０を画成する。そのような構成は、図５１Ｂに示す矢印によって示されるように、排気を横方向に方向付けるための空間を提供し得る。弁２５２２の後壁は、排気を使用者から離れて方向付けることができるようにする。いくつかの実施形態では、横方向であることは、排気と使用者との接触を最小限にすることを促進し得る。いくつかの構成は、排気によって患者に対して生じる不快感を減少させることを促進し得る。いくつかの実施形態では、出口２７２０は、組み立てられると、ハウジング２１０２の下面の下方に延在し得る（図６８〜７０を参照されたい）。そのような構成では、排気は、ハウジング２１０２によって遮断されないことがあり得る。
【０２５６】
図５７および図５８は、弁２５２２の複数の部分を示すフレーム２１７８の分解図を示す。いくつかの実施形態では、弁フラップ２５２４は、外周部２５２４Ａおよび内部リブ２５２４Ｂを含み得る。外周部２５２４Ａは、リップを含み得る。リップは、外周部２５２４Ａに沿って延在する厚みのある領域を画成し得る。いくつかの実施形態では、リブ２５２４Ｂは、弁フラップ２５２４の下側に沿って位置決めされ得る。リブ２５２４Ｂは、弁フラップ２５２４のほぼ中心軸に沿って位置決めされ得る。いくつかの実施形態では、リブ２５２４Ｂは、弁フラップ２５２４の中心に沿って厚みのある領域を画成し得る。いくつかの実施形態では、外周部２５２４Ａおよび／またはリブ２５２４Ｂは、弁フラップ２５２４に剛性をもたらし得る。外周部２５２４Ａおよび／またはリブ２５２４Ｂは、使用中、加圧空気の流れに起因して弁フラップ２５２４が膨らみかつ／または変形することを阻止することを促進し得る。いくつかの構成は、弁２５２２が開放位置にあるとき、通気路２７２２の周りに効果的なシールを提供することを促進し得る。
【０２５７】
いくつかの実施形態では、管コネクタ２７１１は、入口２７０６を含み、それにより、加圧空気源は、弁２５２２を通って呼吸チャンバー内に方向付けられ得る。入口２７０６は、使用中、下方に角度が付けられ得る。例えば、図５９に示すように、入口２７０６の中心軸２７０６Ａは、クッションコネクタ２７０８の中心軸２７０８Ａと角度を形成し得る。いくつかの実施形態では、その角度は、約１２５度である。いくつかの実施形態では、その角度は、１２５度を上回るかまたは下回る。いくつかの実施形態では、その角度は、約１２４．４度である。いくつかの実施形態では、その角度は、１２４．４度を上回るかまたは下回る。いくつかの構成は、導管２５２０Ａを使用者から離して保つことを促進し得る。いくつかの構成は、望ましくは、マスクアセンブリ２１００の前側においてなど、患者用インターフェースの嵩高性を最小限にし得る。
【０２５８】
図６０〜７２Ｂは、フレーム２１７８に結合されたマスクアセンブリ２１００の実施形態を示す。本明細書で上述した通り、マスクアセンブリ２１００は、ハウジング２１０２およびマスクシール２１０４を含み得る。ハウジング２１０２は、マスクシール２１０４の前側に位置し得る。いくつかの実施形態では、ハウジング２１０２は、実質的に硬質であり得る。いくつかの実施形態では、ハウジング２１０２は、フレームコネクタ２７３０、少なくとも１つのバイアス通気口２５０２および／またはＡ−Ａ弁凹部２７２６を含み得る。
【０２５９】
図６２は、ハウジング２１０２を示すマスクアセンブリ２１００の前面図を示す。いくつかの実施形態では、ハウジング２１０２は、１個、２個、３個、４個または５個以上のバイアス通気口２５０２を含み得る。バイアス通気口２５０２は、ハウジング２１０２の底部領域に位置決めされ得る。いくつかの実施形態では、バイアス通気口２５０２は、ハウジング２１０２の全体的に前向きの面に位置決めされ得る。例えば、バイアス通気口２５０２は、ハウジング２１０２の下縁に隣接して位置決めされ得る。いくつかの構成では、バイアス通気口２５０２の孔は、組み立てられると、フレーム２１７８の下縁の近くにおよび／またはそれに隣接して位置決めされ得る。好ましくは、バイアス通気口２５０２は、フレーム２１７８の下縁の下方に位置決めされる。そのような構成は、通気とフレーム２１７８との間の接触を最小限にし得る。そのような構成は、騒音および／または望ましくない隙間風もしくは空気の漏れを低減させることを促進し得る。
【０２６０】
図６２は、２つのバイアス通気口２５０２を含むハウジング２１０２の例を示す。バイアス通気口２５０２は、複数の孔を含み得る。複数の孔は、いくつかある考えられるパターンの中で特に、ほぼ三角形のパターンに配置され得る。バイアス通気口２５０２は、入口２７３２の対向する外側部および／またはマスクシール２１０４の弁凹部２７２６に位置決めされ得る。いくつかの実施形態では、バイアス通気口２５０２の少なくとも一部は、入口２７３２の少なくとも一部の下方に位置決めされ、およびバイアス通気口２５０２の少なくとも一部は、入口２７３２の側部を越えて位置決めされる。そのような構成では、バイアス通気口２５０２の一部のみが入口２７３２を越えて横方向に位置決めされる。いくつかの実施形態では、バイアス通気口２５０２は、全体的に入口２７３２の側部を越えて位置決めされる。バイアス通気口２５０２は、排気を分散させることを促進し得る。そのような構成は、使用者および／または使用者と一緒に寝ている人に対して、排気に起因する隙間風などの乱れおよび／または騒音を低減させ得る。
【０２６１】
いくつかの実施形態では、バイアス通気口２５０２は、空気がフレーム２１７８の下方で排気されるように位置決めされる（図６８〜７０を参照されたい）。例えば、バイアス通気口２５０２は、フレーム２１７８の下縁の直下におよび／またはそれに隣接して位置決めされる。そのような構成は、通気が空気流れに対する乱れを最小限にして、フレーム２１７８を通過できるようにする。上述の通り、そのような構成は、排気を分散させ、騒音を低減させ、かつ／または使用者および／もしくは使用者と一緒に寝ている人に対して、排気に起因する乱れを低減させることを促進し得る。
【０２６２】
いくつかの実施形態では、ハウジング２１０２は、弁凹部２７２６を含む。弁凹部２７２６は、凹面領域を画成し得る。凹面領域は、入口２７３２の下方におよび／またはそれに隣接して位置決めされ得る。いくつかの実施形態では、弁凹部２７２６の幅は、入口２７３２の最大幅を下回り得る。
【０２６３】
いくつかの実施形態では、弁凹部２７２６は、弁２５２２の後面部および／または弁出口２７２０など、弁アセンブリ２５２２Ｂの少なくとも一部を受け入れ得る。いくつかの実施形態では、弁凹部２７２６は、弁２５２２の後面／壁２５２３の湾曲に適応または適合する湾曲を含む曲面を有する。少なくともいくつかの実施形態では、弁凹部２７２６は、弁２５２２を、マスクアセンブリ２１００内に凹ませてかつ／またはマスクシール２１０４の上方前部および／もしくは鼻領域２１６８などのマスクシール２１０４の少なくとも一部の下方に位置決めできるようにする。少なくともいくつかの実施形態では、弁凹部２７２６および／または弁２５２２は、望ましくは、患者用インターフェースの全体深さを減少させ得る。これにより、使用者にとって患者用インターフェースの目立ちやすさを低減させ、かつホースの引張りを減少させることを促進し得る。少なくともいくつかの実施形態では、弁凹部２７２６および／または弁２５２２は、弁２５２２をマスクシール２１０４の底部よりも高く位置決めし、かつ／または入口２７３２を短くすることができるようにする。これにより、マスクアセンブリ２１００の外形寸法を低減させることを促進し得る。
【０２６４】
上述の通り、ハウジング２１０２は、フレームコネクタ２７３０を含み得る。図６０に示すように、フレームコネクタ２７３０は、カラーを形成し得る。カラーは、ハウジング２１０２の前面からマスクアセンブリ２１００の内部の方にまたはそこに内向きに突出し得る。フレームコネクタ２７３０は、入口２７３０の周囲の全てまたは一部に延在し得る。いくつかの実施形態では、フレームコネクタ２７３０は、フレーム２１７８のクッションコネクタ２７０８を受け入れ得、かつ／またはそれを保持し得る。
【０２６５】
いくつかの実施形態では、フレームコネクタ２７３０は、フレーム２１７８のクッションコネクタ２７０８を係合するための固定特徴を含み得る。例えば、フレームコネクタ２７３０は、少なくとも１つのコネクタ用隆起２７３４（例えば、コネクタ用隆起２７３４の対）または他の保持もしくは位置合わせ特徴を含み得る。コネクタ用隆起２７３４は、フレームコネクタ２７３０の内部表面の一部に沿って位置決めされ得る。コネクタ用隆起２７３４は、クッションコネクタ２７０８の対応する係合特徴２７１５と係合し得る。係合特徴２７１５は、ノッチ、凹部または他の係合特徴を含み得る。係合特徴２７１５は、クッションコネクタ２７０８の外表面に位置決めされ得る。いくつかの実施形態では、コネクタ用隆起２７３４は、いくつかある係合配置構成の中で特に、スナップフィット配置構成により、クッションコネクタ２７０８の係合特徴２７１５と係合し得る。いくつかの実施形態では、クッションコネクタ２７０８は、フレームコネクタ２７３０上の対応する対のコネクタ用隆起２７３４を受け入れかつ／または保持するように構成される横方向に対向する凹部２７１５の対を含む。そのような構成は、フレーム２１７８をマスクシール２１０４に固定し得る。
【０２６６】
少なくとも図６１に示すように、いくつかの実施形態では、フレームコネクタ２７３０は、リップ２７３８を含み得る（図６９を参照されたい）。リップ２７３８は、弁凹部２７２６の上壁を画成し得る。いくつかの構成では、リップ２７３８は、ハウジング２１０２の前側に対して凹まされて位置決めされ得る。いくつかの実施形態では、リップ２７３８は、フレームコネクタ２７３０の少なくとも一部および／または入口２７３２を形成し得る。組み立てられると、リップ２７３８は、弁出口２７２０の上方に位置決めされ得る。
【０２６７】
いくつかの実施形態では、フレームコネクタ２７３０は、位置合わせ特徴２７１４を含み得る。位置合わせ特徴２７３９は、入口内におよび／またはフレームコネクタ２７３０の後縁の前方に半径方向に突出し得る。位置合わせ特徴２７１４は、フレーム２１７８のクッションコネクタ２７０８の位置合わせ用ノッチ２７１０と係合し得る。そのような構成は、フレーム２１７８をマスクシール２１０４と位置合わせしかつ／または固定することを促進し得る。
【０２６８】
いくつかの実施形態では、マスクシール２１０４は、実質的に弾力がある。いくつかの実施形態では、マスクシール２１０４は、鼻領域２１６８および口シール部分を含み得る。鼻領域２１６８は、鼻開口部２１２４および右左の鼻密封面２１２４Ａ、２１２４Ｂを含み得る。右左の鼻密封面２１２４Ａ、２１２４Ｂは、鼻開口部２１２４から外向きに延在し得る。いくつかの実施形態では、口シール部分は、口開口部２１２２を含み得る（図６１を参照されたい）。
【０２６９】
少なくとも図６１〜６２に示すように、マスクシール２１０４は、入口２７３２を含み得る。入口２７３２は、マスクシール２１０４に開口部を形成して、空気が呼吸チャンバーに対して流入および流出できるようにし得る。いくつかの実施形態では、入口２７３２は非円形周囲を含み得る。いくつかの実施形態では、入口２７３２の周囲は、いくつかある形状の中で特に、全体的に卵形形状、楕円形形状、正方形形状および／または矩形形状を有し得る。いくつかの実施形態では、入口２７３２は、いくつかある形状の中で特に、全体的に丸みを帯びた「Ｄ」字形状および／または丸みを帯びた台形形状を含む。非円形周囲を有する入口２７３２は、望ましくは、フレーム２１７８とマスクシール２１０４とをより簡単に組み立てかつ／または位置合わせすることを促進し得る。そのような構成は、フレーム２１７８へのシール２１０４の間違った組み立てを防止することを促進し得る。そのような構成は、組み立てられると、シール２１０４に対するフレーム２１７８の回転を阻止または制限することを促進し得る。いくつかの実施形態では、入口２７３２の非円形周囲は、円形入口２７３２を有する設計よりも、入口２７３２の中心の近くに弁２５２２の少なくとも一部を位置決めできるようにする。そのような非円形構成は、望ましくは、弁２５２２に追加的な空間を生じ、それにより、円形入口を有するマスクと比較して、組み立てられるときのマスクアセンブリ２１００の外形寸法（例えば、高さ）を減少させ得る。
【０２７０】
上述の通り、マスクシール２１０４は、鼻領域２１６８を含み得る。鼻領域２１６８は、左および右密封面２１２４Ｂ、２１２４Ａを含み得る。いくつかの実施形態では、左および右密封面２１２４Ｂ、２１２４Ａのそれぞれは、凸面領域を画成し得る。本明細書で上述した通り、左および右密封面２１２４Ｂ、２１２４Ａは、協働して使用者の鼻を受け入れるように構成される凹面領域を画成し得る。左および右密封面２１２４Ｂ、２１２４Ａの凸面領域は、全体的に平らにされ得る。例えば、平らにされた凸面領域は、左および右密封面２１２４Ｂ、２１２４Ａの頂部から鼻開口部２１２４の方に延在し得る。平らにされた凸面領域は、左および右密封面２１２４Ｂ、２１２４Ａが最高点から鼻開口部２１２４の方に延在するときに全体的に線形のプロファイルを有し得る。平らにされた密封面２１２４Ｂ、２１２４Ａは、例えば、使用中に鼻領域２１６８が使用者の鼻に係合するとき、密封面２１２４Ｂ、２１２４Ａに折りじわが形成することを防止または制限することを促進し得る。いくつかの構成は、使用中、使用者の鼻の周りでの漏れを最小限にすることを促進し得る。
【０２７１】
図６５は、鼻領域２１６８の一部の拡大後面図を示す。左鼻密封面２１２４Ｂを示しかつ説明するが、右鼻密封面２１２４Ａは、同様の特徴を含み得、好ましくは左鼻密封面２１２４Ｂの鏡像である。図示の通り、鼻密封面２１２４Ｂは、鼻開口部２１２４に横方向に隣接して、比較的平坦であり得る。いくつかの実施形態では、鼻密封面２１２４Ｂが鼻開口部２１２４から鼻密封面２１２４Ｂの最高点の方に半径方向外向きに延在するため、鼻密封面２１２４Ｂの湾曲は、比較的小さい（例えば、ほぼ線形）であり得る。いくつかの実施形態では、曲率線２７２７Ａ、２７２７Ｂ、２７２７Ｃ、２７２７Ｄ、２７２７Ｅによって示す通り、鼻密封面２１２４Ｂが鼻開口部２１２４から鼻密封面２１２４Ｂのほぼ中間点２７２５まで半径方向外向きに延在するため、鼻密封面２１２４Ｂの湾曲は、比較的小さいことができる。いくつかの実施形態では、鼻密封面２１２４Ｂが中間点２７２５を越えて半径方向外向きに延在する（例えば、外側鼻密封面領域において）ため、鼻密封面２１２４Ｂの湾曲は、大きい。曲線プロット２７２８によって示すようにおよび下記でより詳細に説明するように、外側鼻密封面領域の曲率半径は、外側鼻密封面領域の表面に沿って後方から前方の方向に減少する。例えば、いくつかの実施形態では、鼻密封面２１２４Ｂの後方部分の外側鼻密封面領域の曲率半径は、鼻密封面２１２４Ｂの前方部分の外側鼻密封面領域の曲率半径よりも大きい。すなわち、鼻密封面２１２４Ｂは、後方から前方の方向に、あまり湾曲していない状態からより湾曲している状態に進み得る。
【０２７２】
図６６は、マスクシール２１０４の上面図を示す。図６７Ａ〜６７Ｆは、マスクシール２１０４の後ろから見たときの断面図を示す。図示の通り、いくつかの実施形態では、左および右鼻密封面２１２４Ｂ、２１２４Ａは、少なくとも２次元において互いに角度が付けられ得る。例えば、前または後ろから見ると、左および右鼻密封面２１２４Ｂ、２１２４Ａは、全体的にｖ字形状を形成するような角度で鼻領域２１６８から離れて上方に延在し得る。いくつかの実施形態では、上から見ると、左および右鼻密封面２１２４Ｂ、２１２４Ａは、マスクシール２１０４またはシールアセンブリ２１００の前２７４０から後ろ２７４２の方向において、互いに離れて角度が付けられ得る。そのような構成では、左および右鼻密封面２１２４Ｂ、２１２４Ａを含む鼻領域２１６８は、全体的に三角形を形成し得る。そのような構成は、望ましくは、使用者の鼻の幾何学的形状に適応し得るかまたはほぼ適合し得る。これは、より安定性および／または使用者に対する快適さをもたらし得る。そのような構成は、マスクシール２１０４からの空気の漏れを減少させることを促進し得る。
【０２７３】
図６７Ａは、図６６の線Ａ−Ａに沿って取った後側から見た断面図を示す。図６７Ｂは、図６６の線Ｂ−Ｂに沿って取った後側から見た断面図を示す。図６７Ｃは、図６６の線Ｃ−Ｃに沿って取った後側から見た断面図を示す。図６７Ｄは、図６６の線Ｄ−Ｄに沿って取った後側から見た断面図を示す。図６７Ｅは、図６６の線Ｅ−Ｅに沿って取った後側から見た断面図を示す。図６７Ｆは、図６６の線Ｆ−Ｆに沿って取った後側から見た断面図を示す。図６７Ａ〜６７Ｆに示すように、鼻領域２１６８の左および右鼻密封面２１２４Ｂ、２１２４Ａは、互いに離れて外向きおよび上方にかつ底部から頂部の方向に中心の垂直平面から角度が付けられ得る。いくつかの実施形態では、左および右鼻密封面２１２４Ｂおよび２１２４Ａ間の角度は、後から前の方向において増加する。いくつかの実施形態では、鼻領域２１６８の深さは、後から前の方向に減少する。例えば、角度２７４４Ａは、約５７度であり得、角度２７４４Ｂは、約６０度であり得、角度２７４４Ｃは、約６４度であり得、角度２７４４Ｄは、約７１度であり得、角度２７４４Ｅは、約７７度であり得、角度２７４４Ｆは、約８８度であり得、およびそのような範囲間にある角度であり得る。そのような構成は、使用者の鼻尖の上側を覆って延在せずに、鼻領域２１６８が使用中に使用者の鼻と係合できるようにする。そのような構成は、望ましくは、使用者の鼻の幾何学的形状により良好に適合し得る。これは、より安定性および／または使用者に対する快適さをもたらし得る。そのような構成は、マスクシール２１０４からの空気の漏れを減少させることを促進し得る。
【０２７４】
図７３は、ヘッドギア２１８０の実施形態を示す患者用インターフェースの側面図を示す。図７４は、ヘッドギア２１８０の外面の外部から見た平面図を示し、および図７５は、ヘッドギア２１８０の内面の内部から見た図を示し、図７４および図７５の両方において、ヘッドギア２１８０は、平らに置かれた状態にある。上述の通り、ヘッドギア２１８０は、いくつかある構成要素の中で特に、少なくとも２つの上部サイドストラップ２８０４、少なくとも２つの下部サイドストラップ２８０２、後部パネル２８０６および／または頭頂部ストラップ２８０８を含み得る。少なくとも図７４および図７５に示すように、上部サイドストラップ２８０４は、頭頂部ストラップ２８０８に角度２８１８で接続され得る。例えば、上部サイドストラップ２８０４と頭頂部ストラップ２８０４との間の角度２８１８は、約１４４度であり得る。いくつかの実施形態では、角度２８１８は、１３０度、１３５度、１４０度、１４５度または１５０度以上である。角度２８１８は、使用中、上部サイドストラップ２８０４が使用者の耳の上方でフレーム２１７８まで下方に延在できるようにする。
【０２７５】
使用中、上側サイドストラップ２８０４は、ヘッドギア２１８０の反対側に位置決めされ得、および頭頂部ストラップ２８０８からマスクアセンブリ２１００の方へ下方に延在し得る。いくつかの実施形態では、上部サイドストラップ２８０４は、装用時、使用者の頬にわたって延在するように構成され得る。いくつかの実施形態では、上部サイドストラップ２８０４は、フレーム２１７８の上部ストラップコネクタ２７０２などのフレーム２１７８に調整可能および／または直接接続され得る。
【０２７６】
いくつかの実施形態では、下部サイドストラップ２８０２は、ヘッドギア２１８０の反対側に位置決めされ得る。使用中、下部サイドストラップ２８０２は、使用者の耳の下側で実質的に水平に延在し得る。下部サイドストラップ２８０２は、後部パネル２８０６からマスクアセンブリ２１００の方に延在し得る。いくつかの実施形態では、下部サイドストラップ２８０２は、装用時、全体的に使用者の顎に沿ってなど、使用者の顔にわたって延在するように構成され得る。いくつかの実施形態では、下部サイドストラップ２８０４は、フレーム２１７８に調整可能に接続され得る。フレーム２１７８と下部サイドストラップ２８０２との間の接続は、直接および／または間接的な接続を含み得る。例えば、下部サイドストラップ２８０２は、ヘッドギアクリップ２６００を介してフレーム２１７８に間接的に接続され得る。図７３〜７５に示すように、上部および下部サイドストラップ２８０４、２８０２は、後部パネル２８０６によって接続され得る。後部パネル２８０６における上部および下部サイドストラップ２８０４の接続部は、使用中、使用者の耳の後方に位置決めされ得る。そのような構成は、ヘッドギア２１８０に対して安定性および支持をもたらし得る。そのような構成は、装用時に使用者に対してより快適さおよび／またはより見た目が美しい外観をもたらし得る。
【０２７７】
いくつかの実施形態では、後部パネル２８０６は、ヘッドギア２１８０のほぼ中心に位置決めされ得る。後部パネル２８０６は、装用時、使用者の後頭部部分に接触するように構成され得る。いくつかの実施形態では、後部パネル２８０６は、少なくとも２つ以上の部分を含み得る。後部パネル２８０６は、第１の部分２８０６Ａおよび第２の部分２８０６Ｂを含み得る。第１の部分２８０６Ａは、上部および下部サイドストラップ２８０４、２８０２と一体的に形成され得る。いくつかの実施形態では、第２の部分２８０６Ｂは、後部パネル２８０６のほぼ中心に位置決めされ得る。第２の部分２８０６Ｂは、少なくとも一部には、スペーサファブリックによって作製され得る。そのようなスペーサファブリックの例は、本出願人の公報国際公開２０１７０２１８３６号に開示されており、その全体が参照により本明細書に援用される。スペーサファブリックは、使用者にさらに快適さをもたらし得る。例えば、スペーサファブリックは、望ましくは、軽量で、通気性があり、かつ／または使用者の後頭部に対するクッション領域を形成し得る。いくつかの実施形態では、第２の部分のスペーサファブリックは、後部パネル２８０６の第１の部分２８０６Ａから内向きに延在し得る。いくつかの実施形態では、スペーサファブリックは、２つのスペーサファブリック層を含み得る。例えば、それら層のそれぞれは、互いに重ね合わせられ得る。
【０２７８】
いくつかの実施形態では、ヘッドギア２１８０は、頭頂部ストラップ２８０８を含む。頭頂部ストラップ２８０８は、右側部分２８１０および左側部分２８１２を含み得る。いくつかの実施形態では、左側部分および右側部分２８１２、２８１０は、使用者の頭頂部など、使用者の頭部の上方領域にわたって延在するストラップを形成し得る。
【０２７９】
いくつかの実施形態では、左側部分および右側部分２８１２、２８１０は、調整可能に結合され得る。いくつかの実施形態では、左側部分および右側部分２８１２、２８１０は、バックルによって調整可能に結合される。いくつかの実施形態では、左側部分２８１２はアパーチャ２８１３を含む。アパーチャ２８１３は、頭頂部ストラップ２８０８の左側部分２８１２の端部の近くに位置決めされ得る。いくつかの実施形態では、アパーチャ２８１３は、頭頂部ストラップ２８０８の右側部分２８１０の少なくとも一部を受け入れ得る。いくつかの実施形態では、アパーチャ２８１３は、左側部分２８１２および右側部分２８１０を調整可能に結合できるようにする。例えば、左側部分および右側部分２８１２、２８１０は、互いに対して摺動式に調整され得る。いくつかの実施形態では、右側部分２８１０は、第１の窪んだ領域２８１１Ａおよび第２の窪んだ領域２８１１Ａを含む。第１および第２の窪んだ領域２８１１Ａ、２８１１Ｂは、右側部分２８１０の反対側に沿って形成され得る。第１および第２の窪んだ領域２８１１Ａ、２８１１Ｂは、互いに位置合わせされ、かつ右側部分２８１０の端部からオフセットして位置決めされ得る。いくつかの実施形態では、第１および第２の窪んだ領域２８１１Ａ、２８１１Ｂは、幅が狭くなった領域を画成する。幅が狭くなった領域は、アパーチャ２８１３を通って摺動できる。いくつかの実施形態では、幅が狭くなった領域は、左側および／または右側部分２８１２、２８１０の変形がない状態でまたはほとんど変形がない状態でアパーチャ２８１３を通って摺動できる。
【０２８０】
アパーチャ２８１３を有する左側部分２８１２ならびに第１および第２の窪んだ領域２８１１Ａ、２８１１Ｂを有する右側部分２８１０など、いくつかの実施形態を説明したが、他の構成が考えられる。例えば、右側部分２８１０がアパーチャ２８１３を含み得、および左側部分２８１２が第１および第２の窪んだ領域２８１１Ａ、２８１１Ｂを含み得る。
【０２８１】
いくつかの実施形態では、上部サイドストラップ２８０４、下部サイドストラップ２８０２および／または頭頂部ストラップ２８０８は、締結特徴２８２０を含み得る。締結特徴２８２０は、いくつかある特徴の中で特に、１つ以上の面ファスナーを含み得る。締結特徴２８２０は、ヘッドギアを、使用者が規定する長さなどの様々な長さに調整できるようにする。いくつかの実施形態では、下部サイドストラップ２８０２および／または上部サイドストラップ２８０４の締結特徴２８２０は、ストラップ２８０２、２８０４を簡単に調整し、かつ／またはマスクアセンブリ２１００から取り外すことができるようにする。
【０２８２】
文脈上明白に他の意味に解釈すべき場合を除いて、説明および特許請求の範囲を通して、語「含む」、「含んでいる」などは、排他的または徹底的であるのとは対照的に、包括的に、すなわち、「限定されるものではないが、〜を含む」と解釈され得る。本明細書で使用される条件付きの文言、例えば、特に、「できる」、「得る」、「ことがあり得る」、「してもよい」、「例えば」などは、具体的に別段の定めをした場合または使用されるような文脈内で別段の理解がされる場合を除き、一般的に、いくつかの実施形態はいくつかの特徴、要素および／または状態を含むが、他の実施形態は含まないことを伝えるものとする。そのため、そのような条件付きの文言は、特徴、要素および／または状態が含まれるかまたは任意の特定の実施形態において実施されるかに関わらず、著者の入力または指示があってもまたはなくても、一般的に、これらの特徴、要素および／または状態が、１つ以上の実施形態に必要とされること、または１つ以上の実施形態が必然的に、決定するための論理を含むことを暗示するものではない。
【０２８３】
用語「複数」は、２つ以上のアイテムを指す。量、寸法、サイズ、配合、パラメータ、形状および他の特徴への言及は、量、寸法、サイズ、配合、パラメータ、形状または他の特徴の前に、用語「約」または「ほぼ」が付くかのように解釈する必要がある。用語「約」または「ほぼ」は、量、寸法、サイズ、配合、パラメータ、形状および他の特徴が、正確である必要はないが、容認可能な許容誤差、変換因子、丸め、測定誤差など、および当業者に公知の他の要因を反映して、概算であり得、および／または必要に応じて大きいまたは小さくてもよいことを意味する。量、寸法、サイズ、配合、パラメータ、形状および他の特徴への言及は、量、寸法、サイズ、配合、パラメータ、形状または他の特徴の前に、用語「実質的に」が付くかのように解釈する必要もある。本明細書では、用語「ほぼ」、「約」および「実質的に」は、依然として所望の機能を実施するかまたは所望の結果を達成する、述べた量に近い量を表す。例えば、いくつかの実施形態では、文脈によって表わされ得るように、用語「ほぼ」、「約」および「実質的に」は、述べた量の１０％以下内の量を指し得る。本明細書では、用語「全体的に」は、特定の値、量または特性を主に含むかまたはその傾向がある値、量または特性を表す。例えば、文脈によって表わされ得るように、用語「ほぼ線形」は、正確な平行から１５°以下だけ逸脱するものを意味し得る。
【０２８４】
数値データは、本明細書では、範囲形式で表現または提示され得る。そのような範囲形式は、単に便宜上および簡潔にするために使用されるため、柔軟に、範囲の限界値として明白に言及した数値のみを含むと解釈されるだけでなく、その範囲内に含まれる個々の数値および部分範囲が明白に言及されるかのように、各数値または部分範囲の全てを含むと解釈される必要があることを理解されたい。例として、数の範囲「１〜５」は、約１〜約５の明白に言及された値を含むと解釈される必要があるだけでなく、その示した範囲内にある個々の値および部分範囲も含むと解釈される必要がある。そのため、この数の範囲内には、２、３および４などの個々の値ならびに「１〜３」、「２〜４」および「３〜５」などの部分範囲も含まれる。この同じ原理は、１つのみの数値を言及する範囲（例えば、「１を上回る」）にも適用され、かつ範囲の広がりまたは説明される特徴に関わらず、適用される必要がある。
【０２８５】
複数のアイテムは、便宜上、共通のリストに提示され得る。しかしながら、これらのリストは、あたかもリストの各要素が別個のおよび一意の要素として個々に特定されるかのように解釈される必要がある。そのため、そのようなリストの個々の要素は、これと反対の表示がない場合、単に共通の群における他の提示に基づいて、事実上、同じリストの任意の他の要素と均等であると解釈されるべきではない。さらに、用語「および」および「または」を、アイテムのリストと併せて使用する場合、それらは、列挙したアイテムのいずれかの１つ以上が単独でまたは他の列挙したアイテムと組み合わせて使用され得ると、広義に解釈される。用語「代わりに」は、２つ以上の代替例の１つを選択することを指し、および文脈上明白に別段の指示がある場合を除いて、選択を、それらの列挙した代替例のみに、または列挙した代替例のうち、一度に１つのみに限定することを意図したものではない。
【０２８６】
本明細書におけるいずれかの従来技術への言及は、世界中のいずれかの国における努力分野において、従来技術が共通の一般知識の一部を形成するとの承認でも、またはいずれかの形態の提案でもなく、およびそのように取られるべきではない。
【０２８７】
本発明はまた、部分、要素または特徴の２つ以上の組み合わせのいずれかまたは全てにおいて、個別にまたはまとめて、本出願の明細書に言及されるかまたは示される前記部分、要素および特徴にあると広範に言われ得る。
【０２８８】
上記の説明において、完全体またはそれと均等であると公知の構成要素に言及した場合、それらの完全体は、本明細書では、個々に説明されるかのように組み込まれる。
【０２８９】
本明細書で説明する現在好ましい実施形態に対する様々な変更形態および修正形態は、当業者に明らかであることに留意する必要がある。そのような変更形態および修正形態は、本発明の趣旨および範囲から逸脱することなく、およびその付随する利点を減少させることなくなされ得る。例えば、様々な構成要素が必要に応じて位置を変更され得る。そのため、そのような変更形態および修正形態は、本発明の範囲内に含まれるものとする。さらに、特徴、態様および利点の全てが必ずしも本発明の実施に必要なわけではない。従って、本発明の範囲は、以下の特許請求の範囲によってのみ定義されるものとする。
【図１】
2019528992.tif 000003
【図２】
2019528992.tif 000004
【図３】
2019528992.tif 000005
【図４】
2019528992.tif 000006
【図５】
2019528992.tif 000007
【図６】
2019528992.tif 000008
【図７】
2019528992.tif 000009
【図８】
2019528992.tif 000010
【図９Ａ−９Ｄ】
2019528992.tif 000011
【図１０Ａ】
2019528992.tif 000012
【図１０Ｂ】
2019528992.tif 000013
【図１０Ｃ】
2019528992.tif 000014
【図１１Ａ】
2019528992.tif 000015
【図１１Ｂ】
2019528992.tif 000016
【図１２】
2019528992.tif 000017
【図１３】
2019528992.tif 000018
【図１４】
2019528992.tif 000019
【図１５】
2019528992.tif 000020
【図１６】
2019528992.tif 000021
【図１７】
2019528992.tif 000022
【図１８Ａ】
2019528992.tif 000023
【図１８Ｂ】
2019528992.tif 000024
【図１９Ａ】
2019528992.tif 000025
【図１９Ｂ】
2019528992.tif 000026
【図２０】
2019528992.tif 000027
【図２１Ａ】
2019528992.tif 000028
【図２１Ｂ】
2019528992.tif 000029
【図２２Ａ】
2019528992.tif 000030
【図２２Ｂ】
2019528992.tif 000031
【図２３Ａ】
2019528992.tif 000032
【図２３Ｂ】
2019528992.tif 000033
【図２４】
2019528992.tif 000034
【図２５】
2019528992.tif 000035
【図２６】
2019528992.tif 000036
【図２７】
2019528992.tif 000037
【図２８】
2019528992.tif 000038
【図２９】
2019528992.tif 000039
【図３０Ａ−３０Ｂ】
2019528992.tif 000040
【図３１Ａ】
2019528992.tif 000041
【図３１Ｂ】
2019528992.tif 000042
【図３２Ａ】
2019528992.tif 000043
【図３２Ｂ】
2019528992.tif 000044
【図３３Ａ】
2019528992.tif 000045
【図３３Ｂ】
2019528992.tif 000046
【図３３Ｃ】
2019528992.tif 000047
【図３３Ｄ】
2019528992.tif 000048
【図３３Ｅ】
2019528992.tif 000049
【図３４Ａ】
2019528992.tif 000050
【図３４Ｂ】
2019528992.tif 000051
【図３５Ａ】
2019528992.tif 000052
【図３５Ｂ】
2019528992.tif 000053
【図３６Ａ】
2019528992.tif 000054
【図３６Ｂ】
2019528992.tif 000055
【図３７Ａ】
2019528992.tif 000056
【図３７Ｂ】
2019528992.tif 000057
【図３７Ｃ】
2019528992.tif 000058
【図３７Ｄ】
2019528992.tif 000059
【図３８Ａ】
2019528992.tif 000060
【図３８Ｂ】
2019528992.tif 000061
【図３９Ａ】
2019528992.tif 000062
【図３９Ｂ】
2019528992.tif 000063
【図３９Ｃ】
2019528992.tif 000064
【図４０】
2019528992.tif 000065
【図４１】
2019528992.tif 000066
【図４２】
2019528992.tif 000067
【図４３】
2019528992.tif 000068
【図４４】
2019528992.tif 000069
【図４５】
2019528992.tif 000070
【図４６】
2019528992.tif 000071
【図４７】
2019528992.tif 000072
【図４８】
2019528992.tif 000073
【図４９】
2019528992.tif 000074
【図５０Ａ】
2019528992.tif 000075
【図５０Ｂ】
2019528992.tif 000076
【図５１Ａ】
2019528992.tif 000077
【図５１Ｂ】
2019528992.tif 000078
【図５２】
2019528992.tif 000079
【図５３】
2019528992.tif 000080
【図５４】
2019528992.tif 000081
【図５５】
2019528992.tif 000082
【図５６】
2019528992.tif 000083
【図５７】
2019528992.tif 000084
【図５８】
2019528992.tif 000085
【図５９】
2019528992.tif 000086
【図６０】
2019528992.tif 000087
【図６１】
2019528992.tif 000088
【図６２】
2019528992.tif 000089
【図６３】
2019528992.tif 000090
【図６４】
2019528992.tif 000091
【図６５】
2019528992.tif 000092
【図６６】
2019528992.tif 000093
【図６７Ａ】
2019528992.tif 000094
【図６７Ｂ】
2019528992.tif 000095
【図６７Ｃ】
2019528992.tif 000096
【図６７Ｄ】
2019528992.tif 000097
【図６７Ｅ】
2019528992.tif 000098
【図６７Ｆ】
2019528992.tif 000099
【図６８】
2019528992.tif 000100
【図６９】
2019528992.tif 000101
【図７０】
2019528992.tif 000102
【図７１】
2019528992.tif 000103
【図７２Ａ】
2019528992.tif 000104
【図７２Ｂ】
2019528992.tif 000105
【図７３】
2019528992.tif 000106
【図７４】
2019528992.tif 000107
【図７５】
2019528992.tif 000108
【国際調査報告】
2019528992.tif 000109
2019528992.tif 000110
2019528992.tif 000111
2019528992.tif 000112
2019528992.tif 000113
2019528992.tif 000114
2019528992.tif 000115